【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  下記式Ｉで示される化合物、またはその薬学的に許容できる塩またはプロドラッグである：
【化１】
2002503665.tif 000001
式中：
Ｒ１は−Ｌ１−ＲＡであり、ここでＬ１は下記（１）〜（１６）から選択され、
（１）共有結合、
（２）−Ｏ−、
（３）−Ｓ（Ｏ）ｔ−、ここでｔは０、１または２であり、
（４）−Ｃ（Ｘ）−、
（５）−ＮＲ７−、ここでＲ７は下記（ａ）〜（ｊ）から選択され、
（ａ）水素、
（ｂ）アリール、
（ｃ）３〜１２個の炭素からなるシクロアルキル、
（ｄ）アルキル部分が１〜１２個の炭素からなるアルカノイル、
（ｅ）アルキル部分が１〜１２個の炭素からなるアルコキシカルボニル、
（ｆ）アルキル部分が１〜１２個の炭素からなり１または２個のアリール基により置換されているアルコキシカルボニル、
（ｇ）１〜１２個の炭素からなるアルキル、
（ｈ）１〜１２個の炭素からなり、独立して下記（ｉ）、（ｉｉ）から選択される１または２個の置換基により置換されているアルキル、
（ｉ）アリール、
（ｉｉ）３〜１２個の炭素からなるシクロアルキル、
（ｉ）３〜１２個の炭素からなるアルケニル、但し、炭素−炭素二重結合の炭素は直接窒素に結合しておらず、
（ｊ）３〜１２個の炭素からなるアルキニル、但し、炭素−炭素三重結合の炭素は直接窒素に結合しておらず、
（６）−ＮＲ８Ｃ（Ｘ）ＮＲ９−、ここでＸはＯまたはＳであり、Ｒ８およびＲ９は独立して下記（ａ）〜（ｇ）から選択され、
（ａ）水素、
（ｂ）アリール、
（ｃ）３〜１２個の炭素からなるシクロアルキル、
（ｄ）１〜１２個の炭素からなるアルキル、
（ｅ）１〜１２個の炭素からなり、３〜１２個の炭素からなるシクロアルキルまたはアリールから独立して選択される１または２個の置換基で置換されているアルキル、
（ｆ）３〜１２個の炭素からなるアルケニル、但し、炭素−炭素二重結合の炭素は直接窒素に結合しておらず、
（ｇ）３〜１２個の炭素からなるアルキニル、但し、炭素−炭素三重結合の炭素は直接窒素に結合しておらず、
（７）−Ｘ’Ｃ（Ｘ）−、ここでＸは先に定義した通りであり、Ｘ’はＯまたはＳであり、
（８）−Ｃ（Ｘ）Ｘ’−、
（９）−Ｘ’Ｃ（Ｘ）Ｘ’’−、ここでＸおよびＸ’は先に定義した通りであり、Ｘ’’はＯまたはＳであり、但し、ＸがＯの場合、Ｘ’またはＸ’’の少なくとも一方はＯであり、
（１０）−ＮＲ８Ｃ（Ｘ）−、
（１１）−Ｃ（Ｘ）ＮＲ８−、
（１２）−ＮＲ８−Ｃ（Ｘ）Ｘ’−
（１３）−Ｘ’Ｃ（Ｘ）ＮＲ８−、
（１４）−ＳＯ２ＮＲ８−、
（１５）−ＮＲ８ＳＯ２−、および
（１６）−ＮＲ８ＳＯ２ＮＲ９−、
ここで（６）〜（１６）は、ＲＡに結合している右端と共に描写しており、ＲＡは、下記（１）〜（２１）から選択され、
（１）−ＯＨ、
（２）−ＯＧ、ここでＧは−ＯＨ保護基であり、
（３）−ＳＨ、
（４）−ＣＯ２Ｒ２０、ここでＲ２０は水素または１〜１２個の炭素からなるアルキルであり、
（５）アルコキシカルボニル、
（６）−ＣＮ、
（７）ハロ、
（８）１〜１２個の炭素からなるハロアルコキシ、
（９）１〜１２個の炭素からなるパーフルオロアルコキシ、
（１０）−ＣＨＯ、
（１１）−ＮＲ７Ｒ７’、ここでＲ７は先に定義された通りでありＲ７’は下記（ａ）〜（ｊ）から選択され、
（ａ）水素、
（ｂ）アリール、
（ｃ）３〜１２個の炭素からなるシクロアルキル、
（ｄ）アルキル部分が１〜１２個の炭素からなるアルカノイル、
（ｅ）アルキル部分が１〜１２個の炭素からなるアルコキシカルボニル、
（ｆ）アルキル部分が１〜１２個の炭素からなり、１または２個のアリール基で置換されているアルコキシカルボニル、
（ｇ）１〜１２個の炭素からなるアルキル、
（ｈ）１〜１２個の炭素からなり、独立して下記（ｉ）、（ｉｉ）から選択される１または２個の置換基で置換されているアルキル、
（ｉ）アリール、
（ｉｉ）３〜１２個の炭素からなるシクロアルキル、
（ｉ）３〜１２個の炭素からなるアルケニル、但し、炭素−炭素二重結合の炭素は直接窒素に結合しておらず、
（ｊ）３〜１２個の炭素からなるアルキニル、但し、炭素−炭素三重結合の炭素は直接窒素に結合しておらず、
（１２）−Ｃ（Ｘ）ＮＲ８Ｒ９、
（１３）−ＯＳＯ２Ｒ１１、ここでＲ１１は下記（ａ）〜（ｅ）から選択され、
（ａ）アリール、
（ｂ）３〜１２個の炭素からなるシクロアルキル、
（ｃ）１〜１２個の炭素からなるアルキル、
（ｄ）１〜１２個の炭素からなり、１、２、３または４個のハロ置換基により置換されているアルキル、
（ｅ）１〜１２個の炭素からなるパーフルオロアルキル、
（１４）１〜１２個の炭素からなるアルキル、
（１５）２〜１２個の炭素からなるアルケニル、但し、炭素−炭素二重結合の炭素は直接Ｌ１（ここで、Ｌ１は共有結合以外）に結合しておらず、
（１６）２〜１２個の炭素からなるアルキニル、但し、炭素−炭素三重結合の炭素は直接Ｌ１（ここで、Ｌ１は共有結合以外）に結合しておらず、
ここで、（１４）、（１５）および（１６）は、独立して下記（ａ）〜（ｕ）から選択される１、２または３個の置換基で置換されていてもよい、
（ａ）１〜１２個の炭素からなるアルコキシ、
（ｂ）−ＯＨ、但し、２つの−ＯＨ基は同じ炭素に結合しておらず、
（ｃ）−ＳＨ、
（ｄ）１〜１２個の炭素からなるチオアルコキシ、但し、２つの−ＳＨ基は同じ炭素に結合しておらず、
（ｅ）−ＣＮ、
（ｆ）ハロ、
（ｇ）−ＣＨＯ、
（ｈ）−ＮＯ２、
（ｉ）１〜１２個の炭素からなるハロアルコキシ、
（ｊ）１〜１２個の炭素からなるパーフルオロアルコキシ、
（ｋ）−ＮＲ７Ｒ７’、
（ｌ）＝ＮＮＲ７Ｒ７’、
（ｍ）−ＮＲ７ＮＲ７’Ｒ７’’、ここで、Ｒ７およびＲ７’は先に定義された通りでありＲ７’’は、下記（ｉ）〜（ｘ）から選択され、
（ｉ）水素
（ｉｉ）アリール、
（ｉｉｉ）３〜１２個の炭素からなるシクロアルキル、
（ｖｉ）アルキル部分が１〜１２個の炭素からなるアルカノイル、
（ｖ）アルキル部分が１〜１２個の炭素からなるアルコキシカルボニル、
（ｖｉ）アルキル部分が１〜１２個の炭素からなり、１または２個のアリール基で置換されているアルコキシカルボニル、
（ｖｉｉ）１〜１２個の炭素からなるアルキル、
（ｖｉｉｉ）１〜１２個の炭素からなり、３〜１２個の炭素からなるシクロアルキルまたはアリールから独立して選択される１または２個の置換基で置換されているアルキル、
（ｉｘ）３〜１２個の炭素からなるアルケニル、但し、炭素−炭素二重結合は直接窒素に結合しておらず、
（ｘ）３〜１２個の炭素からなるアルキニル、但し、炭素−炭素三重結合は直接窒素に結合しておらず、
（ｎ）−ＣＯ２Ｒ１０、ここでＲ１０は下記（ｉ）〜（ｉｖ）から選択され、
（ｉ）アリール、
（ｉｉ）１〜１２個の炭素からなる１、２または３個のアルキル置換基により置換されているアリール、
（ｉｉｉ）３〜１２個の炭素からなるシクロアルキル、
（ｉｖ）１〜１２個の炭素からなるアルキル、
（ｖ）１〜１２個の炭素からなり、３〜１２個の炭素からなるシクロアルキルまたはアリールで置換されているアルキル、
（Ｏ）−Ｃ（Ｘ）ＮＲ８Ｒ９、
（ｐ）＝Ｎ−ＯＲ１０、
（ｑ）＝ＮＲ１０、
（ｒ）−Ｓ（Ｏ）ｔＲ１０、
（ｓ）−Ｘ’Ｃ（Ｘ）Ｒ１０、
（ｔ）（＝Ｘ）、および
（ｕ）−ＯＳＯ２Ｒ１１、
（１７）３〜１２個の炭素からなるシクロアルキル、
（１８）４〜１２個の炭素からなるシクロアルケニル、
但し、炭素−炭素二重結合の炭素は直接Ｌ１（Ｌ１が共有結合以外の場合）に結合しておらず、
ここで、（１７）および（１８）は、下記（ａ）〜（ｆ）から独立して選択される１、２、３または４個の置換基で置換されていてもよい、
（ａ）１〜１２個の炭素からなるアルキル、
（ｂ）アリール、
（ｃ）１〜１２個の炭素からなるアルコキシ、
（ｄ）ハロ、
（ｅ）アルキル基が１〜１２個の炭素からなるアルコキシカルボニル、
（ｆ）−ＯＨ、
但し、同じ炭素原子に２個の−ＯＨ基は結合しない、
（１９）１〜１２個の炭素からなるパーフルオロアルキル、
（２０）アリール、および
（２１）ヘテロ環
ここで、（２０）および（２１）は、下記（ａ）〜（ｌ）から独立して選択される１、２、３、４または５個の置換基により置換されていてもよい、
（ａ）１〜１２個の炭素からなるアルキル、
（ｂ）アルキル部分が１〜１２個の炭素からなるアルカノイロキシ、
（ｃ）アルキル部分が１〜１２個の炭素からなるアルコキシカルボニル、
（ｄ）１〜１２個の炭素からなるアルコキシ、
（ｅ）ハロ、
（ｆ）−ＯＨ、
但し、同じ炭素原子に２個の−ＯＨ基は結合しない、
（ｇ）１〜１２個の炭素からなるチオアルコキシ、
（ｈ）１〜１２個の炭素からなるパーフルオロアルキル、
（ｉ）−ＮＲ７Ｒ７’、
（ｊ）−ＣＯ２Ｒ１０、
（ｋ）−ＯＳＯ２Ｒ１１、および
（ｌ）（＝Ｘ）；
Ｒ２、Ｒ３、およびＲ４は、独立して、水素またはＲ１であるか；または、
Ｒ１およびＲ２は、一緒になって−Ｘ＊−Ｙ＊−Ｚ＊−（ここで、−Ｘ＊は−Ｏ−または−ＣＨ２−、Ｙ＊は−Ｃ（Ｏ）−または−（Ｃ（Ｒ１２）（Ｒ１３））ｖ−、ここでＲ１２およびＲ１３は独立して水素または１〜１２個の炭素からなるアルキルであり、ｖは１、２または３であり、Ｚ＊は−ＣＨ２−、−ＣＨ２Ｓ（Ｏ）ｔ−、−ＣＨ２Ｏ−、−ＣＨ２ＮＲ７−、−ＮＲ７−、および−Ｏ−から選択される）となり；
Ｌ２は、下記（１）〜（８）から選択され、
（１）共有結合、
（２）１〜１２個の炭素からなるアルキレン、
（３）１〜１２個の炭素からなり、下記（ａ）〜（ｅ）から独立して選択される１または２個の置換基で置換されているアルキレン、
（ａ）３〜８個の炭素からなるスピロアルキル、
（ｂ）５または８個の炭素からなるスピロアルケニル、
（ｃ）オキソ、
（ｄ）ハロ、および
（ｅ）−ＯＨ、
但し、同じ炭素原子に２個の−ＯＨ基は結合しない、
（４）２〜１２個の炭素からなるアルキニレン、
（５）−ＮＲ７−、
（６）−Ｃ（Ｘ）−、
（７）−Ｏ−、および
（８）−Ｓ（Ｏ）ｔ−；および
Ｒ５は、下記（１）〜（１１）から選択され、
（１）ハロ、
（２）水素、
（３）−Ｃ（＝ＮＲ７）ＯＲ１０、
（４）−ＣＮ、
但し、Ｒ５が（１）、（２）または（３）の場合、Ｌ２は共有結合である、
（５）１〜１２個の炭素からなるアルキル、
（６）２〜１２個の炭素からなるアルケニル、
ここで、炭素−炭素三重結合の炭素は、Ｌ３が共有結合以外の場合、Ｌ３に直接結合しない、
（７）３〜１２個の炭素からなるシクロアルキル
（８）ヘテロ環
（９）アリール
ここで、（５）〜（９）は、下記（ａ）〜（ｚ）、（ａａ）および（ｂｂ）から独立して選択される１、２、３、４または５個の置換基により置換されていてもよい、
（ａ）−ＯＨ、
但し、同じ炭素原子に２個の−ＯＨ基は結合しない、
（ｂ）−ＳＨ、
但し、同じ炭素原子に２個の−ＳＨ基は結合しない、
（ｃ）−ＣＮ、
（ｄ）ハロ、
（ｅ）−ＣＨＯ、
（ｆ）−ＮＯ２、
（ｇ）１〜１２個の炭素からなるハロアルコキシ
（ｈ）１〜１２個の炭素からなるパーフルオロアルコキシ、
（ｉ）−ＮＲ８’Ｒ９’、ここで、Ｒ８’およびＲ９’は下記（ｉ）〜（ｘｉｉｉ）から選択され、
（ｉ）水素
（ｉｉ）アルキル部分が１〜１２個の炭素からなるアルカノイル
（ｉｉｉ）アルキル部分が１〜１２個の炭素からなるアルコキシカルボニル、
（ｖｉ）アルキル部分が１〜１２個の炭素からなり１または２個のフェニル置換基により置換されているアルコキシカルボニル、
（ｖ）３〜１２個の炭素からなるシクロアルキル、
（ｖｉ）１〜１２個の炭素からなるアルキル、
（ｖｉｉ）１〜１２個の炭素からなり、１〜１２個の炭素からなるアルコキシ、３〜１２個の炭素からなるシクロアルキル、アリールおよびアルキル部分が１〜１２個の炭素からなるアルコキシカルボニルから独立して選択される１、２または３個の置換基で置換されているアルキル、
（ｖｉｉｉ）３〜１２個の炭素からなるアルケニル、
但し、炭素−炭素二重結合の炭素は直接窒素に結合しておらず、
（ｉｘ）３〜１２個の炭素からなるアルキニル、
但し、炭素−炭素三重結合の炭素は直接窒素に結合しておらず、
（ｘ）−Ｃ（Ｏ）ＮＲＸＲＹ、ここで、ＲＸおよびＲＹは、独立して、水素および、１〜１２個の炭素からなるアルキルから選択され、
（ｘｉ）１〜１２個の炭素からなるアルコキシ、
（ｘｉｉ）アリール、および
（ｘｉｉｉ）１〜１２個の炭素からなるアルキル、アルキル部分が１〜１２個の炭素からなるアルカノイロキシ、アルキル部分が１〜１２個の炭素からなるアルコキシカルボニル、１〜１２個の炭素からなるアルコキシ、ハロ、−ＯＨ（但し、同じ炭素原子に２個の−ＯＨ基は結合しない）、１〜１２個の炭素からなるチオアルコキシ、１〜１２個の炭素からなるパーフルオロアルキル、−ＮＲ７Ｒ７’、−ＣＯ２Ｒ１０、−ＯＳＯ２Ｒ１１、および（＝Ｘ）から独立して選択される１、２、３、４または５個の置換基により置換されているアリール；
Ｒ８’およびＲ９’は、それらが結合している窒素原子と一緒になって、下記（ｉ）〜（ｉｘ）から選択される環を形成し、
（ｉ）アジリジン、
（ｉｉ）アゼチジン、
（ｉｉｉ）ピロリジン、
（ｉｖ）ピペリジン、
（ｖ）ピラジン、
（ｖｉ）モルホリン、
（ｖｉｉ）フタルイミド
（ｖｉｉｉ）チオモルホリン、および
（ｉｘ）チオモルホリンスルホン
ここで、（ｉ）〜（ｉｘ）は、１〜１２個の炭素置換基からなる１、２または３個のアルキルにより置換されていてもよい、
（ｊ）＝ＮＮＲ８’Ｒ９’、
（ｋ）−ＮＲ７ＮＲ８’Ｒ９’、
（ｌ）−ＣＯ２Ｒ８、
（ｍ）−Ｃ（Ｘ）ＮＲ８’Ｒ９’、
（ｎ）＝Ｎ−ＯＲ８、
（ｏ）＝ＮＲ８、
（ｐ）−Ｓ（Ｏ）ｔＲ１０、
（ｑ）−Ｘ’Ｃ（Ｘ）Ｒ８、
（ｒ）（＝Ｘ）、
（ｓ）−Ｏ−（ＣＨ２）ｑ−Ｚ−Ｒ１０、ここでＲ１０は先に定義した通りであり、ｑは１、２、または３であり、ＺはＯまたは−Ｓ（Ｏ）ｔ−であり、
（ｔ）−ＯＣ（Ｘ）ＮＲ８’Ｒ９’、
（ｕ）−ＯＳＯ２Ｒ１１、
（ｖ）アルキル基が１〜１２個の炭素からなるアルカノイロキシ、
（ｗ）−ＬＢＲ３０、ここで、ＬＢは下記（ｉ）〜（ｉｖ）から選択され、
（ｉ）共有結合、
（ｉｉ）−Ｏ−、
（ｉｉｉ）−Ｓ（Ｏ）ｔ、および
（ｉｖ）−Ｃ（Ｘ）−および
Ｒ３０は下記（ｉ）〜（ｉｉｉ）から選択され、
（ｉ）１〜１２個の炭素からなるアルキル、
（ｉｉ）１〜１２個の炭素からなるアルケニル、
但し、炭素−炭素二重結合の炭素は直接ＬＢ（ここで、ＬＢは共有結合以外）に結合しておらず、
（ｉｉｉ）１〜１２個の炭素からなるアルキニル、
但し、炭素−炭素三重結合の炭素は直接ＬＢ（ここで、ＬＢは共有結合以外）に結合しておらず、
ここで、（ｉ）、（ｉｉ）および（ｉｉｉ）は、３〜１２個の炭素からなるシクロアルキル、−ＯＨ（但し、同じ炭素原子に２個の−ＯＨ基は結合しない、）、炭素、ハロ、１〜１２個の炭素からなるアルコキシ、１〜１２個の炭素からなるチオアルコキシ、−ＮＲ８’Ｒ９’、−Ｏ−（ＣＨ２）ｑ−Ｚ−Ｒ１０、アルキル基が１〜１２個の炭素からなるアルコキシカルボニル、アルキル基が１〜１２個の炭素からなるアルカノイロキシ、−ＮＲ７ＳＯ２−（１〜１２個の炭素からなるアルキル）、−ＯＳＯ２−（１〜１２個の炭素からなるアルキル）、アリールおよびヘテロ環で、置換されていてもよい、
（ｉｖ）アリール
（ｖ）１〜１２個の炭素からなるアルキル、ハロ、−ＮＯ２および−ＯＨ（但し、同じ炭素原子に２個の−ＯＨ基は結合しない）から独立して選択される１、２、３、４または５個の置換基によりに置換されているアリール、
（ｖｉ）ヘテロ環、および
（ｖｉｉ）１〜１２個の炭素からなるアルキル、ハロ、−ＮＯ２および−ＯＨ（但し、同じ炭素原子に２個の−ＯＨ基は結合しない）から独立して選択される１、２、３、４または５個の置換基によりに置換されているヘテロ環、
（ｘ）−Ｘ’Ｃ（Ｘ）Ｘ’’Ｒ１０、
（ｙ）−ＮＨＣ（Ｏ）ＮＨＮＨ２、
（ｚ）２個の炭素からなるアルケニル
（ａａ）−Ｃ（＝ＮＲ７）ＯＲ１０、および
（ｂｂ）−ＮＲ７（Ｘ）ＮＲ８’Ｒ９’、
（１０）
【化２】
2002503665.tif 000002
但し、Ｒ５が（９）の場合、Ｌ３は−ＮＲ７−または−Ｏ−以外であり、
ここで、炭素−炭素二重結合はＺまたはＥ構造であり、Ｒ１９、Ｒ２０およびＲ２１は、下記（ａ）〜（ｅ）から独立して選択され、
（ａ）水素、
（ｂ）ハロ、
（ｃ）アルキル基が１〜１２個の炭素からなるアルコキシカルボニル、
（ｄ）１〜１２個の炭素からなるアルキル、
（ｅ）１〜１２個の炭素からなり、下記（ｉ）〜（ｘｘｖ）で置換されているアルキル、
（ｉ）１〜１２個の炭素からなるアルコキシ、
（ｉｉ）−ＯＨ、
但し、同じ炭素原子に２個の−ＯＨ基は結合しない、
（ｉｉｉ）−ＳＨ、
但し、同じ炭素原子に２個の−ＳＨ基は結合しない、
（ｉｖ）−ＣＮ、
（ｖ）ハロ、
（ｖｉ）−ＣＨＯ、
（ｖｉｉ）−ＮＯ２、
（ｖｉｉｉ）１〜１２個の炭素からなるハロアルコキシ、
（ｉｘ）１〜１２個の炭素からなるパーフルオロアルコキシ
（ｘ）−ＮＲ８’Ｒ９’、
（ｘｉ）＝ＮＮＲ８’Ｒ９’、
（ｘｉｉ）−ＮＲ７ＮＲ８’Ｒ９’、
（ｘｉｉｉ）−ＣＯ２Ｒ１０、
（ｘｉｖ）−Ｃ（Ｘ）ＮＲ８’Ｒ９’、
（ｘｖ）＝Ｎ−ＯＲ１０、
（ｘｖｉ）＝ＮＲ１０、
（ｘｖｉｉ）−Ｓ（Ｏ）ｔＲ１０、
（ｘｖｉｉｉ）−Ｘ’Ｃ（Ｘ）Ｒ１０、
（ｘｉｘ）（＝Ｘ）、
（ｘｘ）−Ｏ−（ＣＨ２）ｑ−Ｚ−Ｒ１０、
（ｘｘｉ）−ＯＣ（Ｘ）ＮＲ８’Ｒ９’、
（ｘｘｉｉ）−ＬＢＲ３０、
（ｘｘｉｉｉ）アルキル基が１〜１２個の炭素からなるアルカノイロキシ
（ｘｘｉｖ）−ＯＳＯ２Ｒ１１、および
（ｘｘｖ）−ＮＲ７（Ｘ）ＮＲ８’Ｒ９’、または
Ｒ２０およびＲ２１は一緒になって下記（ａ）〜（ｃ）から選択されるものとなる、
（ａ）３〜１２個の炭素からなるシクロアルキル
（ｂ）４〜１２個の炭素からなるシクロアルケニル、および
（ｃ）
【化３】
2002503665.tif 000003
ここで、Ｒ２２およびＲ２３は、独立して、水素または１〜１２個の炭素からなるアルキル、および
（１１）４〜１２個の炭素からなるシクロアルケニル、
ここで、シクロアルケニル基またはＲ２０とＲ２１とが一緒になって形成される環は、下記（ａ）〜（ｙ）から独立して選択される１または２個の置換基で置換されていてもよい、
（ａ）１〜１２個の炭素からなるアルコキシ、
（ｂ）−ＯＨ、
但し、同じ炭素原子に２個の−ＯＨ基は結合しない、
（ｃ）−ＳＨ、
但し、同じ炭素原子に２個の−ＳＨ基は結合しない、
（ｄ）−ＣＮ、
（ｅ）ハロ、
（ｆ）−ＣＨＯ、
（ｇ）−ＮＯ２、
（ｈ）１〜１２個の炭素からなるハロアルコキシ、
（ｉ）１〜１２個の炭素からなるパーフルオロアルコキシ、
（ｊ）−ＮＲ８’Ｒ９’、
（ｋ）＝ＮＮＲ８’Ｒ９’、
（ｌ）−ＮＲ７ＮＲ８’Ｒ９’、
（ｍ）−ＣＯ２Ｒ１０、
（ｎ）−Ｃ（Ｘ）ＮＲ８’Ｒ９’、
（ｏ）＝Ｎ−ＯＲ１０、
（ｐ）＝ＮＲ１０、
（ｑ）−Ｓ（Ｏ）ｔＲ１０、
（ｒ）−Ｘ’Ｃ（Ｘ）Ｒ１０、
（ｓ）（＝Ｘ）、
（ｔ）−Ｏ−（ＣＨ２）ｑ−Ｚ−Ｒ１０、
（ｕ）−ＯＣ（Ｘ）ＮＲ８’Ｒ９’、
（ｖ）−ＬＢＲ３０、
（ｗ）アルキル基が１〜１２個の炭素からなるアルカノイロキシ、
（ｘ）−ＯＳＯ２Ｒ１１、および
（ｙ）−ＮＲ７（Ｘ）ＮＲ８’Ｒ９’であり、
Ｒ６は水素または、１〜１２個の炭素原子からなるアルキル；または
−Ｌ２−Ｒ５とＲ６が一緒になって、下記（１）〜（３）から選択されるものとなり、
（１）＝Ｏ、
（２）
【化４】
2002503665.tif 000004
ここで、δは１、２、３または４であり、Ａは下記（ａ）〜（ｄ）から選択され、
（ａ）−ＣＨ２−、
（ｂ）−Ｏ−、
（ｃ）−Ｓ（Ｏ）ｔ、および
（ｄ）−ＮＲ７−、および
（３）
【化５】
2002503665.tif 000005
ここで、炭素−炭素二重結合がＥまたはＺ構造中にあり得、Ｒ２６およびＲ２６’は、独立して、下記（ａ）〜（ｈ）から選択され、
（ａ）水素、
（ｂ）３〜１２個の炭素からなるアルケニル、
（ｃ）アリール、
（ｄ）ヘテロ環、
（ｅ）１〜１２個の炭素からなるアルキル、
（ｆ）３〜１２個の炭素からなるシクロアルキル、
（ｇ）４〜１２個の炭素からなるシクロアルケニル、および
（ｈ）４〜１２個の炭素からなるシクロアルケニル、ここで、（ａ）〜（ｆ）は、下記（ｉ）〜（ｘｘｉｖ）から独立して選択される１、２、３、４または５個の置換基により置換されていてもよい、
（ｉ）１〜１２個の炭素からなるアルコキシ、
（ｉｉ）−ＯＨ、
但し、同じ炭素原子に２個の−ＯＨ基は結合しない、
（ｉｉｉ）−ＳＨ、
但し、同じ炭素原子に２個の−ＳＨ基は結合しない、
（ｉｖ）−ＣＮ、
（ｖ）ハロ、
（ｖｉ）−ＣＨＯ、
（ｖｉｉ）−ＮＯ２、
（ｖｉｉｉ）１〜１２個の炭素からなるハロアルコキシ、
（ｉｘ）１〜１２個の炭素からなるパーフルオロアルコキシ、
（ｘ）−ＮＲ８’Ｒ９’、
（ｘｉ）＝ＮＮＲ８’Ｒ９’、
（ｘｉｉ）−ＮＲ７ＮＲ８’Ｒ９’、
（ｘｉｉｉ）−ＣＯ２Ｒ１０、
（ｘｉｖ）−Ｃ（Ｘ）ＮＲ８’Ｒ９’、
（ｘｖ）＝Ｎ−ＯＲ１０、
（ｘｖｉ）＝ＮＲ１０、
（ｘｖｉｉ）−Ｓ（Ｏ）ｔＲ１０、
（ｘｖｉｉｉ）−Ｘ’Ｃ（Ｘ）Ｒ１０、
（ｘｉｘ）（＝Ｘ）、
（ｘｘ）−Ｏ−（ＣＨ２）ｑ−Ｚ−Ｒ１０、
（ｘｘｉ）−ＯＣ（Ｘ）ＮＲ８’Ｒ９’、
（ｘｘｉｉ）−ＬＢＲ３０、
（ｘｘｉｉｉ）アルキル基が１〜１２個の炭素からなるアルカノイロキシ、
（ｘｘｉｉｉ）−ＯＳＯ２Ｒ１１、および
（ｘｘｉｖ）−ＮＲ７（Ｘ）ＮＲ８’Ｒ９’であり、
Ｒ１６およびＲ１６’は、独立して、水素または、１〜６個の炭素からなるアルキルである；または
Ｒ１６およびＲ１６’は一緒になって２個の炭素からなるアルケニルである、
破線は、二重結合の任意の存在を表し、
但し、Ｒ１６とＲ１６’とが一緒になって２個の炭素からなるアルケニルである場合、二重結合が存在せず、
Ｙは、炭素、窒素およびＮ＋（＝Ｏ−）から選択され；
Ｒ１７は存在しないか、あるいは水素または１〜６個の炭素からなるアルキルであり、
但し、二重結合が存在し、Ｙが窒素またはＮ＋（＝Ｏ−）である場合、Ｒ１７は存在せず、
Ｒ１８およびＲ１８’は、独立して、水素または１〜６個の炭素からなるアルキル、または
Ｒ１８とＲ１８’とは一緒になって３〜８個の炭素からなるシクロヘテロアルキル環またはシクロアルキル環である。
【請求項２】  下記式ＩＩで示される化合物：
【化６】
2002503665.tif 000006
（式中、Ｒ１、Ｒ２、Ｒ３、Ｒ４、Ｒ５、Ｒ６、およびＬ２は先に定義した通りである）
または、その薬学的に許容できる塩またはプロドラッグ。
【請求項３】  Ｒ１が−Ｌ１−ＲＡ（Ｌ１は−Ｏ−または−Ｓ−であり、ＲＡは置換されていてもよい１〜１２個の炭素からなるアルキルである）であるか、またはＲ１とＲ２とが一緒になって−Ｘ＊−Ｙ＊−Ｚ＊−となる請求項２に記載の化合物。
【請求項４】  以下の化合物から選択される請求項３に記載の化合物：
２，５−ジヒドロ−１０−メトキシ−２，２，４−トリメチル−５−フェニル−１Ｈ−［１］ベンゾピラノ［３，４−ｆ］キノリン−１Ｈ−［１］ベンゾピラノ［３，４−ｆ］キノリン、
２，５−ジヒドロ−１０−メトキシ−２，２，４−トリメチル−５−（２−プロペニル）−１Ｈ−［１］ベンゾピラノ［３，４−ｆ］キノリン、
１０−（ジフルオロメトキシ）−２，５−ジヒドロ−２，２，４−トリメチル−５−（２−プロペニル）−１Ｈ−［１］ベンゾピラノ［３，４−ｆ］キノリン、
１０−エトキシ−２，５−ジヒドロ−２，２，４−トリメチル−５−フェニル−１Ｈ−［１］ベンゾピラノ［３，４−ｆ］キノリン
５−（３−ブロモ−５−メチルフェニル）−２，５−ジヒドロ−１０−メトキシ−２，２，４−トリメチル−１Ｈ−［１］ベンゾピラノ［３，４−ｆ］キノリン、
３−（２，５−ジヒドロ−１０−メトキシ−２，２，４−トリメチル−１Ｈ−［１］ベンゾピラノ［３，４−ｆ］キノリン−５−イル）−フェノール，アセテート（エステル）、
３−（２，５−ジヒドロ−１０−メトキシ−２，２，４−トリメチル−１Ｈ−［１］ベンゾピラノ［３，４−ｆ］キノリン−５−イル）−フェノール、
２，５−ジヒドロ−１０−メトキシ−２，２，４−トリメチル−５−［［３−（メチルチオ）メトキシ］フェニル］−１Ｈ−［１］ベンゾピラノ［３，４−ｆ］キノリン、
［３−（２，５−ジヒドロ−１０−メトキシ−２，２，４−トリメチル−１Ｈ−［１］ベンゾピラノ［３，４−ｆ］キノリン−５−イル）−フェニル］ジメチルカルバメート、
５−［３−（２−フラニル）−５−メチルフェニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−メチル−５−（１−モルホリニル）フェニル］−１Ｈ−［１］ベンゾピラノ［３，４−ｆ］キノリン、
２，５−ジヒドロ−１０−メトキシ−２，２，４−トリメチル−５−（フェニルメチレン）−１Ｈ−［１］ベンゾピラノ［３，４−ｆ］キノリン、
５−（３，５−ジクロロフェニル）−２，５−ジヒドロ−１０−メトキシ−２，２，４−トリメチル−１Ｈ−［１］ベンゾピラノ［３，４−ｆ］キノリン、
５−ブチル−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−（トリフルオロメチル）フェニル］−１Ｈ−［１］ベンゾピラノ［３，４−ｆ］キノリン、
２，５−ジヒドロ−１０−メトキシ−５−（４−メトキシフェニル）−２，２，４−トリメチル−１Ｈ−［１］ベンゾピラノ［３，４−ｆ］キノリン、
５−（３−クロロフェニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−（３−メチルフェニル）−１Ｈ−［１］ベンゾピラノ［３，４−ｆ］キノリン、
（±）−２，５−ジヒドロ−１０−メトキシ−２，２，４−トリメチル−５−フェニル−１Ｈ−［１］ベンゾピラノ［３，４−ｆ］キノリン、
（±）−２，５−ジヒドロ−１０−メトキシ−２，２，４−トリメチル−５−フェニル−１Ｈ−［１］ベンゾピラノ［３，４−ｆ］キノリン、
５−（３，５−ジメチルフェニル）−２，５−ジヒドロ−１０−メトキシ−２，２，４−トリメチル−１Ｈ−［１］ベンゾピラノ［３，４−ｆ］キノリン、
５−（４−クロロフェニル）−２，５−ジヒドロ−１０−メトキシ−２，２，４−トリメチル−１Ｈ−［１］ベンゾピラノ［３，４−ｆ］キノリン、
５−（３，４−ジメチルフェニル）−２，５−ジヒドロ−１０−メトキシ−２，２，４−トリメチル−１Ｈ−［１］ベンゾピラノ［３，４−ｆ］キノリン、
５−（４−フルオロフェニル）−２，５−ジヒドロ−１０−メトキシ−２，２，４−トリメチル−１Ｈ−［１］ベンゾピラノ［３，４−ｆ］キノリン、
５−［３，５−ビス（トリフルオロメチル）フェニル］−２，５−ジヒドロ−１０−メトキシ−２，２，４−トリメチル−１Ｈ−［１］ベンゾピラノ［３，４−ｆ］キノリン、
（−）−５−（３，５−ジクロロフェニル）−２，５−ジヒドロ−１０−メトキシ−２，２，４−トリメチル−１Ｈ−［１］ベンゾピラノ［３，４−ｆ］キノリン、
（＋）−５−（３，５−ジクロロフェニル）−２，５−ジヒドロ−１０−メトキシ−２，２，４−トリメチル−１Ｈ−［１］ベンゾピラノ［３，４−ｆ］キノリン、
５−（３，５−ジフルオロフェニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４，Ｎ−テトラメチル−Ｎ−フェニル−１Ｈ−［１］ベンゾピラノ［３，４−ｆ］キノリン−５−アミン、
（−）２，５−ジヒドロ−１０−メトキシ−２，２，４−トリメチル−５−（２−プロペニル）−１Ｈ−［１］ベンゾピラノ［３，４−ｆ］キノリン、
（＋）−２，５−ジヒドロ−１０−メトキシ−２，２，４−トリメチル−５−（２−プロペニル）−１Ｈ−［１］ベンゾピラノ［３，４−ｆ］キノリン、
２，５−ジヒドロ−１０−メトキシ−２，２，４−トリメチル−１Ｈ−［１］ベンゾピラノ［３，４−ｆ］キノリン、
４−（２，５−ジヒドロ−１０−メトキシ−２，２，４−トリメチル−１Ｈ−［１］ベンゾピラノ［３，４−ｆ］キノリン−５−イル）−Ｎ，Ｎ−ジメチルベンゼンアミン、
２，５−ジヒドロ−１０−メトキシ−２，２，４−トリメチル−５−（５−メトキシ−２−チエニル）−１Ｈ−［１］ベンゾピラノ［３，４−ｆ］キノリン、
２，５−ジヒドロ−１０−メトキシ−２，２，４−トリメチル−５−（５−プロピル−２−チエニル）−１Ｈ−［１］ベンゾピラノ［３，４−ｆ］キノリン、
２，５−ジヒドロ−１０−メトキシ−２，２，４−トリメチル−５−［４−（１−モルホリニル）フェニル］−１Ｈ−［１］ベンゾピラノ［３，４−ｆ］キノリン、
１−（２，５−ジヒドロ−１０−メトキシ−２，２，４−トリメチル−１Ｈ−［１］ベンゾピラノ［３，４−ｆ］キノリン−５−イル）−３，３−ジメチル−２−ブタノン、
２，５−ジヒドロ−１０−メトキシ−２，２，４−トリメチル−１Ｈ−［１］ベンゾピラノ［３，４−ｆ］キノリン−５−カルボニトリル、
１−（２，５−ジヒドロ−１０−メトキシ−２，２，４−トリメチル−１Ｈ−［１］ベンゾピラノ［３，４−ｆ］キノリン−５−イル）−２−プロパノン、
２，５−ジヒドロ−１０−メトキシ−２，２，４−トリメチル−１Ｈ−［１］ベンゾピラノ［３，４−ｆ］キノリン−５−酢酸メチル、
２−（２，５−ジヒドロ−１０−メトキシ−２，２，４−トリメチル−１Ｈ−［１］ベンゾピラノ［３，４−ｆ］キノリン−５−イル）−１−フェニルエタノン、
５−［２−（クロロメチル）−２−プロペニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−（−メチレン−１Ｈ−［１］ベンゾピラノ［３，４−ｆ］キノリン−５−プロパノール，アセテート（エステル）、
２，５−ジヒドロ−１０−メトキシ−２，２，４−トリメチル−５−（４−メチルフェニル）−１Ｈ−［１］ベンゾピラノ［３，４−ｆ］キノリン、
５−（３−フルオロ−４−メチルフェニル）−２，５−ジヒドロ−１０−メトキシ−２，２，４−トリメチル−１Ｈ−［１］ベンゾピラノ［３，４−ｆ］キノリン、
５−（３−ブロモフェニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−（フェニルメチル）−１Ｈ−［１］ベンゾピラノ［３，４−ｆ］キノリン、
２，５−ジヒドロ−１０−メトキシ−２，２，４−トリメチル−５−プロピル−１Ｈ−［１］ベンゾピラノ［３，４−ｆ］キノリン、
５−（４−フルオロフェニル）−２，５−ジヒドロ−１０−メトキシ−２，２，４−トリメチル−１Ｈ−［１］ベンゾピラノ［３，４−ｆ］キノリン、
５−（３−フルオロフェニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４，５−テトラメチル−１Ｈ−［１］ベンゾピラノ［３，４−ｆ］キノリン、
２，５−ジヒドロ−１０−メトキシ−２，２，４−トリメチル−５−（１−メチルエチル）−１Ｈ−［１］ベンゾピラノ［３，４−ｆ］キノリン、
２，５−ジヒドロ−１０−メトキシ−２，２，４−トリメチル−５−（２−メチルプロピル）−１Ｈ−［１］ベンゾピラノ［３，４−ｆ］キノリン、
５−エチル−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−１Ｈ−［１］ベンゾピラノ［３，４−ｆ］キノリン−５−カルボキシイミド酸エチルエステル、
２，５−ジヒドロ−１０−メトキシ−２，２，４−トリメチル−（−メチレン−１Ｈ−［１］ベンゾピラノ［３，４−ｆ］キノリン−５−プロパノール、
２，５−ジヒドロ−１０−メトキシ−２，２，４，Ｎ，Ｎ−ペンタメチル−１Ｈ−［１］ベンゾピラノ［３，４−ｆ］キノリン−５−アセトアミド、
２，５−ジヒドロ−１０−メトキシ−２，２，４，Ｎ，Ｎ−ペンタメチル−１Ｈ−［１］ベンゾピラノ［３，４−ｆ］キノリン−５−エタンアミン、
Ｎ−シクロプロピル−２，５−ジヒドロ−１０−メトキシ−２，２，４−トリメチル−１Ｈ−［１］ベンゾピラノ［３，４−ｆ］キノリン−５−アセトアミド、
２，５−ジヒドロ−１０−メトキシ−２，２，４−トリメチル−５−（２−プロピニル）−１Ｈ−［１］ベンゾピラノ［３，４−ｆ］キノリン、
５−（２，５−ジヒドロ−１０−メトキシ−２，２，４−トリメチル−１Ｈ−［１］ベンゾピラノ［３，４−ｆ］キノリン−５−イル）−２（５Ｈ）−フラノン、
５−（３−ブテニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−１Ｈ−［１］ベンゾピラノ［３，４−ｆ］キノリン−５−プロパノール、
５−（３，５−ジクロロフェニル）−１０−エトキシ−２，５−ジヒドロ−２，２，４−トリメチル−１Ｈ−［１］ベンゾピラノ［３，４−ｆ］キノリン、
１０−（ブロモジフルオロメトキシ）−２，５−ジヒドロ−２，２，４−トリメチル−５−（２−プロペニル）−１Ｈ−［１］ベンゾピラノ［３，４−ｆ］キノリン、
［３−（２，５−ジヒドロ−１０−メトキシ−２，２，４−トリメチル−１Ｈ−［１］ベンゾピラノ［３，４−ｆ］キノリン−５−イル）フェニル］メチルカーボネート、
２，５−ジヒドロ−１０−メトキシ−５−（３−メトキシフェニル）−２，２，４−トリメチル−１Ｈ−［１］ベンゾピラノ［３，４−ｆ］キノリン、
２，５−ジヒドロ−１０−メトキシ−２，２，４−トリメチル−５−［３−（２−プロペニロキシ）フェニル］−１Ｈ−［１］ベンゾピラノ［３，４−ｆ］キノリン、
２，５−ジヒドロ−１０−メトキシ−２，２，４−トリメチル−５−［３−（フェニルメトキシ）フェニル］−１Ｈ−［１］ベンゾピラノ［３，４−ｆ］キノリン、
５−［３−（シクロプロピルメトキシ）フェニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−［２−（１−ピペリジニル）エトキシ］フェニル］−１Ｈ−［１］ベンゾピラノ［３，４−ｆ］キノリン、
５−（３−ヘキシロキシフェニル）−２，５−ジヒドロ−１０−メトキシ−２，２，４−トリメチル−１Ｈ−［１］ベンゾピラノ［３，４−ｆ］キノリン、
５−［３−（２，４−ジニトロフェノキシ）フェニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−（２−プロピニロキシ）フェニル］−１Ｈ−［１］ベンゾピラノ［３，４−ｆ］キノリン、
３−（２，５−ジヒドロ−１０−メトキシ−２，２，４−トリメチル−１Ｈ−［１］ベンゾピラノ［３，４−ｆ］キノリン−５−イル）フェノール−４−メチルベンゼンスルホネート（エステル）、
４−（２，５−ジヒドロ−１０−メトキシ−２，２，４−トリメチル−１Ｈ−［１］ベンゾピラノ［３，４−ｆ］キノリン−５−イル）フェノールアセテート（エステル）、
４−（２，５−ジヒドロ−１０−メトキシ−２，２，４−トリメチル−１Ｈ−［１］ベンゾピラノ［３，４−ｆ］キノリン−５−イル）フェノール、
２，５−ジヒドロ−１０−メトキシ−２，２，４−トリメチル−５−［［４−（メチルチオ）メトキシ］フェニル］−１Ｈ−［１］ベンゾピラノ［３，４−ｆ］キノリン、
［４−（２，５−ジヒドロ−１０−メトキシ−２，２，４−トリメチル−１Ｈ−［１］ベンゾピラノ［３，４−ｆ］キノリン−５−イル）フェニル］ジメチルカルバメート、
２，５−ジヒドロ−１０−メトキシ−２，２，４−トリメチル−５−［４−（フェニルメトキシ）フェニル］−１Ｈ−［１］ベンゾピラノ［３，４−ｆ］キノリン、
２，５−ジヒドロ−１０−メトキシ−２，２，４−トリメチル−５−［３−（メトキシメトキシ）フェニル］−１Ｈ−［１］ベンゾピラノ［３，４−ｆ］キノリン、
［（２，５−ジヒドロ−１０−メトキシ−２，２，４−トリメチル−１Ｈ−［１］ベンゾピラノ［３，４−ｆ］キノリン−５−イル）フェニル］１−モルホリンカルボキシレート、
２，５−ジヒドロ−１０−メトキシ−２，２，４−トリメチル−５−［３−［（メチルスルホニル）メトキシ］フェニル］−１Ｈ−［１］ベンゾピラノ［３，４−ｆ］キノリン、
Ｏ−［３−（２，５−ジヒドロ−１０−メトキシ−２，２，４−トリメチル−１Ｈ−［１］ベンゾピラノ［３，４−ｆ］キノリン−５−イル）フェニル］エステル、
２，５−ジヒドロ−１０−メトキシ−２，２，４−トリメチル−５−［３−（メチルチオ）フェニル］−１Ｈ−［１］ベンゾピラノ［３，４−ｆ］キノリン、
Ｏ−［３−（２，５−ジヒドロ−１０−メトキシ−２，２，４−トリメチル−１Ｈ−［１］ベンゾピラノ［３，４−ｆ］キノリン−５−イル）フェニル］メチルカルボノチオエート、
［３−（２，５−ジヒドロ−１０−メトキシ−２，２，４−トリメチル］−１Ｈ−［１］ベンゾピラノ［３，４−ｆ］キノリン−５−イル）フェニル］トリフルオロメタンスルホネート、
５−［３−（４，５−ジヒドロ−４，４−ジメチル−２−オキサゾリル）フェニル］−２，５−ジヒドロ−１０−メトキシ−２，２，４−トリメチル−１Ｈ−［１］ベンゾピラノ［３，４−ｆ］キノリン、
３−（２，５−ジヒドロ−１０−メトキシ−２，２，４−トリメチル−１Ｈ−［１］ベンゾピラノ［３，４−ｆ］キノリン−５−イル）安息香酸エチル、
３−（２，５−ジヒドロ−１０−メトキシ−２，２，４−トリメチル−１Ｈ−［１］ベンゾピラノ［３，４−ｆ］キノリン−５−イル）安息香酸、
２，５−ジヒドロ−１０−メトキシ−２，２，４−トリメチル−５−［３−メチル−５−（２−プロペニル）フェニル］−１Ｈ−［１］ベンゾピラノ［３，４−ｆ］キノリン、
１−［３−（２，５−ジヒドロ−１０−メトキシ−２，２，４−トリメチル−１Ｈ−［１］ベンゾピラノ［３，４−ｆ］キノリン−５−イル）−５−メチルフェニル］エタノン、
３−（２，５−ジヒドロ−１０−メトキシ−２，２，４−トリメチル−１Ｈ−［１］ベンゾピラノ［３，４−ｆ］キノリン−５−イル）−５−トリメチルベンゼンメタノール、
５−［３−（２−フラニル）フェニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−メチル−５−（１Ｈ−ピロリジン−１−イル）フェニル］−１Ｈ−［１］ベンゾピラノ［３，４−ｆ］キノリン、
３−（２，５−ジヒドロ−１０−メトキシ−２，２，４−トリメチル−１Ｈ−［１］ベンゾピラノ［３，４−ｆ］キノリン−５−メチル）−５，Ｎ−ジメチルベンゼンアミン、
３−（２，５−ジヒドロ−１０−メトキシ−２，２，４−トリメチル−１Ｈ−［１］ベンゾピラノ［３，４−ｆ］キノリン−５−イル）−５−メチル−Ｎ−（２−プロペニル）ベンズアミド、
３−（２，５−ジヒドロ−１０−メトキシ−２，２，４−トリメチル−１Ｈ−［１］ベンゾピラノ［３，４−ｆ］キノリン−５−イル）−Ｎ−（２−メトキシエチル）−５−メチルベンゼンアミン、
３−（２，５−ジヒドロ−１０−メトキシ−２，２，４−トリメチル−１Ｈ−［１］ベンゾピラノ［３，４−ｆ］キノリン−５−イル）−Ｎ−（２−プロペニル）ベンゼンアミン、
Ｎ’−［３−（２，５−ジヒドロ−１０−メトキシ−２，２，４−トリメチル−１Ｈ−［１］ベンゾピラノ［３，４−ｆ］キノリン−５−イル）−５−メチルフェニル］−Ｎ，Ｎ−ジメチルウレア、
Ｎ−［３−（２，５−ジヒドロ−１０−メトキシ−２，２，４−トリメチル−１Ｈ−［１］ベンゾピラノ［３，４−ｆ］キノリン−５−イル）フェニル］ベンゼンメタンアミン、
５−［（３，５−ジクロロフェニル）メチレン］−２，５−ジヒドロ−１０−メトキシ−２，２，４−トリメチル−１Ｈ−［１］ベンゾピラノ［３，４−ｆ］キノリン、
５−［（４−クロロフェニル）メチレン］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［［３−（トリフルオロメチル）フェニル］メチレン］−１Ｈ−［１］ベンゾピラノ［３，４−ｆ］キノリン、
５−［（２，６−ジフルオロフェニル）メチレン］−２，５−ジヒドロ−１０−メトキシ−２，２，４−トリメチル−１Ｈ−［１］ベンゾピラノ［３，４−ｆ］キノリン、
５−［（２−クロロフェニル）メチレン］−２，５−ジヒドロ−１０−メトキシ−２，２，４−トリメチル−１Ｈ−［１］ベンゾピラノ［３，４−ｆ］キノリン、
５−［（２，６−ジクロロフェニル）メチレン］−２，５−ジヒドロ−１０−メトキシ−２，２，４−トリメチル−１Ｈ−［１］ベンゾピラノ［３，４−ｆ］キノリン、
５−［（２−フルオロフェニル）メチレン］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［（４，５−ジヒドロ−４，４−ジメチル−２−オキサゾリル）メチレン］−１Ｈ−［１］ベンゾピラノ［３，４−ｆ］キノリン、
２，５−ジヒドロ−１０−メトキシ−２，２，４−トリメチル−５−（２−ピリジニルメチレン）−１Ｈ−［１］ベンゾピラノ［３，４−ｆ］キノリン、
２，５−ジヒドロ−１０−メトキシ−２，２，４−トリメチル−５−（２−チエニル）−１Ｈ−［１］ベンゾピラノ［３，４−ｆ］キノリン、
２，５−ジヒドロ−９，１０−メトキシ−２，２，４−トリメチル−５−（２−プロペニル）−１Ｈ−［１］ベンゾピラノ［３，４−ｆ］キノリン、
５−（２−シクロヘキセン−１−イル）−２，５−ジヒドロ−９，１０−ジメトキシ−２，２，４−トリメチル−１Ｈ−［１］ベンゾピラノ［３，４−ｆ］キノリン、
２，５−ジヒドロ−１０−メトキシ−５−（３−メチル−３−ブテニル）−２，２，４−トリメチル−１Ｈ−［１］ベンゾピラノ［３，４−ｆ］キノリン、
２，５−ジヒドロ−１０−メトキシ−５−（５，５−ジメチル−３−シクロヘキセニル）−２，２，４−トリメチル−１Ｈ−［１］ベンゾピラノ［３，４−ｆ］キノリン、
ｒｅｌ（５Ｒ，２’Ｒ）２，５−ジヒドロ−１０−メトキシ−５−（２−オキソ−３−テトラヒドロピラニル）−２，２，４−トリメチル−１Ｈ−［１］ベンゾピラノ［３，４−ｆ］キノリン、
ａｎｔｉ（５Ｒ，２’Ｒ）２，５−ジヒドロ−１０−メトキシ−５−（２−オキソ−３−テトラヒドロピラニル）−２，２，４−トリメチル−１Ｈ−［１］ベンゾピラノ［３，４−ｆ］キノリン、
２，５−ジヒドロ−１０−メトキシ−５−（３−シクロペンテニル）−２，２，４−トリメチル−１Ｈ−［１］ベンゾピラノ［３，４−ｆ］キノリン、
２，５−ジヒドロ−１０−メトキシ−５−（３−シクロヘキセニル）−２，２，４−トリメチル−１Ｈ−［１］ベンゾピラノ［３，４−ｆ］キノリン、
２，５−ジヒドロ−１０−メトキシ−５−（３−ブテニル）−２，２，４−トリメチル−１Ｈ−［１］ベンゾピラノ［３，４−ｆ］キノリン、
２，５−ジヒドロ−１０−メトキシ−５−（１−エテニル−１−シクロヘキセニル）−２，２，４−トリメチル−１Ｈ−［１］ベンゾピラノ［３，４−ｆ］キノリン、
２，５−ジヒドロ−１０−メトキシ−５−（４，４−ジメチル−３−シクロヘキセニル）−２，２，４−トリメチル−１Ｈ−［１］ベンゾピラノ［３，４−ｆ］キノリン、
２，５−ジヒドロ−１０−メトキシ−５−（１−メチレン−２−シクロヘキシル）−２，２，４−トリメチル−１Ｈ−［１］ベンゾピラノ［３，４−ｆ］キノリン、
２，５−ジヒドロ−１０−メトキシ−５−（１−オキソ−２−シクロヘキセニル）−２，２，４−トリメチル−１Ｈ−［１］ベンゾピラノ［３，４−ｆ］キノリン、
２，５−ジヒドロ−１０−メトキシ−５−（３−シクロオクテニル）−２，２，４−トリメチル−１Ｈ−［１］ベンゾピラノ［３，４−ｆ］キノリン、
２，５−ジヒドロ−１０−メトキシ−５−（３−シクロヘプテニル）−２，２，４−トリメチル−１Ｈ−［１］ベンゾピラノ［３，４−ｆ］キノリン、
２，５−ジヒドロ−１０−メトキシ−５−（１−シクロヘキセニルメチル）−２，２，４−トリメチル−１Ｈ−［１］ベンゾピラノ［３，４−ｆ］キノリン、
２，５−ジヒドロ−１０−メトキシ−５−（３，３−ジメチル−６−シクロヘキセニル）−２，２，４−トリメチル−１Ｈ−［１］ベンゾピラノ［３，４−ｆ］キノリン、
２，５−ジヒドロ−１０−メトキシ−５−（２−ブロモ−３−プロペニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−ヒドロキシメチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−ヒドロキシメチル−３−シクロヘキセニル）−２，２，４−トリメチル−１Ｈ−［１］ベンゾピラノ［３，４−ｆ］キノリン、
２，５−ジヒドロ−１０−メトキシ−５−（３−ヒドロキシメチル−３−シクロヘキセニル）−２，２，４−トリメチル−１Ｈ−［１］ベンゾピラノ［３，４−ｆ］キノリン、
２，５−ジヒドロ−１０−メトキシ−５−（３−インドリル）−２，２，４−トリメチル−１Ｈ−［１］ベンゾピラノ［３，４−ｆ］キノリン、
ｒｅｌ（５Ｓ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
（−）（５Ｓ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
（−）（５Ｓ，３’Ｓ）２，５−ジヒドロ−１０−メトキシ−５−（１−ヒドロキシメチル−３−シクロヘキセニル）−２，２，４−トリメチル−１Ｈ−［１］ベンゾピラノ［３，４−ｆ］キノリン、
（＋）（５Ｒ，３’Ｓ）２，５−ジヒドロ−１０−メトキシ−５−（１−ヒドロキシメチル−３−シクロヘキセニル）−２，２，４−トリメチル−１Ｈ−［１］ベンゾピラノ［３，４−ｆ］キノリン、
（−）（５Ｓ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
（＋）（５Ｒ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
２，５−ジヒドロ−１０−メトキシ−５−（１−クロロメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−メトキシメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−メチルチオメチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−アセトキシメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−アセトキシメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−メトキシメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−（Ｎ，Ｎ−ジメリルアミノ）メチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−メチルチオメチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−（Ｎ−モルホリノ）メチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−（Ｎ−メチル−Ｎ−メチルスルホニルアミノ）メチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−（Ｎ，Ｎジメチルアミノ）メチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−（Ｎ−メチルアミノ）メチル−３−シクロヘキセニル）−２，２，４−トリメチル−１Ｈ−［１］ベンゾピラノ［３，４−ｆ］キノリン、
２，５−ジヒドロ−１０−メトキシ−５−（２−メチル−３−プロペニル）−２，２，４−トリメチル−１Ｈ−［１］ベンゾピラノ［３，４−ｆ］キノリン、
２，５−ジヒドロ−１０−メトキシ−５−（１，３−ブタジエン−２−イル）−２，２，４−トリメチル−１Ｈ−［１］ベンゾピラノ［３，４−ｆ］キノリン、
２，５−ジヒドロ−１０−メトキシ−５−（２−カルボメトキシ−３−プロペニル）−２，２，４−トリメチル−１Ｈ−［１］ベンゾピラノ［３，４−ｆ］キノリン、
２，５−ジヒドロ−１０−メトキシ−５−（１，２−ジヒドロキシ−３−プロピル）−２，２，４−トリメチル−１Ｈ−［１］ベンゾピラノ［３，４−ｆ］キノリン、
２，５−ジヒドロ−１０−メトキシ−５−（１，２−エポキシ−３−プロペニル）−２，２，４−トリメチル−１Ｈ−［１］ベンゾピラノ［３，４−ｆ］キノリン、
２，５−ジヒドロ−１０−メトキシ−５−（１−（Ｎ−フタルイミド−３−プロピル）−２，２，４−トリメチル−１Ｈ−［１］ベンゾピラノ［３，４−ｆ］キノリン、
２，５−ジヒドロ−１０−メトキシ−５−（１−アミノ−３−プロピル）−２，２，４−トリメチル−１Ｈ−［１］ベンゾピラノ［３，４−ｆ］キノリン、
２，５−ジヒドロ−１０−メトキシ−５−（１−（ヒドロキシカルボニルアミノ）−３−プロピル）−２，２，４−トリメチル−１Ｈ−［１］ベンゾピラノ［３，４−ｆ］キノリン、
（Ｅ）２，５−ジヒドロ−１０−メトキシ−５−（２−カルボメトキシ−１−エテニル）−２，２，４−トリメチル−１Ｈ−［１］ベンゾピラノ［３，４−ｆ］キノリン、
（Ｚ）−２，５−ジヒドロ−１０−メトキシ−５−（１−プロペニル）−２，２，４−トリメチル−１Ｈ−［１］ベンゾピラノ［３，４−ｆ］キノリン、
（Ｅ）２，５−ジヒドロ−１０−メトキシ−５−（３−ヒドロキシ−１−プロペニル）−２，２，４−トリメチル−１Ｈ−［１］ベンゾピラノ［３，４−ｆ］キノリン、
（Ｅ）２，５−ジヒドロ−１０−メトキシ−５−（３−（Ｎ，Ｎ−ジメチルアミノカルボニロキシ）−１−プロペニル）−２，２，４−トリメチル−１Ｈ−［１］ベンゾピラノ［３，４−ｆ］キノリン、
（Ｅ）２，５−ジヒドロ−１０−メトキシ−５−（３−メトキシメトキシ−１−プロペニル）−２，２，４−トリメチル−１Ｈ−［１］ベンゾピラノ［３，４−ｆ］キノリン、
２，５−ジヒドロ−１０−メトキシ−５−（３−ヒドロキシ−３−プロペニル）−２，２，４−トリメチル−１Ｈ−［１］ベンゾピラノ［３，４−ｆ］キノリン、
２−（２，５−ジヒドロ−１０−メトキシ−２，２，４−トリメチル−１Ｈ−［１］ベンゾピラノ［３，４−ｆ］キノリン−５−イル）アセチルヒドロキサム酸メチル、
２−（２，５−ジヒドロ−１０−メトキシ−２，２，４−トリメチル−１Ｈ−［１］ベンゾピラノ［３，４−ｆ］キノリン−５−イル）アセトアルデヒド、
２，５−ジヒドロ−１０−メトキシ−５−（２−シクロヘキシリデニルエチル）−２，２，４−トリメチル−１Ｈ−［１］ベンゾピラノ［３，４−ｆ］キノリン、
２，５−ジヒドロ−１０−メトキシ−５−（２−シクロペンチリデニルエチル）−２，２，４−トリメチル−１Ｈ−［１］ベンゾピラノ［３，４−ｆ］キノリン、
２，５−ジヒドロ−１０−メトキシ−５−（２−シクロヘプチリデニルエチル）−２，２，４−トリメチル−１Ｈ−［１］ベンゾピラノ［３，４−ｆ］キノリン、
２，５−ジヒドロ−１０−メトキシ−５−（３−メチル−２−ブテニル）−２，２，４−トリメチル−１Ｈ−［１］ベンゾピラノ［３，４−ｆ］キノリン、
トランス２，５−ジヒドロ−１０−メトキシ−５−（２−ブテニル）−２，２，４−トリメチル−１Ｈ−［１］ベンゾピラノ［３，４−ｆ］キノリン、
トランス２，５−ジヒドロ−１０−メトキシ−５−（２−ペンテン−１−イル）−２，２，４−トリメチル−１Ｈ−［１］ベンゾピラノ［３，４−ｆ］キノリン、
２，５−ジヒドロ−１０−メトキシ−５−（１，１−ジフルオロ−１−ペンテン−３−イル）−２，２，４−トリメチル−１Ｈ−［１］ベンゾピラノ［３，４−ｆ］キノリン、
（Ｅ）メチル  ２−（２，５−ジヒドロ−１０−メトキシ−２，２，４−トリメチル−１Ｈ−［１］ベンゾピラノ［３，４−ｆ］キノリン−５−イル）２−ブテノエート、
（Ｅ）２，５−ジヒドロ−１０−メトキシ−５−（４−ヒドロキシ−２−ブテン−１−イル）−２，２，４−トリメチル−１Ｈ−［１］ベンゾピラノ［３，４−ｆ］キノリン、
（Ｅ）２，５−ジヒドロ−１０−メトキシ−５−（４−Ｎ，Ｎ−ジメチルアミノカルボニロキシ）−２−ブテン−１−イル）−２，２，４−トリメチル−１Ｈ−［１］ベンゾピラノ［３，４−ｆ］キノリン、
（Ｅ）２，５−ジヒドロ−１０−メトキシ−５−（４−Ｎ−メチルアミノカルボニロキシ）−２−ブテン−１−イル）−２，２，４−トリメチル−１Ｈ−［１］ベンゾピラノ［３，４−ｆ］キノリン、
（Ｅ）２，５−ジヒドロ−１０−メトキシ−５−（２−ブテニル）−２，２，４−トリメチル−１Ｈ−［１］ベンゾピラノ［３，４−ｆ］キノリン、
２，５−ジヒドロ−１０−メトキシ−５−（２−ヒドロキシエチル）−２，２，４−トリメチル−１Ｈ−［１］ベンゾピラノ［３，４−ｆ］キノリン、
２，５−ジヒドロ−１０−メトキシ−５−（２−（Ｎ−ベンジルカルボニロキシ）エチル）−２，２，４−トリメチル−１Ｈ−［１］ベンゾピラノ［３，４−ｆ］キノリン、
２，５−ジヒドロ−１０−メトキシ−５−（２−（Ｎ−モルホリンカルボニロキシ）エチル）−２，２，４−トリメチル−１Ｈ−［１］ベンゾピラノ［３，４−ｆ］キノリン、
２，５−ジヒドロ−１０−メトキシ−５−（２−（Ｎ−（２−メトキシエチル）アミノカルボニロキシ）エチル）−２，２，４−トリメチル−１Ｈ−［１］ベンゾピラノ［３，４−ｆ］キノリン、
２，５−ジヒドロ−１０−メトキシ−５−（２−（Ｎ−メチルアミノカルボニロキシ）エチル）−２，２，４−トリメチル−１Ｈ−［１］ベンゾピラノ［３，４−ｆ］キノリン、
２，５−ジヒドロ−１０−メトキシ−５−（２−（Ｎ，Ｎ−ジメチルアミノカルボニロキシ）エチル）−２，２，４−トリメチル−１Ｈ−［１］ベンゾピラノ［３，４−ｆ］キノリン、
２，５−ジヒドロ−１０−メトキシ−５−（２−メトキシメトキシエチル）−２，２，４−トリメチル−１Ｈ−［１］ベンゾピラノ［３，４−ｆ］キノリン、
２，５−ジヒドロ−１０−メトキシ−５−（２，２−ジメチルエトキシカルボニルアミノ）メチル）−２，２，４−トリメチル−１Ｈ−［１］ベンゾピラノ［３，４−ｆ］キノリン、
２，５−ジヒドロ−１０−メトキシ−５−（アミノメチル）−２，２，４−トリメチル−１Ｈ−［１］ベンゾピラノ［３，４−ｆ］キノリン、
２，５−ジヒドロ−１０−メトキシ−５−（エトキシカルボニルアミノ）メチル）−２，２，４−トリメチル−１Ｈ−［１］ベンゾピラノ［３，４−ｆ］キノリン、
２，５−ジヒドロ−１０−メトキシ−５−（カルボエトキシ）−２，２，４−トリメチル−１Ｈ−［１］ベンゾピラノ［３，４−ｆ］キノリン、
２，５−ジヒドロ−１０−メトキシ−５−（シクロペンチル）−２，２，４−トリメチル−１Ｈ−［１］ベンゾピラノ［３，４−ｆ］キノリン、
２，５−ジヒドロ−１０−メトキシ−５−（１−メチルプロパ−１，２−ジエニル）−２，２，４−トリメチル−１Ｈ−［１］ベンゾピラノ［３，４−ｆ］キノリン、
２，５−ジヒドロ−１０−メトキシ−５−（３，４，５−トリフルオロフェニル）−２，２，４−トリメチル−１Ｈ−［１］ベンゾピラノ［３，４−ｆ］キノリン、
２，５−ジヒドロ−１０−メトキシ−５−（シクロヘキシル）−２，２，４−トリメチル−１Ｈ−［１］ベンゾピラノ［３，４−ｆ］キノリン、
２，５−ジヒドロ−１０−メトキシ−５−（２−ピリジル）−２，２，４−トリメチル−１Ｈ−［１］ベンゾピラノ［３，４−ｆ］キノリン、
２，５−ジヒドロ−１０−メトキシ−５−（３−ピリジル）−２，２，４−トリメチル−１Ｈ−［１］ベンゾピラノ［３，４−ｆ］キノリン、
２，５−ジヒドロ−１０−メトキシ−５−（４−ピリジル）−２，２，４−トリメチル−１Ｈ−［１］ベンゾピラノ［３，４−ｆ］キノリン、
９，１０−メチレンジオキシ−５−フェニル−２，２，４−トリメチル−１Ｈ−２，５−ジヒドロ−［１］ベンゾピラノ［３，４−ｆ］キノリン、
５−（３−プロペニル）−９−クロロ−１０−エテニル−２，２，４−トリメチル−２，５−ジヒドロ−１Ｈ−［１］ベンゾピラノ［３，４−ｆ］キノリン、
９−クロロ−１０−メトキシ−５−フェニル−２，２，４−トリメチル−２，５−ジヒドロ−１Ｈ−［１］ベンゾピラノ［３，４−ｆ］キノリン、
５−（３−プロペニル）−９−クロロ−１０−ジフルオロメトキシ−２，２，４−トリメチル−２，５−ジヒドロ−１Ｈ−［１］ベンゾピラノ［３，４−ｆ］キノリン、
９−クロロ−１０−ジフルオロメトキシ−５−フェニル−２，２，４−トリメチル−２，５−ジヒドロ−１Ｈ−［１］ベンゾピラノ［３，４−ｆ］キノリン、
８−フルオロ−１０−メトキシ−５−フェニル−２，２，４−トリメチル−２，５−ジヒドロ−１Ｈ−［１］ベンゾピラノ［３，４−ｆ］キノリン、
５−（３−プロペニル）−８−フルオロ−１０−メトキシ−２，２，４−トリメチル−２，５−ジヒドロ−１Ｈ−［１］ベンゾピラノ［３，４−ｆ］キノリン、
１０−メトキシ−９−フルオロ−５−（３−プロペニル）−２，２，４−トリメチル−１Ｈ−２，５−ジヒドロ−［１］ベンゾピラノ［３，４−ｆ］キノリン、
１０−メトキシ−９−ヒドロキシ−５−（３−プロペニル）−２，２，４−トリメチル−１Ｈ−２，５−ジヒドロ−［１］ベンゾピラノ［３，４−ｆ］キノリン、
（＋／−）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
（＋／−）２，５−ジヒドロ−９−ヒドロキシ−１０−メトキシ−２，２，４−トリメチル−５−（１−メチルシクロヘキセン−３−イル）−１Ｈ−［１］ベンゾピラノ［３，４−ｆ］キノリン、
（−）（５Ｓ，３’Ｓ）−９−ヒドロキシ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
（＋）（５Ｒ，３’Ｒ）−９−ヒドロキシ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
（＋）（５Ｒ，３’Ｓ）−９−ヒドロキシ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
（−）（５Ｓ，３’Ｒ）−９−ヒドロキシ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
ｒｅｌ−（５Ｓ，３’Ｒ）−９−ヒドロキシ−５−［１−ヒドロキシメチル−３−シクロヘキセニル］−１０−メトキシ−２，２，４−トリメチル−２，５−ジヒドロ−１Ｈ−［１］ベンゾピラノ［３，４−ｆ］キノリン、
（＋／−）（５Ｓ，３’Ｒ）２，５−ジヒドロ−９−ヒドロキシ−１０−メトキシ−２，２，４−トリメチル−５−（１−メチルシクロヘキセン−３−イル）−１Ｈ−［１］ベンゾピラノ［３，４−ｆ］キノリン、
ｒｅｌ−（５Ｓ，３’Ｒ）−９−ヒドロキシ−５−［１−メトキシメチル−３−シクロヘキセニル］−１０−メトキシ−２，２，４−トリメチル−２，５−ジヒドロ−１Ｈ−［１］ベンゾピラノ［３，４−ｆ］キノリン、
２，５−ジヒドロ−９−ヒドロキシ−１０−メトキシ−５−プロピル−２，２，４−トリメチル−１Ｈ−［１］ベンゾピラノ［３，４−ｆ］キノリン、
（−）（５Ｓ，３’Ｓ）２，５−ジヒドロ−９−ヒドロキシ−１０−メトキシ−２，２，４−トリメチル−５−（３−シクロヘプテニル）−１Ｈ−［１］ベンゾピラノ［３，４−ｆ］キノリン、
（−）（５Ｓ，３’Ｒ）２，５−ジヒドロ−９−ヒドロキシ−１０−メトキシ−２，２，４−トリメチル−５−（３−シクロヘプテニル）−１Ｈ−［１］ベンゾピラノ［３，４−ｆ］キノリン、
２，５−ジヒドロ−９−ヒドロキシ−１０−メトキシ−２，２，４−トリメチル−５−フェニル−１Ｈ−［１］ベンゾピラノ［３，４−ｆ］キノリン、
２，５−ジヒドロ−９−ヒドロキシ−１０−メトキシ−２，２，４−トリメチル−５−（３，５−ジフルオロフェニル）−１Ｈ−［１］ベンゾピラノ［３，４−ｆ］キノリン、
２，５−ジヒドロ−９−ヒドロキシ−１０−メトキシ−２，２，４−トリメチル−５−（３，４，５−トリフルオロフェニル）−１Ｈ−［１］ベンゾピラノ［３，４−ｆ］キノリン、
５−ブチル−２，５−ジヒドロ−９−ヒドロキシ−１０−メトキシ−２，２，４−トリメチル−１Ｈ−［１］ベンゾピラノ［３，４−ｆ］キノリン、
（−）（５Ｓ，３’Ｓ）２，５−ジヒドロ−９−ヒドロキシ−１０−メトキシ−２，２，４−トリメチル−５−（３−シクロペンテニル）−１Ｈ−［１］ベンゾピラノ［３，４−ｆ］キノリン、
（−）（５Ｓ，３’Ｒ）２，５−ジヒドロ−９−ヒドロキシ−１０−メトキシ−２，２，４−トリメチル−５−（３−シクロペンテニル）−１Ｈ−［１］ベンゾピラノ［３，４−ｆ］キノリン、
２，５−ジヒドロ−９−ヒドロキシ−１０−メトキシ−２，２，４−トリメチル−５−（３，４−ジフルオロフェニル）−１Ｈ−［１］ベンゾピラノ［３，４−ｆ］キノリン、
２，５−ジヒドロ−９−ヒドロキシ−１０−メトキシ−２，２，４−トリメチル−５−（４−フルオロフェニル）−１Ｈ−［１］ベンゾピラノ［３，４−ｆ］キノリン、
２，５−ジヒドロ−９−ヒドロキシ−１０−メトキシ−２，２，４−トリメチル−５−（３−トリフルオロメチルフェニル）−１Ｈ−［１］ベンゾピラノ［３，４−ｆ］キノリン、
２，５−ジヒドロ−９−ヒドロキシ−１０−メトキシ−２，２，４−トリメチル−５−（３，５−ビストリフルオロメチルフェニル）−１Ｈ−［１］ベンゾピラノ［３，４−ｆ］キノリン、
２，５−ジヒドロ−９−ヒドロキシ−１０−メトキシ−２，２，４−トリメチル−５−（３−トリフルオロメチルフェニル−４−クロロフェニル）−１Ｈ−［１］ベンゾピラノ［３，４−ｆ］キノリン、
２，５−ジヒドロ−９−ヒドロキシ−１０−メトキシ−２，２，４−トリメチル−５−（２−メチルプロピル）−１Ｈ−［１］ベンゾピラノ［３，４−ｆ］キノリン、
２，５−ジヒドロ−９−ヒドロキシ−１０−メトキシ−２，２，４−トリメチル−５−（３−フルオロ−４−クロロフェニル）−１Ｈ−［１］ベンゾピラノ［３，４−ｆ］キノリン、
２，５−ジヒドロ−９−ヒドロキシ−１０−メトキシ−２，２，４−トリメチル−５−（３−ブテニル）−１Ｈ−［１］ベンゾピラノ［３，４−ｆ］キノリン、
２，５−ジヒドロ−９−ヒドロキシ−１０−メトキシ−５−（フェニルメチル）−２，２，４−トリメチル−１Ｈ−［１］ベンゾピラノ［３，４−ｆ］キノリン、
（−）（５Ｓ，３’Ｒ）２，５−ジヒドロ−９−ヒドロキシ−１０−メトキシ−２，２，４−トリメチル−５−［１−エチル−３−シクロヘキセニル］−１Ｈ−［１］ベンゾピラノ［３，４−ｆ］キノリン、
（−）（Ｓ）５−シクロペンチル−２，５−ジヒドロ−９−ヒドロキシ−１０−メトキシ−２，２，４−トリメチル−１Ｈ−［１］ベンゾピラノ［３，４−ｆ］キノリン、
（＋）（Ｒ）５−シクロペンチル−２，５−ジヒドロ−９−ヒドロキシ−１０−メトキシ−２，２，４−トリメチル−１Ｈ−［１］ベンゾピラノ［３，４−ｆ］キノリン、
２，５−ジヒドロ−９−ヒドロキシ−１０−メトキシ−５−（３−プロピニル）−２，２，４−トリメチル−１Ｈ−［１］ベンゾピラノ［３，４−ｆ］キノリン、
２，５−ジヒドロ−９−ヒドロキシ−１０−メトキシ−２，２，４−トリメチル−５−（２−プロピル）−１Ｈ−［１］ベンゾピラノ［３，４−ｆ］キノリン、
２，５−ジヒドロ−９−ヒドロキシ−１０−メトキシ−２，２，４−トリメチル−５−（５−メトキシ−２−チエニル）−１Ｈ−［１］ベンゾピラノ［３，４−ｆ］キノリン、
（±）２，５−ジヒドロ−９−ヒドロキシ−１０−メトキシ−２，２，４−トリメチル−５−（２，３，４，５，６−ペンタフルオロフェニル）−１Ｈ−［１］ベンゾピラノ［３，４−ｆ］キノリン、
（＋／−）２，５−ジヒドロ−９−ヒドロキシ−１０−メトキシ−２，２，４−トリメチル−５（Ｓ）−（３（Ｓ）−１−ヒドロキシメチルシクロペンテン−３−イル）−１Ｈ−［１］ベンゾピラノ［３，４−ｆ］キノリン、
（＋／−）２，５−ジヒドロ−９−ヒドロキシ−１０−メトキシ−２，２，４−トリメチル−５（Ｓ）−（３（Ｓ）−１−メチルカルボキシレートシクロペンテン−３−イル）−１Ｈ−［１］ベンゾピラノ［３，４−ｆ］キノリン、
（−）（５Ｓ，３’Ｓ）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
（−）（５Ｓ，３’Ｒ）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
２，５−ジヒドロ−９−ヒドロキシ−１０−メトキシ−２，２，４−トリメチル−５−（２−チエニル）−１Ｈ−［１］ベンゾピラノ［３，４−ｆ］キノリン、
（±）２，５−ジヒドロ−９−ヒドロキシ−１０−メトキシ−２，２，４−トリメチル−５−（２−メチルフェニル）−１Ｈ−［１］ベンゾピラノ［３，４−ｆ］キノリン、
２，５−ジヒドロ−９−ヒドロキシ−１０−メトキシ−２，２，４−トリメチル−５−（２−アセトキシメチル−３−プロペニル）−１Ｈ−［１］ベンゾピラノ［３，４−ｆ］キノリン、
（＋）（５Ｒ，３’Ｓ）２，５−ジヒドロ−９−ヒドロキシ−１０−メトキシ−２，２，４−トリメチル−５−［１−エチル−３−シクロヘキセニル］−１Ｈ−［１］ベンゾピラノ［３，４−ｆ］キノリン、
２，５−ジヒドロ−９−ヒドロキシ−１０−メトキシ−２，２，４−トリメチル−５−シクロヘキセニル−１Ｈ−［１］ベンゾピラノ［３，４−ｆ］キノリン、
２，５，５−トリヒドロ−９−ヒドロキシ−１０−メトキシ−２，２，４−トリメチル−１Ｈ−［１］ベンゾピラノ［３，４−ｆ］キノリン、
２，５−ジヒドロ−９−ヒドロキシ−１０−メトキシ−２，２，４−トリメチル−５−（２−ヒドロキシメチル−３−プロペニル）−１Ｈ−［１］ベンゾピラノ［３，４−ｆ］キノリン、
メチル  ２−［２，５−ジヒドロ−９−ヒドロキシ−１０−メトキシ−２，２，４−トリメチル−１Ｈ−［１］ベンゾピラノ［３，４−ｆ］−５−キノリニル］アセテート、
（Ｚ）２，５−ジヒドロ−９−ヒドロキシ−１０−メトキシ−２，２，４−トリメチル−５−（２−ブテニル）−１Ｈ−［１］ベンゾピラノ［３，４−ｆ］キノリン、
２，５−ジヒドロ−９−ヒドロキシ−１０−メトキシ−２，２，４−トリメチル−５−（３−メチル−２−ブテニル）−１Ｈ−［１］ベンゾピラノ［３，４−ｆ］キノリン、
（＋）（５Ｓ，３’Ｓ）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
（＋）（５Ｒ，３’Ｒ）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
（＋）（５Ｒ，３’Ｓ）２，５（Ｒ）−ジヒドロ−９−ヒドロキシ−１０−メトキシ−２，２，４−トリメチル−５−（３−シクロペンテニル）−１Ｈ−［１］ベンゾピラノ［３，４−ｆ］キノリン、
（＋）（５Ｒ，３’Ｒ）２，５（Ｒ）−ジヒドロ−９−ヒドロキシ−１０−メトキシ−２，２，４−トリメチル−５−（３−シクロペンテニル）−１Ｈ−［１］ベンゾピラノ［３，４−ｆ］キノリン、
ｒｅｌ−（５Ｓ）−９−ヒドロキシ−５−［（３Ｒ）−（１−メトキシカルボニル）シクロヘキセン−３−イル］−１０−メトキシ−２，２，４−トリメチル−２，５−ジヒドロ−１Ｈ−［１］ベンゾピラノ［３，４−ｆ］キノリン、
２，５−ジヒドロ−９−ヒドロキシ−１０−メトキシ−２，２，４−トリメチル−５−（２−メチル−３−プロペニル）−１Ｈ−［１］ベンゾピラノ［３，４−ｆ］キノリン、
９，１０−ジメトキシ−５−（３−プロペニル）−２，２，４−トリメチル−１Ｈ−２，５−ジヒドロ−［１］ベンゾピラノ［３，４−ｆ］キノリン、
９，１０−ジメトキシ−５−［３−シクロヘキセニル］−メトキシ−２，２，４−トリメチル−２，５−ジヒドロ−１Ｈ−［１］ベンゾピラノ［３，４−ｆ］キノリン、
１０−メトキシ−９−エトキシ−５−（３−プロペニル）−２，２，４−トリメチル−１Ｈ−２，５−ジヒドロ−［１］ベンゾピラノ［３，４−ｆ］キノリン、
１０−メトキシ−９−（３−プロペニロキシ）−５−（３−プロペニル）−２，２，４−トリメチル−１Ｈ−２，５−ジヒドロ−［１］ベンゾピラノ［３，４−ｆ］キノリン、
１０−メトキシ−９−（３−プロピニロキシ）−５−（３−プロペニル）−２，２，４−トリメチル−１Ｈ−２，５−ジヒドロ−［１］ベンゾピラノ［３，４−ｆ］キノリン、
２，５−ジヒドロ−９−アセトキシ−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−２，２，４−トリメチル−５−（２−プロペニル）−１Ｈ−［１］ベンゾピラノ［３，４−ｆ］キノリン、
７−ブロモ−５−［３−シクロヘキセニル］−１０−メトキシ−２，２，４−トリメチル−２，５−ジヒドロ−１Ｈ−［１］ベンゾピラノ［３，４−ｆ］キノリン、
１０−メトキシ−７−ブロモ−５−（３−プロペニル）−２，２，４−トリメチル−１Ｈ−２，５−ジヒドロ−［１］ベンゾピラノ［３，４−ｆ］キノリン、
７−ブロモ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
１０−メトキシ−９−ブロモ−５−（３−プロペニル）−２，２，４−トリメチル−１Ｈ−２，５−ジヒドロ−［１］ベンゾピラノ［３，４−ｆ］キノリン、
７，９−ジブロモ−１０−メトキシ−５−（３−プロペニル）−２，２，４−トリメチル−１Ｈ−２，５−ジヒドロ−［１］ベンゾピラノ［３，４−ｆ］キノリン、
７，９−ジブロモ−５−［シクロヘキセン−３−イル］−１０−メトキシ−２，２，４−トリメチル−２，５−ジヒドロ−１Ｈ−［１］ベンゾピラノ［３，４−ｆ］キノリン、
７，９−ジブロモ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
１０−メトキシ−７−（２−エテニル）−５−（３−プロペニル）−２，２，４−トリメチル−１Ｈ−２，５−ジヒドロ−［１］ベンゾピラノ［３，４−ｆ］キノリン、
１０−メトキシ−７−メチル−５−（３−プロペニル）−２，２，４−トリメチル−１Ｈ−２，５−ジヒドロ−［１］ベンゾピラノ［３，４−ｆ］キノリン、
１０−メトキシ−７−アセチル−５−（３−プロペニル）−２，２，４−トリメチル−１Ｈ−２，５−ジヒドロ−［１］ベンゾピラノ［３，４−ｆ］キノリン、
（＋／−）２，５−ジヒドロ−９−メチル−１０−メトキシ−２，２，４−トリメチル−５−（１−メチルシクロヘキセン−３−イル）−１Ｈ−［１］ベンゾピラノ［３，４−ｆ］キノリン、
１０−メトキシ−７−メチル−９−メチル−５−（３−プロペニル）−２，２，４−トリメチル−１Ｈ−２，５−ジヒドロ−［１］ベンゾピラノ［３，４−ｆ］キノリン、
２，５−ジヒドロ−１０−メトキシ−５−（３−（Ｎ−メチル−Ｎ−（カルボメトキシメチル）アミノカルボニロキシ）フェニル）−２，２，４−トリメチル−１Ｈ−［１］ベンゾピラノ［３，４−ｆ］キノリン、
２，５−ジヒドロ−１０−メトキシ−５−（３−（Ｎ−メチル−Ｎ−（Ｎ−メチルカルボニル）アミノカルボニロキシ）フェニル）−２，２，４−トリメチル−１Ｈ−［１］ベンゾピラノ［３，４−ｆ］キノリン、
２，５−ジヒドロ−１０−メトキシ−５−（３−（Ｎ−メチルアミノカルボニロキシ）フェニル）−２，２，４−トリメチル−１Ｈ−［１］ベンゾピラノ［３，４−ｆ］キノリン、
２，５−ジヒドロ−１０−メトキシ−５−（３−（２−ヒドロキシエチル）フェニル）−２，２，４−トリメチル−１Ｈ−［１］ベンゾピラノ［３，４−ｆ］キノリン、
２，５−ジヒドロ−１０−メトキシ−５−（３−（２−メタンスルホニロキシエチル）フェニル）−２，２，４−トリメチル−１Ｈ−［１］ベンゾピラノ［３，４−ｆ］キノリン、
２，５−ジヒドロ−１０−メトキシ−５−（３−（２−メチルチオエチル）フェニル）−２，２，４−トリメチル−１Ｈ−［１］ベンゾピラノ［３，４−ｆ］キノリン、
２，５−ジヒドロ−１０−メトキシ−５−（３−（２−（Ｎ，Ｎ−ジメチルアミノカルボニロキシ）エチル）フェニル）−２，２，４−トリメチル−１Ｈ−［１］ベンゾピラノ［３，４−ｆ］キノリン、
２，５−ジヒドロ−１０−メトキシ−５−（３−（２−（Ｎ，Ｎ−ジメチルアミノ）エチル）フェニル）−２，２，４−トリメチル−１Ｈ−［１］ベンゾピラノ［３，４−ｆ］キノリン、
２，５−ジヒドロ−１０−メトキシ−５−シクロプロピル−２，２，４−トリメチル−１Ｈ−［１］ベンゾピラノ［３，４−ｆ］キノリン、
２，５−ジヒドロ−１０−メトキシ−５−エテニル−２，２，４−トリメチル−１Ｈ−［１］ベンゾピラノ［３，４−ｆ］キノリン、
トランス２，５−ジヒドロ−１０−メトキシ−５−（２−フェニルエテニル）−２，２，４−トリメチル−１Ｈ−［１］ベンゾピラノ［３，４−ｆ］キノリン、
２，５−ジヒドロ−１０−メトキシ−５−（２−フェニルエチニル）−２，２，４−トリメチル−１Ｈ−［１］ベンゾピラノ［３，４−ｆ］キノリン、
シス２，５−ジヒドロ−１０−メトキシ−５−（２−フェニルエテニル）−２，２，４−トリメチル−１Ｈ−［１］ベンゾピラノ［３，４−ｆ］キノリン、
２，５−ジヒドロ−１０−メトキシ−５−（２−メチルプロペニル）−２，２，４−トリメチル−１Ｈ−［１］ベンゾピラノ［３，４−ｆ］キノリン、
トランス２，５−ジヒドロ−１０−メトキシ−５−（１−シクロヘキセニル）−２，２，４−トリメチル−１Ｈ−［１］ベンゾピラノ［３，４−ｆ］キノリン、
２，５−ジヒドロ−５−（３−プロペニル）−１０−メチルチオ−２，２，４−トリメチル−１Ｈ−［１］ベンゾピラノ［３，４−ｆ］キノリン、
２，５−ジヒドロ−５−（３−プロペニル）−１０−メチルチオ−２，２，４−トリメチル−１Ｈ−［１］ベンゾピラノ［３，４−ｆ］キノリン、
（＋／−）２，５−ジヒドロ−９−（４−アセトアミドブタノイロキシ）１０−メトキシ−２，２，４−トリメチル−５−アリル−１Ｈ−［１］ベンゾピラノ［３，４−ｆ］キノリン、
１０−（ジフルオロメトキシ）−２，５−ジヒドロ−５−フェニル−２，２，４−トリメチル−１Ｈ−［１］ベンゾピラノ［３，４−ｆ］キノリン、
１０−（ブロモジフルオロメトキシ）−２，５−ジヒドロ−５−フェニル−２，２，４−トリメチル−１Ｈ−［１］ベンゾピラノ［３，４−ｆ］キノリン、
２，５−ジヒドロ−９−ヒドロキシ−１０−メトキシ−２，２，４−トリメチル−５−（（２−フルオロフェニル）メチル）−１Ｈ−［１］ベンゾピラノ［３，４−ｆ］キノリン、
１０−メトキシ−５−（５−メチルイソキサゾール−３−イル）メチリデン−２，５−ジヒドロ−５−フェニル−２，２，４−トリメチル−１Ｈ−［１］ベンゾピラノ［３，４−ｆ］キノリン、
１０−メトキシ−５−（３−メチルイソキサゾール−５−イル）メチリデン−２，５−ジヒドロ−５−フェニル−２，２，４−トリメチル−１Ｈ−［１］ベンゾピラノ［３，４−ｆ］キノリン、
１０−メトキシ−５−（４，５−ジメチル−１，３−オキサゾール−２−イル）メチリデン−２，５−ジヒドロ−５−フェニル−２，２，４−トリメチル−１Ｈ−［１］ベンゾピラノ［３，４−ｆ］キノリン、
１０−メトキシ−５−（６−クロロピリジン−２−イル）メチリデン−２，５−ジヒドロ−５−フェニル−２，２，４−トリメチル−１Ｈ−［１］ベンゾピラノ［３，４−ｆ］キノリン、
１０−メトキシ−５−（ピリジン−２−イル）メチリデン−２，５−ジヒドロ−５−フェニル−２，２，４−トリメチル−１Ｈ−［１］ベンゾピラノ［３，４−ｆ］キノリン、
１０−メトキシ−５−（ブト−３−エニリデン）−２，５−ジヒドロ−５−フェニル−２，２，４−トリメチル−１Ｈ−［１］ベンゾピラノ［３，４−ｆ］キノリン、
１０−メトキシ−５−（１−メチルプロピリデン）−２，５−ジヒドロ−５−フェニル−２，２，４−トリメチル−１Ｈ−［１］ベンゾピラノ［３，４−ｆ］キノリン、
１０−メトキシ−５−（１−ブチリデン）−２，５−ジヒドロ−５−フェニル−２，２，４−トリメチル−１Ｈ−［１］ベンゾピラノ［３，４−ｆ］キノリン、
Ｚ−５−（ベンジリデニル）−９−ヒドロキシ−１０−メトキシ−２，２，４−トリメチル−１Ｈ−２，５−ジヒドロ−［１］ベンゾピラノ［３，４−ｆ］キノリン、
Ｚ−５−（２，５−ジフルオロベンジリデニル）−９−ヒドロキシ−１０−メトキシ−２，２，４−トリメチル−１Ｈ−２，５−ジヒドロ−［１］ベンゾピラノ［３，４−ｆ］キノリン、
Ｚ−９−ヒドロキシ−１０−メトキシ−５−（２−ピコリニデニル）−２，２，  ４−トリメチル−２，５−ジヒドロ−１Ｈ−［１］ベンゾピラノ［３，４−ｆ］キノリン、
９−ヒドロキシ−１０−メトキシ−５−（３，５−ジフルオロフェニル）メチリデン−２，５−ジヒドロ−５−フェニル−２，２，４−トリメチル−１Ｈ−［１］ベンゾピラノ［３，４−ｆ］キノリン、
９−ヒドロキシ−１０−メトキシ−５−（３，４−ジフルオロフェニル）メチリデン−２，５−ジヒドロ−５−フェニル−２，２，４−トリメチル−１Ｈ−［１］ベンゾピラノ［３，４−ｆ］キノリン、
（Ｚ）９−ヒドロキシ−１０−メトキシ−５−（（４−フルオロフェニル）メチレン）−２，２，４−トリメチル−１Ｈ−２，５−ジヒドロ−［１］ベンゾピラノ［３，４−ｆ］キノリン、
（Ｚ）９−ヒドロキシ−１０−メトキシ−５−（［２，３−ジフルオロフェニル］メチレン）−２，２，４−トリメチル−１Ｈ−２，５−ジヒドロ−［１］ベンゾピラノ［３，４−ｆ］キノリン、
Ｚ−５−（３−フルオロベンジリデニル）−１０−メトキシ−９−ヒドロキシ−２，２，４−トリメチル−２，５−ジヒドロ−１Ｈ−［１］ベンゾピラノ［３，４−ｆ］キノリン、
９−ヒドロキシ−１０−メトキシ−５−エチル−２，２，４−トリメチル−２，５−ジヒドロ−１Ｈ−［１］ベンゾピラノ［３，４−ｆ］キノリン、
（＋／−）２，５−ジヒドロ−９−シアノメトキシ−１０−メトキシ−２，２，４−トリメチル−５−アリル−１Ｈ−［１］ベンゾピラノ［３，４−ｆ］キノリン、
２，５−ジヒドロ−９−（４−Ｎ，Ｎ−ジエチルアミノ−４−オキソ−ブタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ−ピペリジノ−４−オキソ−ブタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ−モルホリノ−４−オキソ−ブタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−２，２，４−トリメチル−５−（３，４，５−トリフルオロフェニル）−１Ｈ−［１］ベンゾピラノ［３，４−ｆ］キノリン、
２，５−ジヒドロ−９−ヒドロキシ−１０−メトキシ−２，２，４−トリメチル−５−（３，５−ジフルオロフェニルメチル）−１Ｈ−［１］ベンゾピラノ［３，４−ｆ］キノリン、
２，５−ジヒドロ−９−ヒドロキシ−１０−メトキシ−２，２，４−トリメチル−５−シクロペンチル−１Ｈ−［１］ベンゾピラノ［３，４−ｆ］キノリン、
２，５−ジヒドロ−９−ヒドロキシ−１０−メトキシ−２，２，４−トリメチル−５−（（２−フルオロフェニル）メチル）−１Ｈ−［１］ベンゾピラノ［３，４−ｆ］キノリン、
２，５−ジヒドロ−９−ヒドロキシメチル−１０−メトキシ−２，２，４−トリメチル−５−アリル−１Ｈ−［１］ベンゾピラノ［３，４−ｆ］キノリン、
２，５−ジヒドロ−９−ヒドロキシ−１０−メトキシ−２，２，４−トリメチル−５−（１−ペンテニル）−１Ｈ−［１］ベンゾピラノ［３，４−ｆ］キノリン、
２，５−ジヒドロ−９−メチルカルボキシレート−１０−メトキシ−２，２，４−トリメチル−５−アリル−１Ｈ−［１］ベンゾピラノ［３，４−ｆ］キノリン、
２，５−ジヒドロ−９−ヒドロキシ−１０−メトキシ−２，２，４−トリメチル−５−アレニル−１Ｈ−［１］ベンゾピラノ［３，４−ｆ］キノリン、
（−）（５Ｓ，３’Ｓ）２，５−ジヒドロ−１０−メトキシ−２，２，４−トリメチル−５−（シクロペンテン−３−イル）−１Ｈ−［１］ベンゾピラノ［３，４−ｆ］キノリン、
（−）（５Ｓ，３’Ｓ）２，５−ジヒドロ−１０−メトキシ−２，２，４−トリメチル−５−（シクロヘキセン−３−イル）−１Ｈ−［１］ベンゾピラノ［３，４−ｆ］キノリン、
（−）（５Ｓ，３’Ｒ）２，５−ジヒドロ−１０−メトキシ−２，２，４−トリメチル−５−（シクロヘキセン−３−イル）−１Ｈ−［１］ベンゾピラノ［３，４−ｆ］キノリン、
（−）（５Ｓ，３’Ｒ）２，５−ジヒドロ−１０−メトキシ−２，２，４−トリメチル−５−（シクロペンテン−３−イル）−１Ｈ−［１］ベンゾピラノ［３，４−ｆ］キノリン、
２，５−ジヒドロ−９−ヒドロキシ−１０−メトキシ−２，２，４−トリメチル−５−（３（Ｚ）−ペンテニル）−１Ｈ−［１］ベンゾピラノ［３，４−ｆ］キノリン、
２，５−ジヒドロ−９−ヒドロキシ−１０−メトキシ−２，２，４−トリメチル−５−（３−アセチルフェニル）−１Ｈ−［１］ベンゾピラノ［３，４−ｆ］キノリン、
１０−ジフルオロメトキシ−５−［［３−（メチルチオ）メトキシ］フェニル］−２，２，４−トリメチル−１Ｈ−２，５−ジヒドロ−［１］ベンゾピラノ［３，４−ｆ］キノリン、
２，５−ジヒドロ−９−ヒドロキシ−１０−メトキシ−２，２，４−トリメチル−５−（３−ヒドロキシフェニル）−１Ｈ−［１］ベンゾピラノ［３，４−ｆ］キノリン、
２，５−ジヒドロ−９−メチルチオメトキシ−１０−メトキシ−２，２，４−トリメチル−５−（３−メチルチオ）メトキシフェニル）−１Ｈ−［１］ベンゾピラノ［３，４−ｆ］キノリン、
２，５−ジヒドロ−９−ヒドロキシ−１０−メトキシ−２，２，４−トリメチル−５−（３−（メチルチオメトキシ）フェニル）−１Ｈ−［１］ベンゾピラノ［３，４−ｆ］キノリン、
２−５−ジヒドロ−９−Ｎ，Ｎ−ジメチルカルバモイロキシ−１０−メトキシ−２，２，４−トリメチル−５−（［２−Ｎ，Ｎ−ジメチチルカルバモイロキシ］フェニル−１Ｈ−［１］ベンゾピラノ［３，４−ｆ］キノリン、
９−ヒドロキシ−１０−メトキシ−５−（フェニルメチレン）−２，２，４−トリメチル−１Ｈ−２，５−ジヒドロ−［１］ベンゾピラノ［３，４−ｆ］キノリン、
９−ヒドロキシ−１０−メトキシ−５−（［３−フルオロフェニル）メチレン）−２，２，４−トリメチル−１Ｈ−２，５−ジヒドロ−［１］ベンゾピラノ［３，４−ｆ］キノリン、
ｒｅｌ−（５Ｓ）−９−ヒドロキシ−５−［（３Ｓ）−（１−メトキシカルボニル）シクロヘキセン−３−イル］−１０−メトキシ−２，２，４−トリメチル−２，５−ジヒドロ−１Ｈ−［１］ベンゾピラノ［３，４−ｆ］キノリン、
２，５−ジヒドロ−９−ヒドロキシ−１０−メトキシ−２，２，４−トリメチル−５−（３，５−ジクロロフェニル）−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−２，２，４−トリメチル−５−（１−メチルエチル）−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−５−（フェニルメチル）−２，２，４−トリメチル−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−２，２，４−トリメチル−５−（２−チエニル）−１Ｈ−［１］ベンゾピラノ［３，４−ｆ］キノリン、
２，５−ジヒドロ−９−（４−Ｎ，Ｎ−ジメチルアミノブタノイロキシ）−１０−メトキシ−２，２，４−トリメチル−５−（２−プロペニル）−１Ｈ−［１］ベンゾピラノ［３，４−ｆ］キノリン、
９−（２−エトキシ−２−オキソ−エチルアミノカルボニル）−オキシ−１０−メトキシ−５−（３−プロペニル）−２，２，４−トリメチル−１Ｈ−２，５−ジヒドロ−［１］ベンゾピラノ［３，４−ｆ］キノリン、
（＋／−）２，５−ジヒドロ−９−（３−アセトアミド−プロパノイロキシ）−１０−メトキシ−２，２，４−トリメチル−５−アリル−１Ｈ−［１］ベンゾピラノ［３，４−ｆ］キノリン、
９−ヒドロキシ−１０−メトキシ−５−（フェニルメチレン）−２，２，４−トリメチル−１Ｈ−２，５−ジヒドロ−［１］ベンゾピラノ［３，４−ｆ］キノリン、
９−（ジメチルアミノチオカルボニル）−オキシ−１０−メトキシ−５−（３−プロペニル）−２，２，４−トリメチル−１Ｈ−２，５−ジヒドロ−［１］ベンゾピラノ［３，４−ｆ］キノリン、
（＋／−）２，５−ジヒドロ−９−（Ｎ−カルバモイル−２−アミノアセトキシ）−１０−メトキシ−２，２，４−トリメチル−５−アリル−１Ｈ−［１］ベンゾピラノ［３，４−ｆ］キノリン、
（＋／−）２，５−ジヒドロ−９−（４−エトキシ−４−オキソ−ブトキシ）−１０−メトキシ−２，２，４−トリメチル−５−アリル−１Ｈ−［１］ベンゾピラノ［３，４−ｆ］キノリン、
（＋／−）２，５−ジヒドロ−９−（４−オキソ−ペンタノイロキシ）−１０−メトキシ−２，２，４−トリメチル−５−アリル−１Ｈ−［１］ベンゾピラノ［３，４−ｆ］キノリン、
２，５−ジヒドロ−９−メチルチオメトキシ−１０−メトキシ−２，２，４−トリメチル−５−アリル−１Ｈ−［１］ベンゾピラノ［３，４−ｆ］キノリン、
２，５−ジヒドロ−９−（４−Ｎ，Ｎ−ジエチルアミノ−４−オキソ−ペンタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ，Ｎ−ジメチルアミノ−４−オキソ−ペンタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ−ピペリジノ−４−オキソ−ペンタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ−モルホリノ−４−オキソ−ペンタノイロキシ）−１０−メトキシ−２，２，４−トリメチル−５−（２−プロペニル）−１Ｈ−［１］ベンゾピラノ［３，４−ｆ］キノリン、
（−）２，５−ジヒドロ−９−（４−Ｎ，Ｎ−ジメチルアミノ−４−オキソ−ブタノイロキシ）−１０−メトキシ−２，２，４−トリメチル−５（Ｓ）−（３（Ｓ）−１−シクロペンテン−３−イル）−１Ｈ−［１］ベンゾピラノ［３，４−ｆ］キノリン、
１０−メトキシ−９−（アリルアミノカルボニル）オキシ−５−（３−プロペニル）−２，２，４−トリメチル−１Ｈ−２，５−ジヒドロ−［１］ベンゾピラノ［３，４−ｆ］キノリン、
１０−メトキシ−９−（シクロヘキシルアミノカルボニル）−オキシ−５−（３−プロペニル）−２，２，４−トリメチル−１Ｈ−２，５−ジヒドロ−［１］ベンゾピラノ［３，４−ｆ］キノリン、
２，５−ジヒドロ−９−ヒドロキシ−１０−メトキシ−２，２，４−トリメチル−５−（３−チエニル）−１Ｈ−［１］ベンゾピラノ［３，４−ｆ］キノリン、および
２，５−ジヒドロ−９−ヒドロキシ−１０−メトキシ−２，２，４−トリメチル−５−（４−（フルオロフェニル）メチル）−１Ｈ−［１］ベンゾピラノ［３，４−ｆ］キノリン。
【請求項５】  Ｒ１が−Ｌ１−ＲＡ（Ｌ１は共有結合であり、ＲＡは−ＮＲ７Ｒ７である）である請求項２に記載の化合物。
【請求項６】  以下の化合物から選択される請求項５に記載の化合物：
２，５−ジヒドロ−２，２，４，Ｎ−テトラメチル−５−（２−プロペニル）−１Ｈ−［１］ベンゾピラノ［３，４−ｆ］キノリン−１０−アミン、
５−（３，５−ジクロロフェニル）−２，５−ジヒドロ−２，２，４，Ｎ−テトラメチル−１Ｈ−［１］ベンゾピラノ［３，４−ｆ］キノリン−１０−アミン、
５−（３，５−ジクロロフェニル）−２，５−ジヒドロ−２，２，４−トリメチル−Ｎ−（２−プロペニル）−１Ｈ−［１］ベンゾピラノ［３，４−ｆ］キノリン−１０−アミン、および
２，５−ジヒドロ−２，２，４−トリメチル−５−（２−プロペニル）−１Ｈ−［１］ベンゾピラノ［３，４−ｆ］キノリン−１０−カルボン酸。
【請求項７】  Ｒ１が−Ｌ１−ＲＡ（Ｌ１は−Ｃ（Ｘ）Ｘ’−であり、ＸおよびＸ’は−Ｏ−であり、ＲＡが置換されていてもよい１〜１２個の炭素からなるアルキルである）である請求項２に記載の化合物。
【請求項８】  以下の化合物から選択される請求項７に記載の化合物：
２，５−ジヒドロ−２，２，４−トリメチル−５−（２−プロペニル）−１Ｈ−［１］ベンゾピラノ［３，４−ｆ］キノリン−１０−カルボン酸メチル、および
２，５−ジヒドロ−５−フェニル−２，２，４−トリメチル−１Ｈ−［１］ベンゾピラノ［３，４−ｆ］キノリン−１０−カルボン酸メチル。
【請求項９】  Ｒ１が−Ｌ１−ＲＡ（Ｌ１は−Ｘ’Ｃ（Ｘ）−であり、ＸおよびＸ’は−Ｏ−であり、ＲＡは置換されていてもよい１〜１２個の炭素からなるアルキルである）である請求項２に記載の化合物。
【請求項１０】  ２，５−ジヒドロ−２，２，４−トリメチル−５−フェニル−１Ｈ−［１］ベンゾピラノ［３，４−ｆ］キノリン−１０−オール，酢酸（エステル）である請求項９に記載の化合物。
【請求項１１】  Ｒ１が−Ｌ１−ＲＡ（Ｌ１は共有結合であり、ＲＡは置換されていてもよい２〜１２個の炭素からなるアルキルである）である請求項２に記載の化合物。
【請求項１２】  以下の化合物から選択される請求項１１に記載の化合物：
１０−エチル−２，５−ジヒドロ−２，２，４−トリメチル−５−フェニル−１Ｈ−［１］ベンゾピラノ［３，４−ｆ］キノリン、
２，５−ジヒドロ−２，２，４，１０−テトラメチル−５−フェニル−１Ｈ−［１］ベンゾピラノ［３，４−ｆ］キノリン、
５−（３，５−ジクロロフェニル）−１０−エチル−２，５−ジヒドロ−２，２，４−トリメチル−１Ｈ−［１］ベンゾピラノ［３，４−ｆ］キノリン、
２，５−ジヒドロ−２，２，４−トリメチル−５−（２−プロペニル）−１Ｈ−［１］ベンゾピラノ［３，４−ｆ］キノリン−１０−メタノール、
２，５−ジヒドロ−１０−（２−ヒドロキシメチル）−５−（３−プロペニル）−２，２，４−トリメチル−１Ｈ−［１］ベンゾピラノ［３，４−ｆ］キノリン、
２，５−ジヒドロ−１０−アミノメチル−５−（３−プロペニル）−２，２，４−トリメチル−１Ｈ−［１］ベンゾピラノ［３，４−ｆ］キノリン、
２，５−ジヒドロ−１０−メトキシメチル−５−（３−プロペニル）−２，２，４−トリメチル−１Ｈ−［１］ベンゾピラノ［３，４−ｆ］キノリン、
２，５−ジヒドロ−１０−（ヒドロキシメチル）−５−フェニル−２，２，４−トリメチル−１Ｈ−［１］ベンゾピラノ［３，４−ｆ］キノリン、および
２，５−ジヒドロ−１０−（メトキシメチル）−５−フェニル−２，２，４−トリメチル−１Ｈ−［１］ベンゾピラノ［３，４−ｆ］キノリン。
【請求項１３】  Ｒ１が−Ｌ１−ＲＡ（Ｌ１は共有結合であり、ＲＡは置換されていてもよい２〜１２個の炭素からなるアルケニルである）である請求項２に記載の化合物。
【請求項１４】  以下の化合物から選択される請求項１３に記載の化合物：
１０−エテニル−２，５−ジヒドロ−２，２，４−トリメチル−５−（２−プロペニル）−１Ｈ−［１］ベンゾピラノ［３，４−ｆ］キノリン、
２，５−ジヒドロ−１０−エテニル−５−フェニル−２，２，４−トリメチル−１Ｈ−［１］ベンゾピラノ［３，４−ｆ］キノリン、
２，５−ジヒドロ−１０−エテニル−５−オキソ−２，２，４−トリメチル−１Ｈ−［１］ベンゾピラノ［３，４−ｆ］キノリン、
５−（３−シクロヘキシル）−２，５−ジヒドロ−１０−エテニル−２，２，４−トリメチル−１Ｈ−［１］ベンゾピラノ［３，４−ｆ］キノリン、および
２，５−ジヒドロ−１０−エテニル−５−［１−メチル−３−シクロヘキセニル］−２，２，４−トリメチル−１Ｈ−［１］ベンゾピラノ［３，４−ｆ］キノリン。
【請求項１５】  Ｒ１が−Ｌ１−ＲＡ（Ｌ１は共有結合であり、ＲＡは置換されていてもよい２〜１２個の炭素からなるアルキニルである）である請求項２に記載の化合物。
【請求項１６】  以下の化合物から選択される請求項１５に記載の化合物：
１０−エテニル−２，５−ジヒドロ−１０−メトキシ−２，２，４−トリメチル−５−（２−プロペニル）−１Ｈ−［１］ベンゾピラノ［３，４−ｆ］キノリン、および
２，５−ジヒドロ−１０−エチニル−５−フェニル−２，２，４−トリメチル−１Ｈ−［１］ベンゾピラノ［３，４−ｆ］キノリン。
【請求項１７】  Ｒ１が−Ｌ１−ＲＡ（Ｌ１は共有結合であり、ＲＡは−ＯＨ、ハロ、ヘテロ環、−ＣＮ、−ＣＯ２Ｈまたは−ＣＨＯである）である請求項２に記載の化合物。
【請求項１８】  以下の化合物から選択される請求項１７に記載の化合物：
２，５−ジヒドロ−２，２，４−トリメチル−５−フェニル−１Ｈ−［１］ベンゾピラノ［３，４−ｆ］キノリン−１０−オール、
５−（３，５−ジクロロフェニル）−２，５−ジヒドロ−２，２，４−トリメチル−１Ｈ−［１］ベンゾピラノ［３，４−ｆ］キノリン−１０−オール、
２，５−ジヒドロ−２，２，４−トリメチル−５−（２−プロペニル）−１Ｈ−［１］ベンゾピラノ［３，４−ｆ］キノリン−１０−オール、
（１０−クロロ−９−ヒドロキシ−５−（３−プロペニル）−２，２，４−トリメチル−１Ｈ−２，５−ジヒドロ−［１］ベンゾピラノ［３，４−ｆ］キノリン、
１０−クロロ−９−ヒドロキシ−５−フェニル−２，２，４−トリメチル−１Ｈ−２，５−ジヒドロ−［１］ベンゾピラノ［３，４−ｆ］キノリン、
１０−クロロ−９−ヒドロキシ−５−（３−トリフルオロメチルフェニル）−２，２，４−トリメチル−１Ｈ−２，５−ジヒドロ−［１］ベンゾピラノ［３，４−ｆ］キノリン、
１０−クロロ−９−ヒドロキシ−５−（３，５−ジメチルフェニル）−２，２，４−トリメチル−１Ｈ−２，５−ジヒドロ−［１］ベンゾピラノ［３，４−ｆ］キノリン、
ｒｅｌ−（５Ｓ，３’Ｒ）−９−ヒドロキシ−１０−メトキシ−５−［１−ヒドロキシメチル−３−シクロヘキセニル］−２，２，４−トリメチル−２，５−ジヒドロ−１Ｈ−［１］ベンゾピラノ［３，４−ｆ］キノリン、
（−）２，５（Ｓ）−ジヒドロ−９−ヒドロキシ−１０−クロロ−２，２，４−トリメチル−５−（３Ｓ−シクロペンテニル）−１Ｈ−［１］ベンゾピラノ［３，４−ｆ］キノリン、
（−）２，５（Ｓ）−ジヒドロ−９−ヒドロキシ−１０−クロロ−２，２，４−トリメチル−５−（３Ｒ−シクロペンテニル）−１Ｈ−［１］ベンゾピラノ［３，４−ｆ］キノリン、
１０−クロロ−９−ヒドロキシ−５−（３，５−ジクロロフェニル）−２，２，４−トリメチル−１Ｈ−２，５−ジヒドロ−［１］ベンゾピラノ［３，４−ｆ］キノリン、
（＋）（５Ｒ，３’Ｓ）２，５−ジヒドロ−９−ヒドロキシ−１０−クロロ−２，２，４−トリメチル−５−（３−シクロペンテニル）−１Ｈ−［１］ベンゾピラノ［３，４−ｆ］キノリン、
（＋）（５Ｒ，３’Ｒ）２，５−ジヒドロ−９−ヒドロキシ−１０−クロロ−２，２，４−トリメチル−５−（３−シクロペンテニル）−１Ｈ−［１］ベンゾピラノ［３，４−ｆ］キノリン、
１０−クロロ−９−ヒドロキシ−５−（３，４−ジフルオロフェニル）−２，２，４−トリメチル−１Ｈ−２，５−ジヒドロ−［１］ベンゾピラノ［３，４−ｆ］キノリン、
１０−クロロ−５−（３−プロペニル）−２，２，４−トリメチル−２，５−ジヒドロ−１Ｈ−［１］ベンゾピラノ［３，４−ｆ］キノリン、
（＋／−）２，５−ジヒドロ−１０−クロロ−２，２，４−トリメチル−５−フェニル−１Ｈ−［１］ベンゾピラノ［３，４−ｆ］キノリン、
２，５−ジヒドロ−１０−（２−フラニル）−５−（３−プロペニル）−２，２，４−トリメチル−１Ｈ−［１］ベンゾピラノ［３，４−ｆ］キノリン、
２，５−ジヒドロ−１０−シアノ−５−（３−プロペニル）−２，２，４−トリメチル−１Ｈ−［１］ベンゾピラノ［３，４−ｆ］キノリン、
２，５−ジヒドロ−１０−カルボキシ−５−（３−プロペニル）−２，２，４−トリメチル−１Ｈ−［１］ベンゾピラノ［３，４−ｆ］キノリン、
２，５−ジヒドロ−１０−ホルミル−５−（３−プロペニル）−２，２，４−トリメチル−１Ｈ−［１］ベンゾピラノ［３，４−ｆ］キノリン、
２，５−ジヒドロ−１０−ホルミル−５−フェニル−２，２，４−トリメチル−１Ｈ−［１］ベンゾピラノ［３，４−ｆ］キノリン、
Ｚ−５−（３−フルオロベンジリデニル）−１０−クロロ−９−ヒドロキシ−２，２，４−トリメチル−２，５−ジヒドロ−１Ｈ−［１］ベンゾピラノ［３，４−ｆ］キノリン、
Ｚ−１０−クロロ−９−ヒドロキシ−５−（２−ピコリニリデニル）−２，２，４−トリメチル−２，５−ジヒドロ−１Ｈ−［１］ベンゾピラノ［３，４−ｆ］キノリン、
ｒｅｌ−（５Ｓ，３’Ｒ）−９−ヒドロキシ−５−［１−メトキシメチル−３−シクロヘキセニル］−１０−クロロ−２，２，４−トリメチル−２，５−ジヒドロ−１Ｈ−［１］ベンゾピラノ［３，４−ｆ］キノリン、
２，５−ジヒドロ−９−ヒドロキシ−１０−クロロ−２，２，４−トリメチル−５−（２−チエニル）−１Ｈ−［１］ベンゾピラノ［３，４−ｆ］キノリン、
９−ヒドロキシ−１０−クロロ−５−（フェニルメチレン）−２，２，４−トリメチル−１Ｈ−２，５−ジヒドロ−［１］ベンゾピラノ［３，４−ｆ］キノリン、および
２，５−ジヒドロ−９−ヒドロキシ−１０−クロロ−２，２，４−トリメチル−５−（３，４，５−トリフルオロフェニル）−１Ｈ−［１］ベンゾピラノ［３，４−ｆ］キノリン、
２，５−ジヒドロ−７−ブロモ−９−ヒドロキシ−１０−クロロ−２，２，４−トリメチル−５−アリル−１Ｈ−［１］ベンゾピラノ［３，４−ｆ］キノリン、
２，５−ジヒドロ−９−ヒドロキシ−１０−クロロ−２，２，４−トリメチル−５−（［２−Ｎ，Ｎ−ジメチルカルバモイロキシ］フェニル）−１Ｈ−［１］ベンゾピラノ［３，４−ｆ］キノリン、
２，５−ジヒドロ−９−ヒドロキシ−１０−クロロ−２，２，４−トリメチル−５−エチル−１Ｈ−［１］ベンゾピラノ［３，４−ｆ］キノリン、
２，５−ジヒドロ−９−ヒドロキシ−１０−クロロ−２，２，４−トリメチル−５−イソプロピル−１Ｈ−［１］ベンゾピラノ［３，４−ｆ］キノリン、
２，５−ジヒドロ−９−ヒドロキシ−１０−クロロ−２，２，４−トリメチル−５−ブチル−１Ｈ−［１］ベンゾピラノ［３，４−ｆ］キノリン、
２，５−ジヒドロ−９−ヒドロキシ−１０−メトキシ−２，２，４−トリメチル−５−（１−チアゾール−２−イル）−１Ｈ−［１］ベンゾピラノ［３，４−ｆ］キノリン、
２，５−ジヒドロ−９−ヒドロキシ−１０−クロロ−２，２，４−トリメチル−５−（２−メチルプロピル）−１Ｈ−［１］ベンゾピラノ［３，４−ｆ］キノリン、
２，５−ジヒドロ−９−ヒドロキシメチル−１０−クロロ−２，２，４−トリメチル−５−アリル−１Ｈ−［１］ベンゾピラノ［３，４−ｆ］キノリン、
２，５−ジヒドロ−９−ヒドロキシ−１０−クロロ−２，２，４−トリメチル−５−プロピル−１Ｈ−［１］ベンゾピラノ［３，４−ｆ］キノリン、
９−ヒドロキシ−１０−クロロ−５−（［２−ピリジル］メチレン）−２，２，４−トリメチル−１Ｈ−２，５−ジヒドロ−［１］ベンゾピラノ［３，４−ｆ］キノリン、
ｒｅｌ−（５Ｓ）−９−ヒドロキシ−５−［（３Ｓ）−（１−ヒドロキシメチル）シクロヘキセン−３−イル］−１０−クロロ−２，２，４−トリメチル−２，５−ジヒドロ−１Ｈ−［１］ベンゾピラノ［３，４−ｆ］キノリン、
（−）（５Ｓ，３’Ｓ）２，５−ジヒドロ−９−ヒドロキシ−１０−クロロ−２，２，４−トリメチル−５−（１−メチルシクロヘキセン−３−イル）−１Ｈ−［１］ベンゾピラノ［３，４−ｆ］キノリン、
（−）（５Ｓ，３’Ｒ）２，５−ジヒドロ−９−ヒドロキシ−１０−クロロ−２，２，４−トリメチル−５−（１−メチルシクロヘキセン−３−イル）−１Ｈ−［１］ベンゾピラノ［３，４−ｆ］キノリン、
（＋）（５Ｒ，３’Ｓ）２，５−ジヒドロ−９−ヒドロキシ−１０−クロロ−２，２，４−トリメチル−５−（１−メチルシクロヘキセン−３−イル）−１Ｈ−［１］ベンゾピラノ［３，４−ｆ］キノリン、
（＋）（５Ｒ，３’Ｒ）２，５−ジヒドロ−９−ヒドロキシ−１０−クロロ−２，２，４−トリメチル−５−（１−メチルシクロヘキセン−３−イル）−１Ｈ−［１］ベンゾピラノ［３，４−ｆ］キノリン、
（＋／−）２，５−ジヒドロ−９−（４−Ｎ，Ｎ−ジメチルアミノ−４−オキソ−ブタノイロキシ）−１０−クロロ−２，２，４−トリメチル−５−アリル−１Ｈ−［１］ベンゾピラノ［３，４−ｆ］キノリン、
（−）２，５−ジヒドロ−９−ヒドロキシ−１０−クロロ−２，２，４−トリメチル−５−シクロペンチル−１Ｈ−［１］ベンゾピラノ［３，４−ｆ］キノリン、および
（＋／−）２，５−ジヒドロ−９−ヒドロキシ−１０−クロロ−２，２，４−トリメチル−５−ベンジル−１Ｈ−［１］ベンゾピラノ［３，４−ｆ］キノリン。
【請求項１９】  Ｒ１が−Ｌ１−ＲＡ（Ｌ１はＯであり、ＲＡは置換されていてもよい３〜１２個の炭素からなるアルケニルである）である請求項２に記載の化合物。
【請求項２０】  ２，５−ジヒドロ−２，２，４−トリメチル−５−フェニル−１０−（２−プロペニロキシ）−１Ｈ−［１］ベンゾピラノ［３，４−ｆ］キノリンである請求項１９に記載の化合物。
【請求項２１】  Ｒ１が−Ｌ１−ＲＡ（Ｌ１はＯであり、ＲＡは置換されていてもよい３〜１２個の炭素からなるアルキニルである）である請求項２に記載の化合物。
【請求項２２】  ２，５−ジヒドロ−２，２，４−トリメチル−５−フェニル−１０−（２−プロピニロキシ）−１Ｈ−［１］ベンゾピラノ［３，４−ｆ］キノリンである請求項２１に記載の化合物。
【請求項２３】  Ｒ１が−Ｌ１−ＲＡ（Ｌ１は−Ｘ’Ｃ（Ｘ）Ｘ’’−であり、Ｘ、Ｘ’およびＸ’’はＯである）である請求項２に記載の化合物。
【請求項２４】  ５−（３，５−ジクロロフェニル）−２，５−ジヒドロ−２，２，４−トリメチル−１Ｈ−［１］ベンゾピラノ［３，４−ｆ］キノリン−１０−イル］メチルカーボネートである請求項２３に記載の化合物。
【請求項２５】  下記式ＩＩＩで示される請求項１に記載の化合物：
【化７】
2002503665.tif 000007
（式中、Ｒ１、Ｒ２、Ｒ３、Ｒ４、Ｒ５、Ｒ６、およびＬ２は先に定義した通りである）
または、その薬学的に許容できる塩またはプロドラッグ。
【請求項２６】  Ｒ１が−Ｌ１−ＲＡ（Ｌ１は−Ｏ−であり、ＲＡは置換されていてもよい１〜１２個の炭素からなるアルキルである）である請求項２５に記載の化合物。
【請求項２７】  １０−（ブロモジフルオロメトキシ）−５−フェニル−２，２−ジメチル−４−メチレン−２，３，４，５−テトラヒドロ−１Ｈ−クロムエノ［３，４−ｆ］キノリンである請求項２６に記載の化合物。
【請求項２８】  下記式ＩＶで示される請求項１に記載の化合物：
【化８】
2002503665.tif 000008
（式中、Ｙが窒素またはＮ＋（＝Ｏ−）であり、Ｒ１、Ｒ２、Ｒ３、Ｒ４、Ｒ５、Ｒ６、およびＬ２は先に定義した通りである）
または、その薬学的に許容できる塩またはプロドラッグ。
【請求項２９】  Ｒ１が−Ｌ１−ＲＡ（Ｌ１は−Ｏ−であり、ＲＡは置換されていてもよい１〜１２個の炭素からなるアルキルである）である請求項２８に記載の化合物。
【請求項３０】  以下の化合物から選択される請求項２９に記載の化合物：
２，５−ジヒドロ−１０−メトキシ−２，２，４−トリメチル−３−オキシド−５−フェニル−１Ｈ−［１］ベンゾピラノ［３，４−ｆ］キナゾリン、および
２，５−ジヒドロ−１０−メトキシ−２，２，４−トリメチル−５−フェニル−１Ｈ−［１］ベンゾピラノ［３，４−ｆ］キナゾリン。
【請求項３１】  下記式Ｖで示される請求項１に記載の化合物：
【化９】
2002503665.tif 000009
（式中、Ｒ１、Ｒ２、Ｒ３、Ｒ４、Ｒ５、Ｒ６およびＬ２は先に定義した通りであり、Ｒ１６およびＲ１７は、独立して、水素または１〜６個の炭素からなるアルキルであり、Ｒ１８およびＲ１８’は独立して、水素または１〜６個の炭素からなるアルキルであるか、またはＲ１８とＲ１８’とが一緒になって３〜８個の炭素からなるシクロヘテロアルキル環またはシクロアルキル環となる）
または、その薬学的に許容できる塩またはプロドラッグ。
【請求項３２】  Ｒ１が−Ｌ１−ＲＡ（Ｌ１は−Ｏ−であり、ＲＡは置換されていてもよい１〜１２個の炭素からなるアルキルである）である請求項３１に記載の化合物。
【請求項３３】  以下の化合物から選択される請求項３２に記載の化合物：
２，５−ジヒドロ−１０−メトキシ−２，２−［スピロ（テトラヒドロ−４−ピラニル）］−４−メチル−５−アリル−１Ｈ−［１］ベンゾピラノ［３，４−ｆ］キノリン、
２，５−ジヒドロ−１０−メトキシ−２，２−［スピロ（ヘキシル）］−５−アリル−１Ｈ−［１］ベンゾピラノ［３，４−ｆ］キノリン、
２，５−ジヒドロ−１０−メトキシ−２，２−ジエチル−４−メチル−５−アリル−１Ｈ−［１］ベンゾピラノ［３，４−ｆ］キノリン、
２，５−ジヒドロ−１０−メトキシ−２，２，３，４−テトラメチル−５−アリル−１Ｈ−［１］ベンゾピラノ［３，４−ｆ］キノリン、
２，５−ジヒドロ−１０−メトキシ−２，２−ジメチル−４−エチル−５−アリル−１Ｈ−［１］ベンゾピラノ［３，４−ｆ］キノリン、および
２，５−ジヒドロ−１０−メトキシ−２，２，３−トリメチル−５−アリル−１Ｈ−［１］ベンゾピラノ［３，４−ｆ］キノリン。
【請求項３４】  以下の化合物から選択される化合物：
２，５−ジヒドロ−１０−メトキシ−２，２，４−トリメチル−５−フェニル−１Ｈ−［１］ベンゾピラノ［３，４−ｆ］キノリン−１Ｈ−［１］ベンゾピラノ［３，４−ｆ］キノリン、
２，５−ジヒドロ−１０−メトキシ−２，２，４−トリメチル−５−（２−プロペニル）−１Ｈ−［１］ベンゾピラノ［３，４−ｆ］キノリン、
２，５−ジヒドロ−２，２，４，Ｎ−テトラメチル−５−（２−プロペニル）−１Ｈ−［１］ベンゾピラノ［３，４−ｆ］キノリン−１０−アミン、
２，５−ジヒドロ−２，２，４−トリメチル−５−（２−プロペニル）−１Ｈ−［１］ベンゾピラノ［３，４−ｆ］キノリン−１０−カルボン酸メチル、
１０−エテニル−２，５−ジヒドロ−２，２，４−トリメチル−５−（２−プロペニル）−１Ｈ−［１］ベンゾピラノ［３，４−ｆ］キノリン、
１０−エチニル−２，５−ジヒドロ−１０−メトキシ−２，２，４−トリメチル−５−（２−プロペニル）−１Ｈ−［１］ベンゾピラノ［３，４−ｆ］キノリン、
２，５−ジヒドロ−２，２，４−トリメチル−５−フェニル−１Ｈ−［１］ベンゾピラノ［３，４−ｆ］キノリン−１０−オール、
１０−（ジフルオロメトキシ）−２，５−ジヒドロ−２，２，４−トリメチル−５−（２−プロペニル）−１Ｈ−［１］ベンゾピラノ［３，４−ｆ］キノリン、
１０−エトキシ−２，５−ジヒドロ−２，２，４−トリメチル−５−フェニル−１Ｈ−［１］ベンゾピラノ［３，４−ｆ］キノリン、
２，５−ジヒドロ−２，２，４−トリメチル−５−フェニル−１Ｈ−［１］ベンゾピラノ［３，４−ｆ］キノリン−１０−オール酢酸（エステル）、
５−（３−ブロモ−５−メチルフェニル）−２，５−ジヒドロ−１０−メトキシ−２，２，４−トリメチル−１Ｈ−［１］ベンゾピラノ［３，４−ｆ］キノリン、
３−（２，５−ジヒドロ−１０−メトキシ−２，２，４−トリメチル−１Ｈ−［１］ベンゾピラノ［３，４−ｆ］キノリン−５−イル）−フェノール酢酸（エステル）、
３−（２，５−ジヒドロ−１０−メトキシ−２，２，４−トリメチル−１Ｈ−［１］ベンゾピラノ［３，４−ｆ］キノリン−５−イル）−フェノール、
２，５−ジヒドロ−１０−メトキシ−２，２，４−トリメチル−５−［［３−（メチルチオ）メトキシ］フェニル］−１Ｈ−［１］ベンゾピラノ［３，４−ｆ］キノリン、
［３−（２，５−ジヒドロ−１０−メトキシ−２，２，４−トリメチル−１Ｈ−［１］ベンゾピラノ［３，４−ｆ］キノリン−５−イル）−フェニル］ジメチルカルバメート、
５−［３−（２−フラニル）−５−メチルフェニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−メチル−５−（１−モルホリニル）フェニル］−１Ｈ−［１］ベンゾピラノ［３，４−ｆ］キノリン、
２，５−ジヒドロ−１０−メトキシ−２，２，４−トリメチル−５−（フェニルメチレン）−１Ｈ−［１］ベンゾピラノ［３，４−ｆ］キノリン、
５−（３，５−ジクロロフェニル）−２，５−ジヒドロ−１０−メトキシ−２，２，４−トリメチル−１Ｈ−［１］ベンゾピラノ［３，４−ｆ］キノリン、
５−ブチル−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−（トリフルオロメチル）フェニル］−１Ｈ−［１］ベンゾピラノ［３，４−ｆ］キノリン、
２，５−ジヒドロ−１０−メトキシ−５−（４−メトキシフェニル）−２，２，４−トリメチル−１Ｈ−［１］ベンゾピラノ［３，４−ｆ］キノリン、
５−（３−クロロフェニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−（３−メチルフェニル）−１Ｈ−［１］ベンゾピラノ［３，４−ｆ］キノリン、
（±）−２，５−ジヒドロ−１０−メトキシ−２，２，４−トリメチル−５−フェニル−１Ｈ−［１］ベンゾピラノ［３，４−ｆ］キノリン、
（±）−２，５−ジヒドロ−１０−メトキシ−２，２，４−トリメチル−５−フェニル−１Ｈ−［１］ベンゾピラノ［３，４−ｆ］キノリン、
５−（３，５−ジメチルフェニル）−２，５−ジヒドロ−１０−メトキシ−２，２，４−トリメチル−１Ｈ−［１］ベンゾピラノ［３，４−ｆ］キノリン、
５−（４−クロロフェニル）−２，５−ジヒドロ−１０−メトキシ−２，２，４−トリメチル−１Ｈ−［１］ベンゾピラノ［３，４−ｆ］キノリン、
５−（３，４−ジメチルフェニル）−２，５−ジヒドロ−１０−メトキシ−２，２，４−トリメチル−１Ｈ−［１］ベンゾピラノ［３，４−ｆ］キノリン、
５−（４−フルオロフェニル）−２，５−ジヒドロ−１０−メトキシ−２，２，４−トリメチル−１Ｈ−［１］ベンゾピラノ［３，４−ｆ］キノリン、
５−［３，５−ビス（トリフルオロメチル）フェニル］−２，５−ジヒドロ−１０−メトキシ−２，２，４−トリメチル−１Ｈ−［１］ベンゾピラノ［３，４−ｆ］キノリン、
（−）−５−（３，５−ジクロロフェニル）−２，５−ジヒドロ−１０−メトキシ−２，２，４−トリメチル−１Ｈ−［１］ベンゾピラノ［３，４−ｆ］キノリン、
（＋）−５−（３，５−ジクロロフェニル）−２，５−ジヒドロ−１０−メトキシ−２，２，４−トリメチル−１Ｈ−［１］ベンゾピラノ［３，４−ｆ］キノリン、
５−（３，５−ジフルオロフェニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４，Ｎ−テトラメチル−Ｎ−フェニル−１Ｈ−［１］ベンゾピラノ［３，４−ｆ］キノリン−５−アミン、
（−）２，５−ジヒドロ−１０−メトキシ−２，２，４−トリメチル−５−（２−プロペニル）−１Ｈ−［１］ベンゾピラノ［３，４−ｆ］キノリン、
（＋）−２，５−ジヒドロ−１０−メトキシ−２，２，４−トリメチル−５−（２−プロペニル）−１Ｈ−［１］ベンゾピラノ［３，４−ｆ］キノリン、
２，５−ジヒドロ−１０−メトキシ−２，２，４−トリメチル−１Ｈ−［１］ベンゾピラノ［３，４−ｆ］キノリン、
４−（２，５−ジヒドロ−１０−メトキシ−２，２，４−トリメチル−１Ｈ−［１］ベンゾピラノ［３，４−ｆ］キノリン−５−イル）−Ｎ，Ｎ−ジメチルベンゼンアミン、
２，５−ジヒドロ−１０−メトキシ−２，２，４−トリメチル−５−（５−メトキシ−２−チエニル）−１Ｈ−［１］ベンゾピラノ［３，４−ｆ］キノリン、
２，５−ジヒドロ−１０−メトキシ−２，２，４−トリメチル−５−（５−プロピル−２−チエニル）−１Ｈ−［１］ベンゾピラノ［３，４−ｆ］キノリン、
２，５−ジヒドロ−１０−メトキシ−２，２，４−トリメチル−５−［４−（１−モルホリニル）フェニル］−１Ｈ−［１］ベンゾピラノ［３，４−ｆ］キノリン、
１−（２，５−ジヒドロ−１０−メトキシ−２，２，４−トリメチル−１Ｈ−［１］ベンゾピラノ［３，４−ｆ］キノリン−５−イル）−３，３−ジメチル−２−ブタノン、
２，５−ジヒドロ−１０−メトキシ−２，２，４−トリメチル−１Ｈ−［１］ベンゾピラノ［３，４−ｆ］キノリン−５−カルボニトリル、
１−（２，５−ジヒドロ−１０−メトキシ−２，２，４−トリメチル−１Ｈ−［１］ベンゾピラノ［３，４−ｆ］キノリン−５−イル）−２−プロパノン、
２，５−ジヒドロ−１０−メトキシ−２，２，４−トリメチル−１Ｈ−［１］ベンゾピラノ［３，４−ｆ］キノリン−５−酢酸メチル
２−（２，５−ジヒドロ−１０−メトキシ−２，２，４−トリメチル−１Ｈ−［１］ベンゾピラノ［３，４−ｆ］キノリン−５−イル）−１−フェニルエタノン、
５−［２−（クロロメチル）−２−プロペニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−（−メチレン−１Ｈ−［１］ベンゾピラノ［３，４−ｆ］キノリン−５−プロパノール酢酸（エステル）、
２，５−ジヒドロ−１０−メトキシ−２，２，４−トリメチル−５−（４−メチルフェニル）−１Ｈ−［１］ベンゾピラノ［３，４−ｆ］キノリン、
５−（３−フルオロ−４−メチルフェニル）−２，５−ジヒドロ−１０−メトキシ−２，２，４−トリメチル−１Ｈ−［１］ベンゾピラノ［３，４−ｆ］キノリン、
５−（３−ブロモフェニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−（フェニルメチル）−１Ｈ−［１］ベンゾピラノ［３，４−ｆ］キノリン、
２，５−ジヒドロ−１０−メトキシ−２，２，４−トリメチル−５−プロピル−１Ｈ−［１］ベンゾピラノ［３，４−ｆ］キノリン、
５−（４−フルオロフェニル）−２，５−ジヒドロ−１０−メトキシ−２，２，４−トリメチル−１Ｈ−［１］ベンゾピラノ［３，４−ｆ］キノリン、
５−（３−フルオロフェニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４，５−テトラメチル−１Ｈ−［１］ベンゾピラノ［３，４−ｆ］キノリン、
２，５−ジヒドロ−１０−メトキシ−２，２，４−トリメチル−５−（１−メチルエチル）−１Ｈ−［１］ベンゾピラノ［３，４−ｆ］キノリン、
２，５−ジヒドロ−１０−メトキシ−２，２，４−トリメチル−５−（２−メチルプロピル）−１Ｈ−［１］ベンゾピラノ［３，４−ｆ］キノリン、
５−エチル−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−１Ｈ−［１］ベンゾピラノ［３，４−ｆ］キノリン−５−カルボキシイミド酸エチルエステル、
２，５−ジヒドロ−１０−メトキシ−２，２，４−トリメチル−（−メチレン  １Ｈ−［１］ベンゾピラノ［３，４−ｆ］キノリン−５−プロパノール、
２，５−ジヒドロ−１０−メトキシ−２，２，４，Ｎ，Ｎ−ペンタメチル−１Ｈ−［１］ベンゾピラノ［３，４−ｆ］キノリン−５−アセトアミド、
２，５−ジヒドロ−１０−メトキシ−２，２，４，Ｎ，Ｎ−ペンタメチル−１Ｈ−［１］ベンゾピラノ［３，４−ｆ］キノリン−５−エタンアミン、
Ｎ−シクロプロピル−２，５−ジヒドロ−１０−メトキシ−２，２，４−トリメチル−１Ｈ−［１］ベンゾピラノ［３，４−ｆ］キノリン−５−アセトアミド、
２，５−ジヒドロ−１０−メトキシ−２，２，４−トリメチル−５−（２−プロピニル）−１Ｈ−［１］ベンゾピラノ［３，４−ｆ］キノリン、
５−（２，５−ジヒドロ−１０−メトキシ−２，２，４−トリメチル−１Ｈ−［１］ベンゾピラノ［３，４−ｆ］キノリン−５−イル）−２（５Ｈ）−フラノン、
５−（３−ブテニル）−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−１Ｈ−［１］ベンゾピラノ［３，４−ｆ］キノリン−５−プロパノール、
１０−エチル−２，５−ジヒドロ−２，２，４−トリメチル−５−フェニル−１Ｈ−［１］ベンゾピラノ［３，４−ｆ］キノリン、
２，５−ジヒドロ−２，２，４，１０−テトラメチル−５−フェニル−１Ｈ−［１］ベンゾピラノ［３，４−ｆ］キノリン、
５−（３，５−ジクロロフェニル）−１０−エチル−２，５−ジヒドロ−２，２，４−トリメチル−１Ｈ−［１］ベンゾピラノ［３，４−ｆ］キノリン、
５−（３，５−ジクロロフェニル）−２，５−ジヒドロ−２，２，４，Ｎ−テトラメチル−１Ｈ−［１］ベンゾピラノ［３，４−ｆ］キノリン−１０−アミン、
５−（３，５−ジクロロフェニル）−２，５−ジヒドロ−２，２，４−トリメチル−Ｎ−（２−プロペニル）−１Ｈ−［１］ベンゾピラノ［３，４−ｆ］キノリン−１０−アミン、
２，５−ジヒドロ−２，２，４−トリメチル−５−フェニル−１０−（２−プロピニロキシ）−１Ｈ−［１］ベンゾピラノ［３，４−ｆ］キノリン、
２，５−ジヒドロ−２，２，４−トリメチル−５−フェニル−１０−（２−プロペニロキシ）−１Ｈ−［１］ベンゾピラノ［３，４−ｆ］キノリン、
２，５−ジヒドロ−２，２，４−トリメチル−５−（２−プロペニル）−１Ｈ−［１］ベンゾピラノ［３，４−ｆ］キノリン−１０−メタノール、
２，５−ジヒドロ−２，２，４−トリメチル−５−（２−プロペニル）−１Ｈ−［１］ベンゾピラノ［３，４−ｆ］キノリン−１０−カルボン酸、
５−（３，５−ジクロロフェニル）−１０−エトキシ−２，５−ジヒドロ−２，２，４−トリメチル−１Ｈ−［１］ベンゾピラノ［３，４−ｆ］キノリン、
５−（３，５−ジクロロフェニル）−２，５−ジヒドロ−２，２，４−トリメチル−１Ｈ−［１］ベンゾピラノ［３，４−ｆ］キノリン−１０−オール、
５−（３，５−ジクロロフェニル）−２，５−ジヒドロ−２，２，４−トリメチル−１Ｈ−［１］ベンゾピラノ［３，４−ｆ］キノリン−１０−イル］メチルカーボネート、
２，５−ジヒドロ−２，２，４−トリメチル−５−（２−プロペニル）−１Ｈ−［１］ベンゾピラノ［３，４−ｆ］キノリン−１０−オール、
１０−（ブロモジフルオロメトキシ）−２，５−ジヒドロ−２，２，４−トリメチル−５−（２−プロペニル）−１Ｈ−［１］ベンゾピラノ［３，４−ｆ］キノリン、
［３−（２，５−ジヒドロ−１０−メトキシ−２，２，４−トリメチル−１Ｈ−［１］ベンゾピラノ［３，４−ｆ］キノリン−５−イル）フェニル］メチルカーボネート、
２，５−ジヒドロ−１０−メトキシ−５−（３−メトキシフェニル）−２，２，４−トリメチル−１Ｈ−［１］ベンゾピラノ［３，４−ｆ］キノリン、
２，５−ジヒドロ−１０−メトキシ−２，２，４−トリメチル−５−［３−（２−プロペニロキシ）フェニル］−１Ｈ−［１］ベンゾピラノ［３，４−ｆ］キノリン、
２，５−ジヒドロ−１０−メトキシ−２，２，４−トリメチル−５−［３−（フェニルメトキシ）フェニル］−１Ｈ−［１］ベンゾピラノ［３，４−ｆ］キノリン、
５−［３−（シクロプロピルメトキシ）フェニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−［２−（１−ピペリジニル）エトキシ］フェニル］−１Ｈ−［１］ベンゾピラノ［３，４−ｆ］キノリン、
５−（３−ヘキシロキシフェニル）−２，５−ジヒドロ−１０−メトキシ−２，２，４−トリメチル−１Ｈ−［１］ベンゾピラノ［３，４−ｆ］キノリン、
５−［３−（２，４−ジニトロフェノキシ）フェニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−（２−プロピニロキシ）フェニル］−１Ｈ−［１］ベンゾピラノ［３，４−ｆ］キノリン、
３−（２，５−ジヒドロ−１０−メトキシ−２，２，４−トリメチル−１Ｈ−［１］ベンゾピラノ［３，４−ｆ］キノリン−５−イル）フェノール，４−メチルベンゼンスルホネート（エステル）、
４−（２，５−ジヒドロ−１０−メトキシ−２，２，４−トリメチル−１Ｈ−［１］ベンゾピラノ［３，４−ｆ］キノリン−５−イル）フェノールアセテート（エステル）、
４−（２，５−ジヒドロ−１０−メトキシ−２，２，４−トリメチル−１Ｈ−［１］ベンゾピラノ［３，４−ｆ］キノリン−５−イル）フェノール、
２，５−ジヒドロ−１０−メトキシ−２，２，４−トリメチル−５−［［４−（メチルチオ）メトキシ］フェニル］−１Ｈ−［１］ベンゾピラノ［３，４−ｆ］キノリン、
［４−（２，５−ジヒドロ−１０−メトキシ−２，２，４−トリメチル−１Ｈ−［１］ベンゾピラノ［３，４−ｆ］キノリン−５−イル）フェニル］ジメチルカルバメート、
２，５−ジヒドロ−１０−メトキシ−２，２，４−トリメチル−５−［４−（フェニルメトキシ）フェニル］−１Ｈ−［１］ベンゾピラノ［３，４−ｆ］キノリン、
２，５−ジヒドロ−１０−メトキシ−２，２，４−トリメチル−５−［３−（メトキシメトキシ）フェニル］−１Ｈ−［１］ベンゾピラノ［３，４−ｆ］キノリン、
［（２，５−ジヒドロ−１０−メトキシ−２，２，４−トリメチル−１Ｈ−［１］ベンゾピラノ［３，４−ｆ］キノリン−５−イル）フェニル］１−モルホリンカルボキシレート、
２，５−ジヒドロ−１０−メトキシ−２，２，４−トリメチル−５−［３−［（メチルスルフィニル）メトキシ］フェニル］−１Ｈ−［１］ベンゾピラノ［３，４−ｆ］キノリン、
Ｏ−［３−（２，５−ジヒドロ−１０−メトキシ−２，２，４−トリメチル−１Ｈ−［１］ベンゾピラノ［３，４−ｆ］キノリン−５−イル）フェニル］エステル、
２，５−ジヒドロ−１０−メトキシ−２，２，４−トリメチル−５−［３−（メチルチオ）フェニル］−１Ｈ−［１］ベンゾピラノ［３，４−ｆ］キノリン、
Ｏ−［３−（２，５−ジヒドロ−１０−メトキシ−２，２，４−トリメチル−１Ｈ−［１］ベンゾピラノ［３，４−ｆ］キノリン−５−イル）フェニル］メチルカルボノチオエート、
［３−（２，５−ジヒドロ−１０−メトキシ−２，２，４−トリメチル］−１Ｈ−［１］ベンゾピラノ［３，４−ｆ］キノリン−５−イル）フェニル］トリフルオロメタンスルホネート、
５−［３−（４，５−ジヒドロ−４，４−ジメチル−２−オキサゾリル）フェニル］−２，５−ジヒドロ−１０−メトキシ−２，２，４−トリメチル−１Ｈ−［１］ベンゾピラノ［３，４−ｆ］キノリン、
３−（２，５−ジヒドロ−１０−メトキシ−２，２，４−トリメチル−１Ｈ−［１］ベンゾピラノ［３，４−ｆ］キノリン−５−イル）安息香酸エチル、
３−（２，５−ジヒドロ−１０−メトキシ−２，２，４−トリメチル−１Ｈ−［１］ベンゾピラノ［３，４−ｆ］キノリン−５−イル）安息香酸、
２，５−ジヒドロ−１０−メトキシ−２，２，４−トリメチル−５−［３−メチル−５−（２−プロペニル）フェニル］−１Ｈ−［１］ベンゾピラノ［３，４−ｆ］キノリン、
１−［３−（２，５−ジヒドロ−１０−メトキシ−２，２，４−トリメチル−１Ｈ−［１］ベンゾピラノ［３，４−ｆ］キノリン−５−イル）−５−メチルフェニル］エタノン、
３−（２，５−ジヒドロ−１０−メトキシ−２，２，４−トリメチル−１Ｈ−［１］ベンゾピラノ［３，４−ｆ］キノリン−５−イル）−５−トリメチルベンゼンメタノール、
５−［３−（２−フラニル）フェニル］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［３−メチル−５−（１Ｈ−ピロリジン−１−イル）フェニル］−１Ｈ−［１］ベンゾピラノ［３，４−ｆ］キノリン、
３−（２，５−ジヒドロ−１０−メトキシ−２，２，４−トリメチル−１Ｈ−［１］ベンゾピラノ［３，４−ｆ］キノリン−５−メチル）−５，Ｎ−ジメチルベンゼンアミン、
３−（２，５−ジヒドロ−１０−メトキシ−２，２，４−トリメチル−１Ｈ−［１］ベンゾピラノ［３，４−ｆ］キノリン−５−イル）−５−メチル−Ｎ−（２−プロペニル）ベンズアミド、
３−（２，５−ジヒドロ−１０−メトキシ−２，２，４−トリメチル−１Ｈ−［１］ベンゾピラノ［３，４−ｆ］キノリン−５−イル）−Ｎ−（２−メトキシエチル）−５−メチルベンゼンアミン、
３−（２，５−ジヒドロ−１０−メトキシ−２，２，４−トリメチル−１Ｈ−［１］ベンゾピラノ［３，４−ｆ］キノリン−５−イル）−Ｎ−（２−プロペニル）ベンゼンアミン、
Ｎ’−［３−（２，５−ジヒドロ−１０−メトキシ−２，２，４−トリメチル−１Ｈ−［１］ベンゾピラノ［３，４−ｆ］キノリン−５−イル）−５−メチルフェニル］−Ｎ，Ｎ−ジメチルウレア、
Ｎ−［３−（２，５−ジヒドロ−１０−メトキシ−２，２，４−トリメチル−１Ｈ−［１］ベンゾピラノ［３，４−ｆ］キノリン−５−イル）フェニル］ベンゼンメタンアミン、
５−［（３，５−ジクロロフェニル）メチレン］−２，５−ジヒドロ−１０−メトキシ−２，２，４−トリメチル−１Ｈ−［１］ベンゾピラノ［３，４−ｆ］キノリン、
５−［（４−クロロフェニル）メチレン］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［［３−（トリフルオロメチル）フェニル］メチレン］−１Ｈ−［１］ベンゾピラノ［３，４−ｆ］キノリン、
５−［（２，６−ジフルオロフェニル）メチレン］−２，５−ジヒドロ−１０−メトキシ−２，２，４−トリメチル−１Ｈ−［１］ベンゾピラノ［３，４−ｆ］キノリン、
５−［（２−クロロフェニル）メチレン］−２，５−ジヒドロ−１０−メトキシ−２，２，４−トリメチル−１Ｈ−［１］ベンゾピラノ［３，４−ｆ］キノリン、
５−［（２，６−ジクロロフェニル）メチレン］−２，５−ジヒドロ−１０−メトキシ−２，２，４−トリメチル−１Ｈ−［１］ベンゾピラノ［３，４−ｆ］キノリン、
５−［（２−フルオロフェニル）メチレン］−２，５−ジヒドロ−１０−メトキシ−２，２，４−トリメチル−１Ｈ−［１］ベンゾピラノ［３，４−ｆ］キノリン、
２，５−ジヒドロ−１０−メトキシ−２，２，４−トリメチル−５−［（４，５−ジヒドロ−４，４−ジメチル−２−オキサゾリル）メチレン］−１Ｈ−［１］ベンゾピラノ［３，４−ｆ］キノリン、
２，５−ジヒドロ−１０−メトキシ−２，２，４−トリメチル−５−（２−ピリジニルメチレン）−１Ｈ−［１］ベンゾピラノ［３，４−ｆ］キノリン、
２，５−ジヒドロ−１０−メトキシ−２，２，４−トリメチル−５−（２−チエニル）−１Ｈ−［１］ベンゾピラノ［３，４−ｆ］キノリン、
２，５−ジヒドロ−９，１０−メトキシ−２，２，４−トリメチル−５−（２−プロペニル）−１Ｈ−［１］ベンゾピラノ［３，４−ｆ］キノリン、
５−（２−シクロヘキセン−１−イル）−２，５−ジヒドロ−９，１０−ジメトキシ−２，２，４−トリメチル−１Ｈ−［１］ベンゾピラノ［３，４−ｆ］キノリン、
２，５−ジヒドロ−１０−メトキシ−５−（３−メチル−３−ブテニル）−２，２，４−トリメチル−１Ｈ−［１］ベンゾピラノ［３，４−ｆ］キノリン、
２，５−ジヒドロ−１０−メトキシ−５−（５，５−ジメチル−３−シクロヘキセニル）−２，２，４−トリメチル−１Ｈ−［１］ベンゾピラノ［３，４−ｆ］キノリン、
ｒｅｌ（５Ｒ，２’Ｒ）２，５−ジヒドロ−１０−メトキシ−５−（２−オキソ−３−テトラヒドロピラニル）−２，２，４−トリメチル−１Ｈ−［１］ベンゾピラノ［３，４−ｆ］キノリン、
ａｎｔｉ（５Ｒ，２’Ｒ）２，５−ジヒドロ−１０−メトキシ−５−（２−オキソ−３−テトラヒドロピラニル）−２，２，４−トリメチル−１Ｈ−［１］ベンゾピラノ［３，４−ｆ］キノリン、
２，５−ジヒドロ−１０−メトキシ−５−（３−シクロペンテニル）−２，２，４−トリメチル−１Ｈ−［１］ベンゾピラノ［３，４−ｆ］キノリン、
２，５−ジヒドロ−１０−メトキシ−５−（３−シクロヘキセニル）−２，２，４−トリメチル−１Ｈ−［１］ベンゾピラノ［３，４−ｆ］キノリン、
２，５−ジヒドロ−１０−メトキシ−５−（３−ブテニル）−２，２，４−トリメチル−１Ｈ−［１］ベンゾピラノ［３，４−ｆ］キノリン、
２，５−ジヒドロ−１０−メトキシ−５−（１−エテニル−１−シクロヘキセニル）−２，２，４−トリメチル−１Ｈ−［１］ベンゾピラノ［３，４−ｆ］キノリン、
２，５−ジヒドロ−１０−メトキシ−５−（４，４−ジメチル−３−シクロヘキセニル）−２，２，４−トリメチル−１Ｈ−［１］ベンゾピラノ［３，４−ｆ］キノリン、
２，５−ジヒドロ−１０−メトキシ−５−（１−メチレン−２−シクロヘキセニル）−２，２，４−トリメチル−１Ｈ−［１］ベンゾピラノ［３，４−ｆ］キノリン、
２，５−ジヒドロ−１０−メトキシ−５−（１−オキソ−２−シクロヘキセニル）−２，２，４−トリメチル−１Ｈ−［１］ベンゾピラノ［３，４−ｆ］キノリン、
２，５−ジヒドロ−１０−メトキシ−５−（３−シクロオクテニル）−２，２，４−トリメチル−１Ｈ−［１］ベンゾピラノ［３，４−ｆ］キノリン、
２，５−ジヒドロ−１０−メトキシ−５−（３−シクロヘプテニル）−２，２，４−トリメチル−１Ｈ−［１］ベンゾピラノ［３，４−ｆ］キノリン、
２，５−ジヒドロ−１０−メトキシ−５−（１−シクロヘキセニルメチル）−２，２，４−トリメチル−１Ｈ−［１］ベンゾピラノ［３，４−ｆ］キノリン、
２，５−ジヒドロ−１０−メトキシ−５−（３，３−ジメチル−６−シクロヘキセニル）−２，２，４−トリメチル−１Ｈ−［１］ベンゾピラノ［３，４−ｆ］キノリン、
２，５−ジヒドロ−１０−メトキシ−５−（２−ブロモ−３−プロペニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−ヒドロキシメチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−ヒドロキシメチル−３−シクロヘキセニル）−２，２，４−トリメチル−１Ｈ−［１］ベンゾピラノ［３，４−ｆ］キノリン、
２，５−ジヒドロ−１０−メトキシ−５−（３−ヒドロキシメチル−３−シクロヘキセニル）−２，２，４−トリメチル−１Ｈ−［１］ベンゾピラノ［３，４−ｆ］キノリン、
２，５−ジヒドロ−１０−メトキシ−５−（３−インドリル）−２，２，４−トリメチル−１Ｈ−［１］ベンゾピラノ［３，４−ｆ］キノリン、
ｒｅｌ（５Ｓ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
（−）（５Ｓ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
（−）（５Ｓ，３’Ｓ）２，５−ジヒドロ−１０−メトキシ−５−（１−ヒドロキシメチル−３−シクロヘキセニル）−２，２，４−トリメチル−１Ｈ−［１］ベンゾピラノ［３，４−ｆ］キノリン、
（＋）（５Ｒ，３’Ｓ）２，５−ジヒドロ−１０−メトキシ−５−（１−ヒドロキシメチル−３−シクロヘキセニル）−２，２，４−トリメチル−１Ｈ−［１］ベンゾピラノ［３，４−ｆ］キノリン、
（−）（５Ｓ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
（＋）（５Ｒ，３’Ｓ）２，５−ジヒドロ−１０−メトキシ−５−（１−メチル−３−シクロヘキセニル）−２，２，４−トリメチル−１Ｈ−［１］ベンゾピラノ［３，４−ｆ］キノリン、
２，５−ジヒドロ−１０−メトキシ−５−（１−クロロメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−メトキシメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−メチルチオメチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−アセトキシメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−アセトキシメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−メトキシメチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−（Ｎ，Ｎ−ジメリルアミノ）メチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−メチルチオメチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−（Ｎ−モルホリノ）メチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−（Ｎ−メチル−Ｎ−メチルスルホニルアミノ）メチル−３−シクロヘキセニル）−２，２，４−トリメチル−１Ｈ−［１］ベンゾピラノ［３，４−ｆ］キノリン、
ｒｅｌ（５Ｒ，３’Ｓ）２，５−ジヒドロ−１０−メトキシ−５−（１−（Ｎ，Ｎジメチルアミノ）メチル−３−シクロヘキセニル）−２，２，４−トリメチル−１Ｈ−［１］ベンゾピラノ［３，４−ｆ］キノリン、
ｒｅｌ（５Ｒ，３’Ｒ）２，５−ジヒドロ−１０−メトキシ−５−（１−（Ｎ−メチルアミノ）メチル−３−シクロヘキセニル）−２，２，４−トリメチル−１Ｈ−［１］ベンゾピラノ［３，４−ｆ］キノリン、
２，５−ジヒドロ−１０−メトキシ−５−（２−メチル−３−プロペニル）−２，２，４−トリメチル−１Ｈ−［１］ベンゾピラノ［３，４−ｆ］キノリン、
２，５−ジヒドロ−１０−メトキシ−５−（１，３−ブタジエン−２−イル）−２，２，４−トリメチル−１Ｈ−［１］ベンゾピラノ［３，４−ｆ］キノリン、
２，５−ジヒドロ−１０−メトキシ−５−（２−カルボメトキシ−３−プロペニル）−２，２，４−トリメチル−１Ｈ−［１］ベンゾピラノ［３，４−ｆ］キノリン、
２，５−ジヒドロ−１０−メトキシ−５−（１，２−ジヒドロキシ−３−プロピル）−２，２，４−トリメチル−１Ｈ−［１］ベンゾピラノ［３，４−ｆ］キノリン、
２，５−ジヒドロ−１０−メトキシ−５−（１，２−エポキシ−３−プロペニル）−２，２，４−トリメチル−１Ｈ−［１］ベンゾピラノ［３，４−ｆ］キノリン、
２，５−ジヒドロ−１０−メトキシ−５−（１−（Ｎ−フタルイミド）−３−プロピル）−２，２，４−トリメチル−１Ｈ−［１］ベンゾピラノ［３，４−ｆ］キノリン、
２，５−ジヒドロ−１０−メトキシ−５−（１−アミノ−３−プロピル）−２，２，４−トリメチル−１Ｈ−［１］ベンゾピラノ［３，４−ｆ］キノリン、
２，５−ジヒドロ−１０−メトキシ−５−（１−（ヒドラジノカルボニルアミノ）−３−プロピル）−２，２，４−トリメチル−１Ｈ−［１］ベンゾピラノ［３，４−ｆ］キノリン、
（Ｅ）２，５−ジヒドロ−１０−メトキシ−５−（２−カルボメトキシ−１−エテニル）−２，２，４−トリメチル−１Ｈ−［１］ベンゾピラノ［３，４−ｆ］キノリン、
（Ｚ）−２，５−ジヒドロ−１０−メトキシ−５−（１−プロペニル）−２，２，４−トリメチル−１Ｈ−［１］ベンゾピラノ［３，４−ｆ］キノリン、
（Ｅ）２，５−ジヒドロ−１０−メトキシ−５−（３−ヒドロキシ−１−プロペニル）−２，２，４−トリメチル−１Ｈ−［１］ベンゾピラノ［３，４−ｆ］キノリン、
（Ｅ）２，５−ジヒドロ−１０−メトキシ−５−（３−（Ｎ，Ｎ−ジメチルアミノカルボニロキシ）−１−プロペニル）−２，２，４−トリメチル−１Ｈ−［１］ベンゾピラノ［３，４−ｆ］キノリン、
（Ｅ）２，５−ジヒドロ−１０−メトキシ−５−（３−メトキシメトキシ−１−プロペニル）−２，２，４−トリメチル−１Ｈ−［１］ベンゾピラノ［３，４−ｆ］キノリン、
２，５−ジヒドロ−１０−メトキシ−５−（３−ヒドロキシ−３−プロペニル）−２，２，４−トリメチル−１Ｈ−［１］ベンゾピラノ［３，４−ｆ］キノリン、
２−（２，５−ジヒドロ−１０−メトキシ−２，２，４−トリメチル−１Ｈ−［１］ベンゾピラノ［３，４−ｆ］キノリン−５−イル）アセチルヒドロキサム酸メチル、
２−（２，５−ジヒドロ−１０−メトキシ−２，２，４−トリメチル−１Ｈ−［１］ベンゾピラノ［３，４−ｆ］キノリン−５−イル）アセトアルデヒド、
２，５−ジヒドロ−１０−メトキシ−５−（２−シクロヘキシリデニルエチル）−２，２，４−トリメチル−１Ｈ−［１］ベンゾピラノ［３，４−ｆ］キノリン、
２，５−ジヒドロ−１０−メトキシ−５−（２−シクロペンチリデニルエチル）−２，２，４−トリメチル−１Ｈ−［１］ベンゾピラノ［３，４−ｆ］キノリン、
２，５−ジヒドロ−１０−メトキシ−５−（２−シクロヘプチリデニルエチル）−２，２，４−トリメチル−１Ｈ−［１］ベンゾピラノ［３，４−ｆ］キノリン、
２，５−ジヒドロ−１０−メトキシ−５−（３−メチル−２−ブテニル）−２，２，４−トリメチル−１Ｈ−［１］ベンゾピラノ［３，４−ｆ］キノリン、
トランス２，５−ジヒドロ−１０−メトキシ−５−（２−ブテニル）−２，２，４−トリメチル−１Ｈ−［１］ベンゾピラノ［３，４−ｆ］キノリン、
トランス２，５−ジヒドロ−１０−メトキシ−５−（２−ペンテン−１−イル）−２，２，４−トリメチル−１Ｈ−［１］ベンゾピラノ［３，４−ｆ］キノリン、
２，５−ジヒドロ−１０−メトキシ−５−（１，１−ジフルオロ−１−ペンテン−３−イル）−２，２，４−トリメチル−１Ｈ−［１］ベンゾピラノ［３，４−ｆ］キノリン、
（Ｅ）メチル  ２−（２，５−ジヒドロ−１０−メトキシ−２，２，４−トリメチル−１Ｈ−［１］ベンゾピラノ［３，４−ｆ］キノリン−５−イル）２−ブテノエート、
（Ｅ）２，５−ジヒドロ−１０−メトキシ−５−（４−ヒドロキシ−２−ブテン−１−イル）−２，２，４−トリメチル−１Ｈ−［１］ベンゾピラノ［３，４−ｆ］キノリン、
（Ｅ）２，５−ジヒドロ−１０−メトキシ−５−（４−Ｎ，Ｎ−ジメチルアミノカルボニロキシ）−２−ブテン−１−イル）−２，２，４−トリメチル−１Ｈ−［１］ベンゾピラノ［３，４−ｆ］キノリン、
（Ｅ）２，５−ジヒドロ−１０−メトキシ−５−（４−（Ｎ−メチルアミノカルボニロキシ）−２−ブテン−１−イル）−２，２，４−トリメチル−１Ｈ−［１］ベンゾピラノ［３，４−ｆ］キノリン、
（Ｅ）２，５−ジヒドロ−１０−メトキシ−５−（２−ブテニル）−２，２，４−トリメチル−１Ｈ−［１］ベンゾピラノ［３，４−ｆ］キノリン、
２，５−ジヒドロ−１０−メトキシ−５−（２−ヒドロキシエチル）−２，２，４−トリメチル−１Ｈ−［１］ベンゾピラノ［３，４−ｆ］キノリン、
２，５−ジヒドロ−１０−メトキシ−５−（２−（Ｎ−ベンジルカルボニロキシ）エチル）−２，２，４−トリメチル−１Ｈ−［１］ベンゾピラノ［３，４−ｆ］キノリン、
２，５−ジヒドロ−１０−メトキシ−５−（２−（Ｎ−モルホリノカルボニロキシ）エチル）−２，２，４−トリメチル−１Ｈ−［１］ベンゾピラノ［３，４−ｆ］キノリン、
２，５−ジヒドロ−１０−メトキシ−５−（２−（Ｎ−（２−メトキシエチル）アミノカルボニロキシ）エチル）−２，２，４−トリメチル−１Ｈ−［１］ベンゾピラノ［３，４−ｆ］キノリン、
２，５−ジヒドロ−１０−メトキシ−５−（２−（Ｎ−メチルアミノカルボニロキシ）エチル）−２，２，４−トリメチル−１Ｈ−［１］ベンゾピラノ［３，４−ｆ］キノリン、
２，５−ジヒドロ−１０−メトキシ−５−（２−（Ｎ，Ｎ−ジメチルアミノカルボニロキシ）エチル）−２，２，４−トリメチル−１Ｈ−［１］ベンゾピラノ［３，４−ｆ］キノリン、
２，５−ジヒドロ−１０−メトキシ−５−（２−メトキシメトキシエチル）−２，２，４−トリメチル−１Ｈ−［１］ベンゾピラノ［３，４−ｆ］キノリン、
２，５−ジヒドロ−１０−メトキシ−５−（２，２−ジメチルエトキシカルボニルアミノ）メチル）−２，２，４−トリメチル−１Ｈ−［１］ベンゾピラノ［３，４−ｆ］キノリン、
２，５−ジヒドロ−１０−メトキシ−５−（アミノメチル）−２，２，４−トリメチル−１Ｈ−［１］ベンゾピラノ［３，４−ｆ］キノリン、
２，５−ジヒドロ−１０−メトキシ−５−（エトキシカルボニルアミノ）メチル）−２，２，４−トリメチル−１Ｈ−［１］ベンゾピラノ［３，４−ｆ］キノリン、
２，５−ジヒドロ−１０−メトキシ−５−（カルボエトキシ）−２，２，４−トリメチル−１Ｈ−［１］ベンゾピラノ［３，４−ｆ］キノリン、
２，５−ジヒドロ−１０−メトキシ−５−（シクロペンチル）−２，２，４−トリメチル−１Ｈ−［１］ベンゾピラノ［３，４−ｆ］キノリン、
２，５−ジヒドロ−１０−メトキシ−５−（１−メチルプロパ−１，２−ジエニル）−２，２，４−トリメチル−１Ｈ−［１］ベンゾピラノ［３，４−ｆ］キノリン、
２，５−ジヒドロ−１０−メトキシ−５−（３，４，５−トリフルオロフェニル）−２，２，４−トリメチル−１Ｈ−［１］ベンゾピラノ［３，４−ｆ］キノリン、
２，５−ジヒドロ−１０−メトキシ−５−（シクロヘキシル）−２，２，４−トリメチル−１Ｈ−［１］ベンゾピラノ［３，４−ｆ］キノリン、
２，５−ジヒドロ−１０−メトキシ−５−（２−ピリジル）−２，２，４−トリメチル−１Ｈ−［１］ベンゾピラノ［３，４−ｆ］キノリン、
２，５−ジヒドロ−１０−メトキシ−５−（３−ピリジル）−２，２，４−トリメチル−１Ｈ−［１］ベンゾピラノ［３，４−ｆ］キノリン、
２，５−ジヒドロ−１０−メトキシ−５−（４−ピリジル）−２，２，４−トリメチル−１Ｈ−［１］ベンゾピラノ［３，４−ｆ］キノリン、
（１０−クロロ−９−ヒドロキシ−５−（３−プロペニル）−２，２，４−トリメチル−１Ｈ−２，５−ジヒドロ−［１］ベンゾピラノ［３，４−ｆ］キノリン、
１０−クロロ−９−ヒドロキシ−５−フェニル−２，２，４−トリメチル−１Ｈ−２，５−ジヒドロ−［１］ベンゾピラノ［３，４−ｆ］キノリン、
１０−クロロ−９−ヒドロキシ−５−（３−トリフルオロメチルフェニル）−２，２，４−トリメチル−１Ｈ−２，５−ジヒドロ−［１］ベンゾピラノ［３，４−ｆ］キノリン、
１０−クロロ−９−ヒドロキシ−５−（３，５−ジメチルフェニル）−２，２，４−トリメチル−１Ｈ−２，５−ジヒドロ−［１］ベンゾピラノ［３，４−ｆ］キノリン、
ｒｅｌ−（５Ｓ，３’Ｒ）−９−ヒドロキシ−１０−メトキシ−５−［１−ヒドロキシメチル−３−シクロヘキセニル］−２，２，４−トリメチル−２，５−ジヒドロ−１Ｈ−［１］ベンゾピラノ［３，４−ｆ］キノリン、
（−）２，５（Ｓ）−ジヒドロ−９−ヒドロキシ−１０−クロロ−２，２，４−トリメチル−５−（３Ｓ−シクロペンテニル）−１Ｈ−［１］ベンゾピラノ［３，４−ｆ］キノリン、
（−）２，５（Ｓ）−ジヒドロ−９−ヒドロキシ−１０−クロロ−２，２，４−トリメチル−５−（３Ｒ−シクロペンテニル）−１Ｈ−［１］ベンゾピラノ［３，４−ｆ］キノリン、
１０−クロロ−９−ヒドロキシ−５−（３，５−ジクロロフェニル）−２，２，４−トリメチル−１Ｈ−２，５−ジヒドロ−［１］ベンゾピラノ［３，４−ｆ］キノリン、
（＋）（５Ｒ，３’Ｓ）２，５−ジヒドロ−９−ヒドロキシ−１０−クロロ−２，２，４−トリメチル−５−（３−シクロペンテニル）−１Ｈ−［１］ベンゾピラノ［３，４−ｆ］キノリン、
（＋）（５Ｒ，３’Ｒ）２，５−ジヒドロ−９−ヒドロキシ−１０−クロロ−２，２，４−トリメチル−５−（３−シクロペンテニル）−１Ｈ−［１］ベンゾピラノ［３，４−ｆ］キノリン、
１０−クロロ−９−ヒドロキシ−５−（３，４−ジフルオロフェニル）−２，２，４−トリメチル−１Ｈ−２，５−ジヒドロ−［１］ベンゾピラノ［３，４−ｆ］キノリン、
９，１０−メチレンジオキシ−５−フェニル−２，２，４−トリメチル−１Ｈ−２，５−ジヒドロ−［１］ベンゾピラノ［３，４−ｆ］キノリン、
５−（３−プロペニル）−９−クロロ−１０−エテニル−２，２，４−トリメチル−２，５−ジヒドロ−１Ｈ−［１］ベンゾピラノ［３，４−ｆ］キノリン、
９−クロロ−１０−メトキシ−５−フェニル−２，２，４−トリメチル−２，５−ジヒドロ−１Ｈ−［１］ベンゾピラノ［３，４−ｆ］キノリン、
５−（３−プロペニル）−９−クロロ−１０−ジフルオロメトキシ−２，２，４−トリメチル−２，５−ジヒドロ−１Ｈ−［１］ベンゾピラノ［３，４−ｆ］キノリン、
９−クロロ−１０−ジフルオロメトキシ−５−フェニル−２，２，４−トリメチル−２，５−ジヒドロ−１Ｈ−［１］ベンゾピラノ［３，４−ｆ］キノリン、
８−フルオロ−１０−メトキシ−５−フェニル−２，２，４−トリメチル−２，５−ジヒドロ−１Ｈ−［１］ベンゾピラノ［３，４−ｆ］キノリン、
５−（３−プロペニル）−８−フルオロ−１０−メトキシ−２，２，４−トリメチル−２，５−ジヒドロ−１Ｈ−［１］ベンゾピラノ［３，４−ｆ］キノリン、
１０−メトキシ−９−フルオロ−５−（３−プロペニル）−２，２，４−トリメチル−１Ｈ−２，５−ジヒドロ−［１］ベンゾピラノ［３，４−ｆ］キノリン、
１０−メトキシ−９−ヒドロキシ−５−（３−プロペニル）−２，２，４−トリメチル−１Ｈ−２，５−ジヒドロ−［１］ベンゾピラノ［３，４−ｆ］キノリン、
（＋／−）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
（＋／−）２，５−ジヒドロ−９−ヒドロキシ−１０−メトキシ−２，２，４−トリメチル−５−（１−メチルシクロヘキセン−３−イル）−１Ｈ−［１］ベンゾピラノ［３，４−ｆ］キノリン、
（−）（５Ｓ，３’Ｓ）−９−ヒドロキシ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
（＋）（５Ｒ，３’Ｒ）−９−ヒドロキシ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
（＋）（５Ｒ，３’Ｓ）−９−ヒドロキシ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
（−）（５Ｓ，３’Ｒ）−９−ヒドロキシ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
ｒｅｌ−（５Ｓ，３’Ｒ）−９−ヒドロキシ−５−［１−ヒドロキシメチル−３−シクロヘキセニル］−１０−メトキシ−２，２，４−トリメチル−２，５−ジヒドロ−１Ｈ−［１］ベンゾピラノ［３，４−ｆ］キノリン、
（＋／−）（５Ｓ，３’Ｒ）２，５−ジヒドロ−９−ヒドロキシ−１０−メトキシ−２，２，４−トリメチル−５−（１−メチルシクロヘキセン−３−イル）−１Ｈ−［１］ベンゾピラノ［３，４−ｆ］キノリン、
ｒｅｌ−（５Ｓ，３’Ｒ）−９−ヒドロキシ−５−［１−メトキシメチル−３−シクロヘキセニル］−１０−メトキシ−２，２，４−トリメチル−２，５−ジヒドロ−１Ｈ−［１］ベンゾピラノ［３，４−ｆ］キノリン、
２，５−ジヒドロ−９−ヒドロキシ−１０−メトキシ−５−プロピル−２，２，４−トリメチル−１Ｈ−［１］ベンゾピラノ［３，４−ｆ］キノリン、
（−）（５Ｓ，３’Ｓ）２，５−ジヒドロ−９−ヒドロキシ−１０−メトキシ−２，２，４−トリメチル−５−（３−シクロヘプテニル）−１Ｈ−［１］ベンゾピラノ［３，４−ｆ］キノリン、
（−）（５Ｓ，３’Ｒ）２，５−ジヒドロ−９−ヒドロキシ−１０−メトキシ−２，２，４−トリメチル−５−（３−シクロヘプテニル）−１Ｈ−［１］ベンゾピラノ［３，４−ｆ］キノリン、
２，５−ジヒドロ−９−ヒドロキシ−１０−メトキシ−２，２，４−トリメチル−５−フェニル−１Ｈ−［１］ベンゾピラノ［３，４−ｆ］キノリン、
２，５−ジヒドロ−９−ヒドロキシ−１０−メトキシ−２，２，４−トリメチル−５−（３，５−ジフルオロフェニル）−１Ｈ−［１］ベンゾピラノ［３，４−ｆ］キノリン、
２，５−ジヒドロ−９−ヒドロキシ−１０−メトキシ−２，２，４−トリメチル−５−（３，４，５−トリフルオロフェニル）−１Ｈ−［１］ベンゾピラノ［３，４−ｆ］キノリン、
５−ブチル−２，５−ジヒドロ−９−ヒドロキシ−１０−メトキシ−２，２，４−トリメチル−１Ｈ−［１］ベンゾピラノ［３，４−ｆ］キノリン、
（−）（５Ｓ，３’Ｓ）２，５−ジヒドロ−９−ヒドロキシ−１０−メトキシ−２，２，４−トリメチル−５−（３−シクロペンテニル）−１Ｈ−［１］ベンゾピラノ［３，４−ｆ］キノリン、
（−）（５Ｓ，３’Ｒ）２，５−ジヒドロ−９−ヒドロキシ−１０−メトキシ−２，２，４−トリメチル−５−（３−シクロペンテニル）−１Ｈ−［１］ベンゾピラノ［３，４−ｆ］キノリン、
２，５−ジヒドロ−９−ヒドロキシ−１０−メトキシ−２，２，４−トリメチル−５−（３，４−ジフルオロフェニル）−１Ｈ−［１］ベンゾピラノ［３，４−ｆ］キノリン、
２，５−ジヒドロ−９−ヒドロキシ−１０−メトキシ−２，２，４−トリメチル−５−（４−フルオロフェニル）−１Ｈ−［１］ベンゾピラノ［３，４−ｆ］キノリン、
２，５−ジヒドロ−９−ヒドロキシ−１０−メトキシ−２，２，４−トリメチル−５−（３−トリフルオロメチルフェニル）−１Ｈ−［１］ベンゾピラノ［３，４−ｆ］キノリン、
２，５−ジヒドロ−９−ヒドロキシ−１０−メトキシ−２，２，４−トリメチル−５−（３，５−ビストリフルオロメチルフェニル）−１Ｈ−［１］ベンゾピラノ［３，４−ｆ］キノリン、
２，５−ジヒドロ−９−ヒドロキシ−１０−メトキシ−２，２，４−トリメチル−５−（３−トリフルオロメチル−４−クロロフェニル）−１Ｈ−［１］ベンゾピラノ［３，４−ｆ］キノリン、
２，５−ジヒドロ−９−ヒドロキシ−１０−メトキシ−２，２，４−トリメチル−５−（２−メチルプロピル）−１Ｈ−［１］ベンゾピラノ［３，４−ｆ］キノリン、
２，５−ジヒドロ−９−ヒドロキシ−１０−メトキシ−２，２，４−トリメチル−５−（３−フルオロ−４−クロロフェニル）−１Ｈ−［１］ベンゾピラノ［３，４−ｆ］キノリン、
２，５−ジヒドロ−９−ヒドロキシ−１０−メトキシ−２，２，４−トリメチル−５−（３−ブテニル）−１Ｈ−［１］ベンゾピラノ［３，４−ｆ］キノリン、
２，５−ジヒドロ−９−ヒドロキシ−１０−メトキシ−５−（フェニルメチル）−２，２，４−トリメチル−１Ｈ−［１］ベンゾピラノ［３，４−ｆ］キノリン、
（−）（５Ｓ，３’Ｒ）２，５−ジヒドロ−９−ヒドロキシ−１０−メトキシ−２，２，４−トリメチル−５−［１−エチル−３−シクロヘキセニル］−１Ｈ−［１］ベンゾピラノ［３，４−ｆ］キノリン、
（−）（Ｓ）５−シクロペンチル−２，５−ジヒドロ−９−ヒドロキシ−１０−メトキシ−２，２，４−トリメチル−１Ｈ−［１］ベンゾピラノ［３，４−ｆ］キノリン、
（＋）（Ｒ）５−シクロペンチル−２，５−ジヒドロ−９−ヒドロキシ−１０−メトキシ−２，２，４−トリメチル−１Ｈ−［１］ベンゾピラノ［３，４−ｆ］キノリン、
２，５−ジヒドロ−９−ヒドロキシ−１０−メトキシ−５−（３−プロピニル）−２，２，４−トリメチル−１Ｈ−［１］ベンゾピラノ［３，４−ｆ］キノリン、
２，５−ジヒドロ−９−ヒドロキシ−１０−メトキシ−２，２，４−トリメチル−５−（２−プロピル）−１Ｈ−［１］ベンゾピラノ［３，４−ｆ］キノリン、
２，５−ジヒドロ−９−ヒドロキシ−１０−メトキシ−２，２，４−トリメチル−５−（５−メトキシ−２−チエニル）−１Ｈ−［１］ベンゾピラノ［３，４−ｆ］キノリン、
（±）２，５−ジヒドロ−９−ヒドロキシ−１０−メトキシ−２，２，４−トリメチル−５−（２，３，４，５，６−ペンタフルオロフェニル）−１Ｈ−［１］ベンゾピラノ［３，４−ｆ］キノリン、
（＋／−）２，５−ジヒドロ−９−ヒドロキシ−１０−メトキシ−２，２，４−トリメチル−５（Ｓ）−（３（Ｓ）−１−ヒドロキシメチルシクロペンテン−３−イル）−１Ｈ−［１］ベンゾピラノ［３，４−ｆ］キノリン、
（＋／−）２，５−ジヒドロ−９−ヒドロキシ−１０−メトキシ−２，２，４−トリメチル−５（Ｓ）−（３（Ｓ）−１−メチルカルボキシレートシクロペンテン−３−イル）−１Ｈ−［１］ベンゾピラノ［３，４−ｆ］キノリン、
（−）（５Ｓ，３’Ｓ）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
（−）（５Ｓ，３’Ｒ）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
２，５−ジヒドロ−９−ヒドロキシ−１０−メトキシ−２，２，４−トリメチル−５−（２−チエニル）−１Ｈ−［１］ベンゾピラノ［３，４−ｆ］キノリン、
（±）２，５−ジヒドロ−９−ヒドロキシ−１０−メトキシ−２，２，４−トリメチル−５−（２−メチルフェニル）−１Ｈ−［１］ベンゾピラノ［３，４−ｆ］キノリン、
２，５−ジヒドロ−９−ヒドロキシ−１０−メトキシ−２，２，４−トリメチル−５−（２−アセトキシメチル−３−プロペニル）−１Ｈ−［１］ベンゾピラノ［３，４−ｆ］キノリン、
（＋）（５Ｒ，３’Ｓ）２，５−ジヒドロ−９−ヒドロキシ−１０−メトキシ−２，２，４−トリメチル−５−［１−エチル−３−シクロヘキセニル］−１Ｈ−［１］ベンゾピラノ［３，４−ｆ］キノリン、
２，５−ジヒドロ−９−ヒドロキシ−１０−メトキシ−２，２，４−トリメチル−５−シクロヘキセニル−１Ｈ−［１］ベンゾピラノ［３，４−ｆ］キノリン、
２，５，５−トリヒドロ−９−ヒドロキシ−１０−メトキシ−２，２，４−トリメチル−１Ｈ−［１］ベンゾピラノ［３，４−ｆ］キノリン、
２，５−ジヒドロ−９−ヒドロキシ−１０−メトキシ−２，２，４−トリメチル−５−（２−ヒドロキシメチル−３−プロペニル）−１Ｈ−［１］ベンゾピラノ［３，４−ｆ］キノリン、
メチル  ２−［２，５−ジヒドロ−９−ヒドロキシ−１０−メトキシ−２，２，４−トリメチル−１Ｈ−［１］ベンゾピラノ［３，４−ｆ］−５−キノリニル］アセテート、
（Ｚ）２，５−ジヒドロ−９−ヒドロキシ−１０−メトキシ−２，２，４−トリメチル−５−（２−ブテニル）−１Ｈ−［１］ベンゾピラノ［３，４−ｆ］キノリン、
２，５−ジヒドロ−９−ヒドロキシ−１０−メトキシ−２，２，４−トリメチル−５−（３−メチル−２−ブテニル）−１Ｈ−［１］ベンゾピラノ［３，４−ｆ］キノリン、
（＋）（５Ｓ，３’Ｓ）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
（＋）（５Ｒ，３’Ｒ）２，５−ジヒドロ−９−ヒドロキシ−１０−メトキシ−２，２，４−トリメチル−５−（３−シクロヘキセニル）−１Ｈ−［１］ベンゾピラノ［３，４−ｆ］キノリン、
（＋）（５Ｒ，３’Ｓ）２，５（Ｒ）−ジヒドロ−９−ヒドロキシ−１０−メトキシ−２，２，４−トリメチル−５−（３−シクロペンテニル）−１Ｈ−［１］ベンゾピラノ［３，４−ｆ］キノリン、
（＋）（５Ｒ，３’Ｒ）２，５（Ｒ）−ジヒドロ−９−ヒドロキシ−１０−メトキシ−２，２，４−トリメチル−５−（３−シクロペンテニル）−１Ｈ−［１］ベンゾピラノ［３，４−ｆ］キノリン、
ｒｅｌ−（５Ｓ）−９−ヒドロキシ−５−［（３Ｒ）−（１−メトキシカルボニル）シクロヘキセン−３−イル］−１０−メトキシ−２，２，４−トリメチル−２，５−ジヒドロ−１Ｈ−［１］ベンゾピラノ［３，４−ｆ］キノリン、
２，５−ジヒドロ−９−ヒドロキシ−１０−メトキシ−２，２，４−トリメチル−５−（２−メチル−３−プロペニル）−１Ｈ−［１］ベンゾピラノ［３，４−ｆ］キノリン、
９，１０−ジメトキシ−５−（３−プロペニル）−２，２，４−トリメチル−１Ｈ−２，５−ジヒドロ−［１］ベンゾピラノ［３，４−ｆ］キノリン、
９，１０−ジメトキシ−５−［３−シクロヘキセニル］−メトキシ−２，２，４−トリメチル−２，５−ジヒドロ−１Ｈ−［１］ベンゾピラノ［３，４−ｆ］キノリン、
１０−メトキシ−９−エトキシ−５−（３−プロペニル）−２，２，４−トリメチル−１Ｈ−２，５−ジヒドロ−［１］ベンゾピラノ［３，４−ｆ］キノリン、
１０−メトキシ−９−（３−プロペニロキシ）−５−（３−プロペニル）−２，２，４−トリメチル−１Ｈ−２，５−ジヒドロ−［１］ベンゾピラノ［３，４−ｆ］キノリン、
１０−メトキシ−９−（３−プロピニロキシ）−５−（３−プロペニル）−２，２，４−トリメチル−１Ｈ−２，５−ジヒドロ−［１］ベンゾピラノ［３，４−ｆ］キノリン、
２，５−ジヒドロ−９−アセトキシ−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−２，２，４−トリメチル−５−（２−プロペニル）−１Ｈ−［１］ベンゾピラノ［３，４−ｆ］キノリン、
７−ブロモ−５−［３−シクロヘキセニル］−１０−メトキシ−２，２，４−トリメチル−２，５−ジヒドロ−１Ｈ−［１］ベンゾピラノ［３，４−ｆ］キノリン、
１０−メトキシ−７−ブロモ−５−（３−プロペニル）−２，２，４−トリメチル−１Ｈ−２，５−ジヒドロ−［１］ベンゾピラノ［３，４−ｆ］キノリン、
７−ブロモ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
１０−メトキシ−９−ブロモ−５−（３−プロペニル）−２，２，４−トリメチル−１Ｈ−２，５−ジヒドロ−［１］ベンゾピラノ［３，４−ｆ］キノリン、
７，９−ジブロモ−１０−メトキシ−５−（３−プロペニル）−２，２，４−トリメチル−１Ｈ−２，５−ジヒドロ−［１］ベンゾピラノ［３，４−ｆ］キノリン、
７，９−ジブロモ−５−［シクロヘキセン−３−イル］−１０−メトキシ−２，２，４−トリメチル−２，５−ジヒドロ−１Ｈ−［１］ベンゾピラノ［３，４−ｆ］キノリン、
７，９−ジブロモ−５−［１−メチル−３−シクロヘキセニル］−１０−メトキシ−２，２，４−トリメチル−２，５−ジヒドロ−１Ｈ−［１］ベンゾピラノ［３，４−ｆ］キノリン、
１０−メトキシ−７−（２−エテニル）−５−（３−プロペニル）−２，２，４−トリメチル−１Ｈ−２，５−ジヒドロ−［１］ベンゾピラノ［３，４−ｆ］キノリン、
１０−メトキシ−７−メチル−５−（３−プロペニル）−２，２，４−トリメチル−１Ｈ−２，５−ジヒドロ−［１］ベンゾピラノ［３，４−ｆ］キノリン、
１０−メトキシ−７−アセチル−５−（３−プロペニル）−２，２，４−トリメチル−１Ｈ−２，５−ジヒドロ−［１］ベンゾピラノ［３，４−ｆ］キノリン、
（＋／−）２，５−ジヒドロ−９−メチル−１０−メトキシ−２，２，４−トリメチル−５−（１−メチルシクロヘキセン−３−イル）−１Ｈ−［１］ベンゾピラノ［３，４−ｆ］キノリン、
１０−メトキシ−７−メチル−９−メチル−５−（３−プロペニル）−２，２，４−トリメチル−１Ｈ−２，５−ジヒドロ−［１］ベンゾピラノ［３，４−ｆ］キノリン、
１０−クロロ−５−（３−プロペニル）−２，２，４−トリメチル−２，５−ジヒドロ−１Ｈ−［１］ベンゾピラノ［３，４−ｆ］キノリン、
（＋／−）２，５−ジヒドロ−１０−クロロ−２，２，４−トリメチル−５−フェニル−１Ｈ−［１］ベンゾピラノ［３，４−ｆ］キノリン、
２，５−ジヒドロ−１０−メトキシ−５−（３−（Ｎ−メチル−Ｎ−（カルボメトキシメチル）アミノカルボニロキシ）フェニル）−２，２，４−トリメチル−１Ｈ−［１］ベンゾピラノ［３，４−ｆ］キノリン、
２，５−ジヒドロ−１０−メトキシ−５−（３−（Ｎ−メチル−Ｎ−（Ｎ−メチルカルボニル）アミノカルボニロキシ）フェニル）−２，２，４−トリメチル−１Ｈ−［１］ベンゾピラノ［３，４−ｆ］キノリン、
２，５−ジヒドロ−１０−メトキシ−５−（３−（Ｎ−メチルアミノカルボニロキシ）フェニル）−２，２，４−トリメチル−１Ｈ−［１］ベンゾピラノ［３，４−ｆ］キノリン、
２，５−ジヒドロ−１０−メトキシ−５−（３−（２−ヒドロキシエチル）フェニル）−２，２，４−トリメチル−１Ｈ−［１］ベンゾピラノ［３，４−ｆ］キノリン、
２，５−ジヒドロ−１０−メトキシ−５−（３−（２−メタンスルホニロキシエチル）フェニル）−２，２，４−トリメチル−１Ｈ−［１］ベンゾピラノ［３，４−ｆ］キノリン、
２，５−ジヒドロ−１０−メトキシ−５−（３−（２−メチルチオエチル）フェニル）−２，２，４−トリメチル−１Ｈ−［１］ベンゾピラノ［３，４−ｆ］キノリン、
２，５−ジヒドロ−１０−メトキシ−５−（３−（２−（Ｎ，Ｎ−ジメチルアミノカルボニロキシ）エチル）フェニル）−２，２，４−トリメチル−１Ｈ−［１］ベンゾピラノ［３，４−ｆ］キノリン、
２，５−ジヒドロ−１０−メトキシ−５−（３−（２−（Ｎ，Ｎ−ジメチルアミノ）エチル）フェニル）−２，２，４−トリメチル−１Ｈ−［１］ベンゾピラノ［３，４−ｆ］キノリン、
２，５−ジヒドロ−１０−メトキシ−５−シクロプロピル−２，２，４−トリメチル−１Ｈ−［１］ベンゾピラノ［３，４−ｆ］キノリン、
２，５−ジヒドロ−１０−メトキシ−５−エテニル−２，２，４−トリメチル−１Ｈ−［１］ベンゾピラノ［３，４−ｆ］キノリン、
トランス２，５−ジヒドロ−１０−メトキシ−５−（２−フェニルエテニル）−２，２，４−トリメチル−１Ｈ−［１］ベンゾピラノ［３，４−ｆ］キノリン、
２，５−ジヒドロ−１０−メトキシ−５−（２−フェニルエチニル）−２，２，４−トリメチル−１Ｈ−［１］ベンゾピラノ［３，４−ｆ］キノリン、
シス２，５−ジヒドロ−１０−メトキシ−５−（２−フェニルエテニル）−２，２，４−トリメチル−１Ｈ−［１］ベンゾピラノ［３，４−ｆ］キノリン、
２，５−ジヒドロ−１０−メトキシ−５−（２−メチルプロペニル）−２，２，４−トリメチル−１Ｈ−［１］ベンゾピラノ［３，４−ｆ］キノリン、
トランス２，５−ジヒドロ−１０−メトキシ−５−（１−シクロヘキセニル）−２，２，４−トリメチル−１Ｈ−［１］ベンゾピラノ［３，４−ｆ］キノリン、
２，５−ジヒドロ−１０−（２−フラニル）−５−（３−プロペニル）−２，２，４−トリメチル−１Ｈ−［１］ベンゾピラノ［３，４−ｆ］キノリン、
２，５−ジヒドロ−１０−シアノ−５−（３−プロペニル）−２，２，４−トリメチル−１Ｈ−［１］ベンゾピラノ［３，４−ｆ］キノリン、
２，５−ジヒドロ−１０−カルボキシ−５−（３−プロペニル）−２，２，４−トリメチル−１Ｈ−［１］ベンゾピラノ［３，４−ｆ］キノリン、
２，５−ジヒドロ−１０−（２−ヒドロキシメチル）−５−（３−プロペニル）−２，２，４−トリメチル−１Ｈ−［１］ベンゾピラノ［３，４−ｆ］キノリン、
２，５−ジヒドロ−１０−ホルミル−５−（３−プロペニル）−２，２，４−トリメチル−１Ｈ−［１］ベンゾピラノ［３，４−ｆ］キノリン、
２，５−ジヒドロ−１０−アミノメチル−５−（３−プロペニル）−２，２，４−トリメチル−１Ｈ−［１］ベンゾピラノ［３，４−ｆ］キノリン、
２，５−ジヒドロ−１０−メトキシメチル−５−（３−プロペニル）−２，２，４−トリメチル−１Ｈ−［１］ベンゾピラノ［３，４−ｆ］キノリン、
２，５−ジヒドロ−１０−エテニル−５−フェニル−２，２，４−トリメチル−１Ｈ−［１］ベンゾピラノ［３，４−ｆ］キノリン、
２，５−ジヒドロ−１０−エチニル−５−フェニル−２，２，４−トリメチル−１Ｈ−［１］ベンゾピラノ［３，４−ｆ］キノリン、
メチル  ２，５−ジヒドロ−５−フェニル−２，２，４−トリメチル−１Ｈ−［１］ベンゾピラノ［３，４−ｆ］キノリン−１０−カルボキシレート、
２，５−ジヒドロ−１０−（ヒドロキシメチル）−５−フェニル−２，２，４−トリメチル−１Ｈ−［１］ベンゾピラノ［３，４−ｆ］キノリン、
２，５−ジヒドロ−１０−ホルミル−５−フェニル−２，２，４−トリメチル−１Ｈ−［１］ベンゾピラノ［３，４−ｆ］キノリン、
２，５−ジヒドロ−１０−（メトキシメチル）−５−フェニル−２，２，４−トリメチル−１Ｈ−［１］ベンゾピラノ［３，４−ｆ］キノリン、
２，５−ジヒドロ−１０−エテニル−５−オキソ−２，２，４−トリメチル−１Ｈ−［１］ベンゾピラノ［３，４−ｆ］キノリン、
５−（３−シクロヘキセニル）−２，５−ジヒドロ−１０−エテニル−２，２，４−トリメチル−１Ｈ−［１］ベンゾピラノ［３，４−ｆ］キノリン、
２，５−ジヒドロ−１０−エテニル−５−［１−メチル−３−シクロヘキセニル］−２，２，４−トリメチル−１Ｈ−［１］ベンゾピラノ［３，４−ｆ］キノリン、
２，５−ジヒドロ−５−（３−プロペニル）−１０−メチルチオ−２，２，４−トリメチル−１Ｈ−［１］ベンゾピラノ［３，４−ｆ］キノリン、
２，５−ジヒドロ−５−（３−プロペニル）−１０−メチルチオ−２，２，４−トリメチル−１Ｈ−［１］ベンゾピラノ［３，４−ｆ］キノリン、
（＋／−）２，５−ジヒドロ−９−（４−アセトアミドブタノイロキシ）−１０−メトキシ−２，２，４−トリメチル−５−アリル−１Ｈ−［１］ベンゾピラノ［３，４−ｆ］キノリン、
１０−（ジフルオロメトキシ）−２，５−ジヒドロ−５−フェニル−２，２，４−トリメチル−１Ｈ−［１］ベンゾピラノ［３，４−ｆ］キノリン、
１０−（ブロモジフルオロメトキシ）−２，５−ジヒドロ−５−フェニル−２，２，４−トリメチル−１Ｈ−［１］ベンゾピラノ［３，４−ｆ］キノリン、
１０−（ブロモジフルオロメトキシ）−５−フェニル−２，２−ジメチル−４−メチレン−２，３，４，５−テトラヒドロ−１Ｈ−クロメノ［３，４−ｆ］キノリン、
２，５−ジヒドロ−９−ヒドロキシ−１０−メトキシ−２，２，４−トリメチル−５−（（２−フルオロフェニル）メチル）−１Ｈ−［１］ベンゾピラノ［３，４−ｆ］キノリン、
１０−メトキシ−５−（５−メチルイソキサゾール−３−イル）メチリデン−２，５−ジヒドロ−５−フェニル−２，２，４−トリメチル−１Ｈ−［１］ベンゾピラノ［３，４−ｆ］キノリン、
１０−メトキシ−５−（３−メチルイソキサゾール−５−イル）メチリデン−２，５−ジヒドロ−５−フェニル−２，２，４−トリメチル−１Ｈ−［１］ベンゾピラノ［３，４−ｆ］キノリン、
１０−メトキシ−５−（４，５−ジメチル−１，３−オキサゾール−２−イル）メチリデン−２，５−ジヒドロ−５−フェニル−２，２，４−トリメチル−１Ｈ−［１］ベンゾピラノ［３，４−ｆ］キノリン、
１０−メトキシ−５−（６−クロロピリジン−２−イル）メチリデン−２，５−ジヒドロ−５−フェニル−２，２，４−トリメチル−１Ｈ−［１］ベンゾピラノ［３，４−ｆ］キノリン、
１０−メトキシ−５−（ピリジン−２−イル）メチリデン−２，５−ジヒドロ−５−フェニル−２，２，４−トリメチル−１Ｈ−［１］ベンゾピラノ［３，４−ｆ］キノリン、
１０−メトキシ−５−（ブト−３−エニリデン）−２，５−ジヒドロ−５−フェニル−２，２，４−トリメチル−１Ｈ−［１］ベンゾピラノ［３，４−ｆ］キノリン、
１０−メトキシ−５−（１−メチルプロピリデン）−２，５−ジヒドロ−５−フェニル−２，２，４−トリメチル−１Ｈ−［１］ベンゾピラノ［３，４−ｆ］キノリン、
１０−メトキシ−５−（１−ブチリデン）−２，５−ジヒドロ−５−フェニル−２，２，４−トリメチル−１Ｈ−［１］ベンゾピラノ［３，４−ｆ］キノリン、
２，５−ジヒドロ−１０−メトキシ−２，２，４−トリメチル−３−オキシド−５−フェニル−１Ｈ−［１］ベンゾピラノ［３，４−ｆ］キナゾリン、
２，５−ジヒドロ−１０−メトキシ−２，２，４−トリメチル−５−フェニル−１Ｈ−［１］ベンゾピラノ［３，４−ｆ］キナゾリン、
２，５−ジヒドロ−１０−メトキシ−２，２−［スピロ（テトラヒドロ−４−ピラニル）］−４−メチル−５−アリル−１Ｈ−［１］ベンゾピラノ［３，４−ｆ］キノリン、
２，５−ジヒドロ−１０−メトキシ−２，２−［スピロ（ヘキシル）］−５−アリル−１Ｈ−［１］ベンゾピラノ［３，４−ｆ］キノリン、
２，５−ジヒドロ−１０−メトキシ−２，２−ジエチル−４−メチル−５−アリル−１Ｈ−［１］ベンゾピラノ［３，４−ｆ］キノリン、
２，５−ジヒドロ−１０−メトキシ−２，２，３，４−テトラメチル−５−アリル−１Ｈ−［１］ベンゾピラノ［３，４−ｆ］キノリン、
２，５−ジヒドロ−１０−メトキシ−２，２−ジメチル−４−エチル−５−アリル−１Ｈ−［１］ベンゾピラノ［３，４−ｆ］キノリン、
２，５−ジヒドロ−１０−メトキシ−２，２，３−トリメチル−５−アリル−１Ｈ−［１］ベンゾピラノ［３，４−ｆ］キノリン、
Ｚ−５−（ベンジリデニル）−９−ヒドロキシ−１０−メトキシ−２，２，４−トリメチル−１Ｈ−２，５−ジヒドロ−［１］ベンゾピラノ［３，４−ｆ］キノリン、
Ｚ−５−（２，５−ジフルオロベンジリデニル）−９−ヒドロキシ−１０−メトキシ−２，２，４−トリメチル−１Ｈ−２，５−ジヒドロ−［１］ベンゾピラノ［３，４−ｆ］キノリン、
Ｚ−５−（３−フルオロベンジリデニル）−１０−クロロ−９−ヒドロキシ−２，２，４−トリメチル−２，５−ジヒドロ−１Ｈ−［１］ベンゾピラノ［３，４−ｆ］キノリン、
Ｚ−１０−クロロ−９−ヒドロキシ−５−（２−ピコリニリデニル）−２，２，４−トリメチル−２，５−ジヒドロ−１Ｈ−［１］ベンゾピラノ［３，４−ｆ］キノリン、
Ｚ−９−ヒドロキシ−１０−メトキシ−５−（２−ピコリニリデニル）−２，２，４−トリメチル−２，５−ジヒドロ−１Ｈ−［１］ベンゾピラノ［３，４−ｆ］キノリン、
９−ヒドロキシ−１０−メトキシ−５−（３，５−ジフルオロフェニル）メチリデン−２，５−ジヒドロ−５−フェニル−２，２，４−トリメチル−１Ｈ−［１］ベンゾピラノ［３，４−ｆ］キノリン、
９−ヒドロキシ−１０−メトキシ−５−（３，４−ジフルオロフェニル）メチリデン−２，５−ジヒドロ−５−フェニル−２，２，４−トリメチル−１Ｈ−［１］ベンゾピラノ［３，４−ｆ］キノリン、
（Ｚ）９−ヒドロキシ−１０−メトキシ−５−（（４−フルオロフェニル）メチレン）−２，２，４−トリメチル−１Ｈ−２，５−ジヒドロ−［１］ベンゾピラノ［３，４−ｆ］キノリン、
（Ｚ）９−ヒドロキシ−１０−メトキシ−５−（［２，３−ジフルオロフェニル］メチレン）−２，２，４−トリメチル−１Ｈ−２，５−ジヒドロ−［１］ベンゾピラノ［３，４−ｆ］キノリン、
Ｚ−５−（３−フルオロベンジリデニル）−１０−メトキシ−９−ヒドロキシ−２，２，４−トリメチル−２，５−ジヒドロ−１Ｈ−［１］ベンゾピラノ［３，４−ｆ］キノリン、
ｒｅｌ−（５Ｓ，３’Ｒ）−９−ヒドロキシ−５−［１−メトキシメチル−３−シクロヘキセニル］−１０−クロロ−２，２，４−トリメチル−２，５−ジヒドロ−１Ｈ−［１］ベンゾピラノ［３，４−ｆ］キノリン、
９−ヒドロキシ−１０−メトキシ−５−エチル−２，２，４−トリメチル−２，５−ジヒドロ−１Ｈ−［１］ベンゾピラノ［３，４−ｆ］キノリン、
（＋／−）２，５−ジヒドロ−９−シアノメトキシ−１０−メトキシ−２，２，４−トリメチル−５−アリル−１Ｈ−［１］ベンゾピラノ［３，４−ｆ］キノリン、
２，５−ジヒドロ−９−（４−Ｎ，Ｎ−ジエチルアミノ−４−オキソ−ブタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ−ピペリジノ−４−オキソ−ブタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ−モルホリノ−４−オキソ−ブタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−２，２，４−トリメチル−５−（３，４，５−トリフルオロフェニル）−１Ｈ−［１］ベンゾピラノ［３，４−ｆ］キノリン、
２，５−ジヒドロ−９−ヒドロキシ−１０−メトキシ−２，２，４−トリメチル−５−（３，５−ジフルオロフェニルメチル）−１Ｈ−［１］ベンゾピラノ［３，４−ｆ］キノリン、
２，５−ジヒドロ−９−ヒドロキシ−１０−クロロ−２，２，４−トリメチル−５−（２−チエニル）−１Ｈ−［１］ベンゾピラノ［３，４−ｆ］キノリン、
２，５−ジヒドロ−９−ヒドロキシ−１０−メトキシ−２，２，４−トリメチル−５−シクロペンチル−１Ｈ−［１］ベンゾピラノ［３，４−ｆ］キノリン、
２，５−ジヒドロ−９−ヒドロキシ−１０−メトキシ−２，２，４−トリメチル−５−（（２−フルオロフェニル）メチル）−１Ｈ−［１］ベンゾピラノ［３，４−ｆ］キノリン、
２，５−ジヒドロ−９−ヒドロキシメチル−１０−メトキシ−２，２，４−トリメチル−５−アリル−１Ｈ−［１］ベンゾピラノ［３，４−ｆ］キノリン、
２，５−ジヒドロ−９−ヒドロキシ−１０−メトキシ−２，２，４−トリメチル−５−（１−ペンテニル）−１Ｈ−［１］ベンゾピラノ［３，４−ｆ］キノリン、
２，５−ジヒドロ−９−メチルカルボキシレート−１０−メトキシ−２，２，４−トリメチル−５−アリル−１Ｈ−［１］ベンゾピラノ［３，４−ｆ］キノリン、
２，５−ジヒドロ−９−ヒドロキシ−１０−メトキシ−２，２，４−トリメチル−５−アリル−１Ｈ−［１］ベンゾピラノ［３，４−ｆ］キノリン、
（−）（５Ｓ，３’Ｓ）２，５−ジヒドロ−１０−メトキシ−２，２，４−トリメチル−５−（シクロペンテン−３−イル）−１Ｈ−［１］ベンゾピラノ［３，４−ｆ］キノリン、
（−）（５Ｓ，３’Ｓ）２，５−ジヒドロ−１０−メトキシ−２，２，４−トリメチル−５−（シクロヘキセン−３−イル）−１Ｈ−［１］ベンゾピラノ［３，４−ｆ］キノリン、
（−）（５Ｓ，３’Ｒ）２，５−ジヒドロ−１０−メトキシ−２，２，４−トリメチル−５−（シクロヘキセン−３−イル）−１Ｈ−［１］ベンゾピラノ［３，４−ｆ］キノリン、
（−）（５Ｓ，３’Ｒ）２，５−ジヒドロ−１０−メトキシ−２，２，４−トリメチル−５−（シクロペンテン−３−イル）−１Ｈ−［１］ベンゾピラノ［３，４−ｆ］キノリン、
２，５−ジヒドロ−９−ヒドロキシ−１０−メトキシ−２，２，４−トリメチル−５−（３（Ｚ）−ペンテニル）−１Ｈ−［１］ベンゾピラノ［３，４−ｆ］キノリン、
２，５−ジヒドロ−９−ヒドロキシ−１０−メトキシ−２，２，４−トリメチル−５−（３−アセチルフェニル）−１Ｈ−［１］ベンゾピラノ［３，４−ｆ］キノリン、
１０−ジフルオロメトキシ−５−［［３−（メチルチオ）メトキシ］フェニル］−２，２，４−トリメチル−１Ｈ−２，５−ジヒドロ−［１］ベンゾピラノ［３，４−ｆ］キノリン、
２，５−ジヒドロ−７−ブロモ−９−ヒドロキシ−１０−クロロ−２，２，４−トリメチル−５−アリル−１Ｈ−［１］ベンゾピラノ［３，４−ｆ］キノリン、
２，５−ジヒドロ−９−ヒドロキシ−１０−メトキシ−２，２，４−トリメチル−５−（３−ヒドロキシフェニル）−１Ｈ−［１］ベンゾピラノ［３，４−ｆ］キノリン、
２，５−ジヒドロ−９−メチルチオメトキシ−１０−メトキシ−２，２，４−トリメチル−５−（３−メチルチオ）メトキシフェニル）−１Ｈ−［１］ベンゾピラノ［３，４−ｆ］キノリン、
２，５−ジヒドロ−９−ヒドロキシ−１０−メトキシ−２，２，４−トリメチル−５−（３−（メチルチオメトキシ）フェニル）−１Ｈ−［１］ベンゾピラノ［３，４−ｆ］キノリン、
９−ヒドロキシ−１０−クロロ−５−（フェニルメチレン）−２，２，４−トリメチル−１Ｈ−２，５−ジヒドロ−［１］ベンゾピラノ［３，４−ｆ］キノリン、
２，５−ジヒドロ−９−ヒドロキシ−１０−メトキシ−２，２，４−トリメチル−５−（［２−Ｎ，Ｎ−ジメチルカルバモイロキシ］フェニル）−１Ｈ−［１］ベンゾピラノ［３，４−ｆ］キノリン、
２，５−ジヒドロ−９−Ｎ，Ｎ−ジメチルカルバモイロキシ−１０−メトキシ−２，２，４−トリメチル−５−（［２−Ｎ，Ｎ−ジメチルカルバモイロキシ］フェニル）−１Ｈ−［１］ベンゾピラノ［３，４−ｆ］キノリン、
２，５−ジヒドロ−９−ヒドロキシ−１０−クロロ−２，２，４−トリメチル−５−エチル−１Ｈ−［１］ベンゾピラノ［３，４−ｆ］キノリン、
２，５−ジヒドロ−９−ヒドロキシ−１０−クロロ−２，２，４−トリメチル−５−イソプロピル−１Ｈ−［１］ベンゾピラノ［３，４−ｆ］キノリン、
９−ヒドロキシ−１０−メトキシ−５−（フェニルメチレン）−２，２，４−トリメチル−１Ｈ−２，５−ジヒドロ−［１］ベンゾピラノ［３，４−ｆ］キノリン、
２，５−ジヒドロ−９−ヒドロキシ−１０−クロロ−２，２，４−トリメチル−５−ブチル−１Ｈ−［１］ベンゾピラノ［３，４−ｆ］キノリン、
２，５−ジヒドロ−９−ヒドロキシ−１０−メトキシ−２，２，４−トリメチル−５−（１−チアゾール−２−イル）−１Ｈ−［１］ベンゾピラノ［３，４−ｆ］キノリン、
２，５−ジヒドロ−９−ヒドロキシ−１０−クロロ−２，２，４−トリメチル−５−（２−メチルプロピル）−１Ｈ−［１］ベンゾピラノ［３，４−ｆ］キノリン、
２，５−ジヒドロ−９−ヒドロキシメチル−１０−クロロ−２，２，４−トリメチル−５−アリル−１Ｈ−［１］ベンゾピラノ［３，４−ｆ］キノリン、
２，５−ジヒドロ−９−ヒドロキシ−１０−クロロ−２，２，４−トリメチル−５−プロピル−１Ｈ−［１］ベンゾピラノ［３，４−ｆ］キノリン、
９−ヒドロキシ−１０−メトキシ−５−（［３−フルオロフェニル）メチレン）−２，２，４−トリメチル−１Ｈ−２，５−ジヒドロ−［１］ベンゾピラノ［３，４−ｆ］キノリン、
９−ヒドロキシ−１０−クロロ−５−（［２−ピリジル）メチレン）−２，２，４−トリメチル−１Ｈ−２，５−ジヒドロ−［１］ベンゾピラノ［３，４−ｆ］キノリン、
ｒｅｌ−（５Ｓ）−９−ヒドロキシ−５−［（３Ｓ）−（１−ヒドロキシメチル）シクロヘキセン−３−イル］−１０−クロロ−２，２，４−トリメチル−２，５−ジヒドロ−１Ｈ−［１］ベンゾピラノ［３，４−ｆ］キノリン、
ｒｅｌ−（５Ｓ）−９−ヒドロキシ−５−［（３Ｓ）−（１−メトキシカルボニル）シクロヘキセン−３−イル］−１０−メトキシ−２，２，４−トリメチル−２，５−ジヒドロ−１Ｈ−［１］ベンゾピラノ［３，４−ｆ］キノリン、
２，５−ジヒドロ−９−ヒドロキシ−１０−メトキシ−２，２，４−トリメチル−５−（３，５−ジクロロフェニル）−１Ｈ−［１］ベンゾピラノ［３，４−ｆ］キノリン、
（−）（５Ｓ，３’Ｓ）２，５−ジヒドロ−９−ヒドロキシ−１０−クロロ−２，２，４−トリメチル−５−（１−メチルシクロヘキセン−３−イル）−１Ｈ−［１］ベンゾピラノ［３，４−ｆ］キノリン、
（−）（５Ｓ，３’Ｒ）２，５−ジヒドロ−９−ヒドロキシ−１０−クロロ−２，２，４−トリメチル−５−（１−メチルシクロヘキセン−３−イル）−１Ｈ−［１］ベンゾピラノ［３，４−ｆ］キノリン、
（＋）（５Ｒ，３’Ｓ）２，５−ジヒドロ−９−ヒドロキシ−１０−クロロ−２，２，４−トリメチル−５−（１−メチルシクロヘキセン−３−イル）−１Ｈ−［１］ベンゾピラノ［３，４−ｆ］キノリン、
（＋）（５Ｒ，３’Ｒ）２，５−ジヒドロ−９−ヒドロキシ−１０−クロロ−２，２，４−トリメチル−５−（１−メチルシクロヘキセン−３−イル）−１Ｈ−［１］ベンゾピラノ［３，４−ｆ］キノリン、
（＋／−）２，５−ジヒドロ−９−（４−Ｎ，Ｎ−ジメチルアミノ−４−オキソ−ブタノイロキシ）−１０−クロロ−２，２，４−トリメチル−５−アリル−１Ｈ−［１］ベンゾピラノ［３，４−ｆ］キノリン、
（−）２，５−ジヒドロ−９−ヒドロキシ−１０−クロロ−２，２，４−トリメチル−５−シクロペンチル−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−２，２，４−トリメチル−５−（１−メチルエチル）−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−５−（フェニルメチル）−２，２，４−トリメチル−１Ｈ−［１］ベンゾピラノ［３，４−ｆ］キノリン、
２，５−ジヒドロ−９−（４−Ｎ，Ｎ−ジメチルアミノ−４−オキソ−ブタノイロキシ）−１０−メトキシ−２，２，４−トリメチル−５−（２−チエニル）−１Ｈ−［１］ベンゾピラノ［３，４−ｆ］キノリン、
２，５−ジヒドロ−９−（４−Ｎ，Ｎ−ジメチルアミノブタノイロキシ）−１０−メトキシ−２，２，４−トリメチル−５−（２−プロペニル）−１Ｈ−［１］ベンゾピラノ［３，４−ｆ］キノリン、
９−（２−エトキシ−２−オキソ−エチルアミノカルボニル）−オキシ−１０−メトキシ−５−（３−プロペニル）−２，２，４−トリメチル−１Ｈ−２，５−ジヒドロ−［１］ベンゾピラノ［３，４−ｆ］キノリン、
（＋／−）２，５−ジヒドロ−９−（３−アセトアミド−プロパノイロキシ）−１０−メトキシ−２，２，４−トリメチル−５−アリル−１Ｈ−［１］ベンゾピラノ［３，４−ｆ］キノリン、
（＋／−）２，５−ジヒドロ−９−ヒドロキシ−１０−クロロ−２，２，４−トリメチル−５−ベンジル−１Ｈ−［１］ベンゾピラノ［３，４−ｆ］キノリン、
９−ヒドロキシ−１０−メトキシ−５−（フェニルメチレン）−２，２，４−トリメチル−１Ｈ−２，５−ジヒドロ−［１］ベンゾピラノ［３，４−ｆ］キノリン、
９−（ジメチルアミノチオカルボニル）−オキシ−１０−メトキシ−５−（３−プロペニル）−２，２，４−トリメチル−１Ｈ−２，５−ジヒドロ−［１］ベンゾピラノ［３，４−ｆ］キノリン、
（＋／−）２，５−ジヒドロ−９−（Ｎ−カルバモイル−２−アミノアセトキシ）−１０−メトキシ−２，２，４−トリメチル−５−アリル−１Ｈ−［１］ベンゾピラノ［３，４−ｆ］キノリン、
（＋／−）２，５−ジヒドロ−９−（４−エトキシ−４−オキソ−ブトキシ）−１０−メトキシ−２，２，４−トリメチル−５−アリル−１Ｈ−［１］ベンゾピラノ［３，４−ｆ］キノリン、
（＋／−）２，５−ジヒドロ−９−（４−オキソ−ペンタノイロキシ）−１０−メトキシ−２，２，４−トリメチル−５−アリル−１Ｈ−［１］ベンゾピラノ［３，４−ｆ］キノリン、
２，５−ジヒドロ−９−ヒドロキシ−１０−クロロ−２，２，４−トリメチル−５−（３，４，５−トリフルオロフェニル）−１Ｈ−［１］ベンゾピラノ［３，４−ｆ］キノリン、
２，５−ジヒドロ−９−メチルチオメトキシ−１０−メトキシ−２，２，４−トリメチル−５−アリル−１Ｈ−［１］ベンゾピラノ［３，４−ｆ］キノリン、
２，５−ジヒドロ−９−（４−Ｎ，Ｎ−ジエチルアミノ−４−オキソ−ペンタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ，Ｎ−ジメチルアミノ−４−オキソ−ペンタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ−ピペリジノ−４−オキソ−ペンタノイロキシ）−１０−メトキシ−２，２，４−トリメチル−５−（２−プロペニル）−１Ｈ−［１］ベンゾピラノ［３，４−ｆ］キノリン、
２，５−ジヒドロ−９−（４−Ｎ−モルホリノ−４−オキソ−ペンタノイロキシ）−１０−メトキシ−２，２，４−トリメチル−５−（２−プロペニル）−１Ｈ−［１］ベンゾピラノ［３，４−ｆ］キノリン、
（−）２，５−ジヒドロ−９−（４−Ｎ，Ｎ−ジメチルアミノ−４−オキソ−ブタノイロキシ）−１０−メトキシ−２，２，４−トリメチル−５（Ｓ）−（３（Ｓ）−１−シクロペンテン−３−イル）−１Ｈ−［１］ベンゾピラノ［３，４−ｆ］キノリン、
１０−メトキシ−９−（アリルアミノカルボニル）オキシ−５−（３−プロペニル）−２，２，４−トリメチル−１Ｈ−２，５−ジヒドロ−［１］ベンゾピラノ［３，４−ｆ］キノリン、
１０−メトキシ−９−（シクロヘキシルアミノカルボニル）−オキシ−５−（３−プロペニル）−２，２，４−トリメチル−１Ｈ−２，５−ジヒドロ−［１］ベンゾピラノ［３，４−ｆ］キノリン、
２，５−ジヒドロ−９−ヒドロキシ−１０−メトキシ−２，２，４−トリメチル−５−（３−チエニル）−１Ｈ−［１］ベンゾピラノ［３，４−ｆ］キノリン、および
２，５−ジヒドロ−９−ヒドロキシ−１０−メトキシ−２，２，４−トリメチル−５−（４−（フルオロフェニル）メチル）−１Ｈ−［１］ベンゾピラノ［３，４−ｆ］キノリン。
【請求項３５】  請求項１に記載の化合物の有効量を投与することを含んでなる、哺乳動物におけるグルココルチコイド受容体の活性化、抑制、作動および拮抗効果を選択的に修飾する方法。
【請求項３６】  請求項１に記載の化合物の有効量を投与することを含んでなる、哺乳動物における炎症および免疫、自己免疫および炎症性疾患を治療する方法。